(57)【特許請求の範囲】
【請求項１】
フレームを送信するための無線デバイスの方法であって、当該方法は、
前記無線デバイスが、前記フレームの複数のリソースユニット（ＲＵ）を決定するステップであって、前記ＲＵは、ＯＦＤＭＡを採用した８０２．１１ａｘに従うリソース単位である、決定するステップと、
それぞれ位置の第１のセットにおいて前記フレームの第１のＲＵ内に第１の複数のパイロットを提供するステップと、
それぞれ位置の第２のセットにおいて前記フレームの第２のＲＵ内に第２の複数のパイロットを提供するステップと、
前記フレームを送信するステップと
を含み、位置の前記第１のセットは、位置の前記第２のセットとは異なり、
前記フレームは、直交周波数分割多元接続（ＯＦＤＭＡ）フレームであり、前記複数のＲＵは、それぞれ複数の副搬送波を含み、
前記第１のＲＵは、５２副搬送波ＲＵであり、奇数番号のインデックスを有する最低副搬送波を含み、
前記第２のＲＵは、５２副搬送波ＲＵであり、偶数番号のインデックスを有する最低副搬送波を含み、
位置の前記第１のセットは、前記第１のＲＵの最小のインデックスを有する副搬送波から５副搬送波離れて間隔を置いた第１のパイロットトーン位置、該第１のパイロットトーン位置から１３副搬送波によって分離された第２のパイロットトーン位置、該第２のパイロットトーン位置から１１副搬送波によって分離された第３のパイロットトーン位置、及び該第３のパイロットトーン位置から１３副搬送波によって分離され、前記第１のＲＵの最大のインデックスを有する副搬送波から６副搬送波離れて間隔を置いた第４のパイロットトーン位置を含み、
位置の前記第２のセットは、前記第２のＲＵの最小のインデックスを有する副搬送波から６副搬送波離れて間隔を置いた第５のパイロットトーン位置、該第５のパイロットトーン位置から１３副搬送波によって分離された第６のパイロットトーン位置、該第６のパイロットトーン位置から１１副搬送波によって分離された第７のパイロットトーン位置、及び該第７のパイロットトーン位置から１３副搬送波によって分離され、前記第２のＲＵの最大のインデックスを有する副搬送波から５副搬送波離れて間隔を置いた第８のパイロットトーン位置を含む、方法。
【請求項２】
フレームを送信するための無線デバイスの方法であって、当該方法は、
前記無線デバイスが、前記フレームの複数のリソースユニット（ＲＵ）を決定するステップであって、前記ＲＵは、ＯＦＤＭＡを採用した８０２．１１ａｘに従うリソース単位である、決定するステップと、
それぞれ位置の第１のセットにおいて前記フレームの第１のＲＵ内に第１の複数のパイロットを提供するステップと、
それぞれ位置の第２のセットにおいて前記フレームの第２のＲＵ内に第２の複数のパイロットを提供するステップと、
前記フレームを送信するステップと
を含み、位置の前記第１のセットは、位置の前記第２のセットとは異なり、
前記フレームは、直交周波数分割多元接続（ＯＦＤＭＡ）フレームであり、前記複数のＲＵは、それぞれ複数の副搬送波を含み、
前記第１のＲＵは、奇数番号のインデックスを有する最低副搬送波を含み、
前記第２のＲＵは、偶数番号のインデックスを有する最低副搬送波を含み、
前記第１のＲＵは、２６副搬送波ＲＵであり、
前記第２のＲＵは、２６副搬送波ＲＵであり、
位置の前記第１のセットは、前記第１のＲＵの最小のインデックスを有する副搬送波から５副搬送波離れて間隔を置いた第１のパイロットトーン位置と、該第１のパイロットトーン位置から１３副搬送波によって分離され、前記第１のＲＵの最大のインデックスを有する副搬送波から６副搬送波離れて間隔を置いた第２のパイロットトーン位置とを含み、
位置の前記第２のセットは、前記第２のＲＵの最小のインデックスを有する副搬送波から６副搬送波離れて間隔を置いた第３のパイロットトーン位置と、該第３のパイロットトーン位置から１３副搬送波によって分離され、前記第２のＲＵの最大のインデックスを有する副搬送波から５副搬送波離れて間隔を置いた第４のパイロットトーン位置とを含む、方法。
【請求項３】
前記方法は、
それぞれ位置の第３のセットにおいて前記フレームの第３のＲＵ内に第３の複数のパイロットを提供するステップを更に含み、
位置の前記第２のセットは、位置の前記第３のセットとは異なり、
前記第３のＲＵは、２６副搬送波ＲＵであり、
前記第３のＲＵは、ＤＣトーンによって１３個の正のインデックスを有する副搬送波と１３個の負のインデックスを有する副搬送波とに分割される中央ＲＵである、請求項２に記載の方法。
【請求項４】
フレームを送信するための無線デバイスの方法であって、当該方法は、
前記無線デバイスが、前記フレームの複数のリソースユニット（ＲＵ）を決定するステップであって、前記ＲＵは、ＯＦＤＭＡを採用した８０２．１１ａｘに従うリソース単位である、決定するステップと、
それぞれ位置の第１のセットにおいて前記フレームの第１のＲＵ内に第１の複数のパイロットを提供するステップと、
それぞれ位置の第２のセットにおいて前記フレームの第２のＲＵ内に第２の複数のパイロットを提供するステップと、
それぞれ位置の第３のセットにおいて前記フレームの第３のＲＵ内に第３の複数のパイロットを提供するステップを更に含み、
前記フレームを送信するステップと、
を含み、位置の前記第１のセットは、位置の前記第２のセットとは異なり、
前記フレームは、直交周波数分割多元接続（ＯＦＤＭＡ）フレームであり、前記複数のＲＵは、それぞれ複数の副搬送波を含み、
前記第１のＲＵは、２６副搬送波ＲＵであり、
前記第２のＲＵは、２６副搬送波ＲＵであり、
前記第１のＲＵは、奇数番号のインデックスを有する最低副搬送波を含み、
前記第２のＲＵは、偶数番号のインデックスを有する最低副搬送波を含み、
位置の前記第２のセットは、位置の前記第３のセットとは異なり、
前記第３のＲＵは、２６副搬送波ＲＵであり、
前記第３のＲＵは、ＤＣトーンによって１３個の正のインデックスを有する副搬送波と１３個の負のインデックスを有する副搬送波とに分割される中央ＲＵであり、
位置の前記第３のセットは、前記第３のＲＵの最小のインデックスを有する副搬送波から６副搬送波離れて間隔を置いた第５のパイロットトーン位置と、前記第３のＲＵの最大のインデックスを有する副搬送波から６副搬送波離れて間隔を置いた第６のパイロットトーン位置とを含む、方法。
【請求項５】
位置の前記第１のセットは、位置の前記第２のセットの鏡像である、請求項１、２又は４に記載の方法。
【請求項６】
前記フレームは、２Ｘ高効率（ＨＥ）ロングトレーニングフィールド（ＨＥ−ＬＴＦ）を含み、
位置の前記第１のセットは、それぞれ、前記２Ｘ  ＨＥ−ＬＴＦのシンボルの非ヌル副搬送波の位置に対応し、
位置の前記第２のセットは、それぞれ、前記２Ｘ  ＨＥ−ＬＴＦの前記シンボルの前記非ヌル副搬送波の前記位置に対応する、請求項１、２又は４に記載の方法。
【請求項７】
２０ＭＨｚチャネルの下側半分内のすべてのＲＵについてのパイロットトーン位置は、前記２０ＭＨｚチャネルの上側半分内の対応する鏡映されたＲＵについてのパイロットトーン位置に対して鏡面対称である、請求項１、２又は４に記載の方法。
【請求項８】
４０ＭＨｚチャネルの下側半分内のすべてのＲＵについてのパイロットトーン位置は、前記４０ＭＨｚチャネルの上側半分内の対応する鏡映されたＲＵについてのパイロットトーン位置に対して鏡面対称である、請求項１、２又は４に記載の方法。
【請求項９】
フレームを送信するための無線デバイスの方法であって、当該方法は、
ＯＦＤＡＭを採用した８０２．１１ａｘに従うリソースユニット内にパイロットを提供するステップと、
前記リソースユニットを含む前記フレームを送信するステップと、を含み、
前記リソースユニットの最低副搬送波が奇数インデックスを有するときは、複数のパイロットが、それぞれ前記リソースユニット内の位置の第１のセットにおいて含まれ、
前記リソースユニットの最低副搬送波が偶数インデックスを有するときは、複数のパイロットが、それぞれ前記リソースユニット内の位置の第２のセットにおいて含まれ、
位置の前記第２のセットは、位置の前記第１のセットとは異なり、
前記リソースユニットは、５２副搬送波リソースユニットであり、
位置の前記第１のセットは、前記リソースユニットの最小のインデックスを有する副搬送波から５副搬送波離れて間隔を置いた第１のパイロットトーン位置と、該第１のパイロットトーン位置から１３副搬送波によって分離された第２のパイロットトーン位置と、該第２のパイロットトーン位置から１１副搬送波によって分離された第３のパイロットトーン位置と、該第３のパイロットトーン位置から１３副搬送波によって分離され、前記リソースユニットの最大のインデックスを有する副搬送波から６副搬送波離れて間隔を置いた第４のパイロットトーン位置とを含み、
位置の前記第２のセットは、前記リソースユニットの最小のインデックスを有する副搬送波から６副搬送波離れて間隔を置いた第５のパイロットトーン位置と、該第５のパイロットトーン位置から１３副搬送波によって分離された第６のパイロットトーン位置と、該第６のパイロットトーン位置から１１副搬送波によって分離された第７のパイロットトーン位置と、該第７のパイロットトーン位置から１３副搬送波によって分離され、前記リソースユニットの最大のインデックスを有する副搬送波から５副搬送波離れて間隔を置いた第８のパイロットトーン位置とを含む、方法。
【請求項１０】
フレームを送信するための無線デバイスの方法であって、当該方法は、
ＯＦＤＡＭを採用した８０２．１１ａｘに従うリソースユニット内にパイロットを提供するステップと、
前記リソースユニットを含む前記フレームを送信するステップと、を含み、
前記リソースユニットの最低副搬送波が奇数インデックスを有するときは、複数のパイロットが、それぞれ前記リソースユニット内の位置の第１のセットにおいて含まれ、
前記リソースユニットの最低副搬送波が偶数インデックスを有するときは、複数のパイロットが、それぞれ前記リソースユニット内の位置の第２のセットにおいて含まれ、
位置の前記第２のセットは、位置の前記第１のセットとは異なり、
前記リソースユニットは、２６副搬送波リソースユニットであり、
位置の前記第１のセットは、前記リソースユニットの最小のインデックスを有する副搬送波から５副搬送波離れて間隔を置いた第１のパイロットトーン位置と、該第１のパイロットトーン位置から１３副搬送波によって分離され、前記リソースユニットの最大のインデックスを有する副搬送波から６副搬送波離れて間隔を置いた第２のパイロットトーン位置とを含み、
位置の前記第２のセットは、前記リソースユニットの最小のインデックスを有する副搬送波から６副搬送波離れて間隔を置いた第３のパイロットトーン位置と、該第３のパイロットトーン位置から１３副搬送波によって分離され、前記リソースユニットの最大のインデックスを有する副搬送波から５副搬送波離れて間隔を置いた第４のパイロットトーン位置とを含む、方法。
【請求項１１】
前記リソースユニットが、ＤＣトーンによって１３個の負のインデックスを有する副搬送波と１３個の正のインデックスを有する副搬送波とに分割される中央リソースユニットであるときに、複数のパイロットが、それぞれ前記リソースユニット内の位置の第３のセットにおいて含まれ、位置の前記第３のセットは、位置の前記第２のセットとは異なる、請求項１０に記載の方法。
【請求項１２】
フレームを送信するための無線デバイスの方法であって、当該方法は、
ＯＦＤＡＭを採用した８０２．１１ａｘに従うリソースユニット内にパイロットを提供するステップと、
前記リソースユニットを含む前記フレームを送信するステップと、を含み、
前記リソースユニットの最低副搬送波が奇数インデックスを有するときは、複数のパイロットが、それぞれ前記リソースユニット内の位置の第１のセットにおいて含まれ、
前記リソースユニットの最低副搬送波が偶数インデックスを有するときは、複数のパイロットが、それぞれ前記リソースユニット内の位置の第２のセットにおいて含まれ、
位置の前記第２のセットは、位置の前記第１のセットとは異なり、
前記リソースユニットは、２６副搬送波リソースユニットであり、
前記リソースユニットが、ＤＣトーンによって１３個の負のインデックスを有する副搬送波と１３個の正のインデックスを有する副搬送波とに分割される中央リソースユニットであるときに、複数のパイロットが、それぞれ前記リソースユニット内の位置の第３のセットにおいて含まれ、
位置の前記第３のセットは、位置の前記第２のセットとは異なり、
位置の前記第１のセットは、前記リソースユニットの最小のインデックスを有する副搬送波から５副搬送波離れて間隔を置いた第１のパイロットトーン位置と、該第１のパイロットトーン位置から１３副搬送波によって分離され、前記リソースユニットの最大のインデックスを有する副搬送波から６副搬送波離れて間隔を置いた第２のパイロットトーン位置とを含み、
位置の前記第２のセットは、前記リソースユニットの最小のインデックスを有する副搬送波から６副搬送波離れて間隔を置いた第３のパイロットトーン位置と、該第３のパイロットトーン位置から１３副搬送波によって分離され、前記リソースユニットの最大のインデックスを有する副搬送波から５副搬送波離れて間隔を置いた第４のパイロットトーン位置とを含み、
位置の前記第３のセットは、前記リソースユニットの最小のインデックスを有する副搬送波から６副搬送波離れて間隔を置いた第５のパイロットトーン位置と、前記リソースユニットの最大のインデックスを有する副搬送波から６副搬送波離れて間隔を置かれた第６のパイロットトーン位置とを含む、方法。
【請求項１３】
フレームを受信するための無線デバイスの方法であって、当該方法は、
パイロットを含むリソースユニットを含む前記フレームを受信するステップであって、前記リソースユニットは、ＯＦＤＭＡを採用した８０２．１１ａｘに従う、受信するステップと、
前記パイロットを処理するステップと、を含み、
前記リソースユニットの最低副搬送波が、奇数インデックスを有するときに、複数のパイロットが、それぞれ前記リソースユニット内の位置の第１のセットにおいて含まれ、
前記リソースユニットの最低副搬送波が、偶数インデックスを有するときに、複数のパイロットが、それぞれ前記リソースユニット内の位置の第２のセットにおいて含まれ、
位置の前記第２のセットは、位置の前記第１のセットとは異なり、
前記リソースユニットは、５２副搬送波リソースユニットであり、
位置の前記第１のセットは、前記リソースユニットの最小のインデックスを有する副搬送波から５副搬送波離れて間隔を置いた第１のパイロットトーン位置と、該第１のパイロットトーン位置から１３副搬送波によって分離された第２のパイロットトーン位置と、該第２のパイロットトーン位置から１１副搬送波によって分離された第３のパイロットトーン位置と、該第３のパイロットトーン位置から１３副搬送波によって分離され、前記リソースユニットの最大のインデックスを有する副搬送波から６副搬送波離れて間隔を置いた第４のパイロットトーン位置とを含み、
位置の前記第２のセットは、前記リソースユニットの最小のインデックスを有する副搬送波から６副搬送波離れて間隔を置いた第５のパイロットトーン位置と、該第５のパイロットトーン位置から１３副搬送波によって分離された第６のパイロットトーン位置と、該第６のパイロットトーン位置から１１副搬送波によって分離された第７のパイロットトーン位置と、該第７のパイロットトーン位置から１３副搬送波によって分離され、前記リソースユニットの最大のインデックスを有する副搬送波から５副搬送波離れて間隔を置かれた第８のパイロットトーン位置とを含む、方法。
【請求項１４】
フレームを受信するための無線デバイスの方法であって、当該方法は、
パイロットを含むリソースユニットを含む前記フレームを受信するステップであって、前記リソースユニットは、ＯＦＤＭＡを採用した８０２．１１ａｘに従う、受信するステップと、
前記パイロットを処理するステップと、を含み、
前記リソースユニットの最低副搬送波が、奇数インデックスを有するときに、複数のパイロットが、それぞれ前記リソースユニット内の位置の第１のセットにおいて含まれ、
前記リソースユニットの最低副搬送波が、偶数インデックスを有するときに、複数のパイロットが、それぞれ前記リソースユニット内の位置の第２のセットにおいて含まれ、
位置の前記第２のセットは、位置の前記第１のセットとは異なり、
前記リソースユニットは、２６副搬送波リソースユニットであり、
位置の前記第１のセットは、前記リソースユニットの最小のインデックスを有する副搬送波から５副搬送波離れて間隔を置いた第１のパイロットトーン位置と、前記第１のパイロットトーン位置から１３副搬送波によって分離され、前記リソースユニットの最大のインデックスを有する副搬送波から６副搬送波離れて間隔を置いた第２のパイロットトーン位置とを含み、
位置の前記第２のセットは、前記リソースユニットの最小のインデックスを有する副搬送波から６副搬送波離れて間隔を置いた第３のパイロットトーン位置と、前記第３のパイロットトーン位置から１３副搬送波によって分離され、前記リソースユニットの最大のインデックスを有する副搬送波から５副搬送波離れて間隔を置いた第４のパイロットトーン位置とを含む、方法。
【請求項１５】
前記リソースユニットが、ＤＣトーンによって１３個の負のインデックスを有する副搬送波と１３個の正のインデックスを有する副搬送波とに分割される中央リソースユニットであるときに、複数のパイロットが、それぞれ前記リソースユニット内の位置の第３のセットにおいて含まれ、
位置の前記第３のセットは、位置の前記第２のセットとは異なる、請求項１４に記載の方法。
【請求項１６】
フレームを受信するための無線デバイスの方法であって、当該方法は、
パイロットを含むリソースユニットを含む前記フレームを受信するステップであって、前記リソースユニットは、ＯＦＤＭＡを採用した８０２．１１ａｘに従う、受信するステップと、
前記パイロットを処理するステップと、を含み、
前記リソースユニットの最低副搬送波が、奇数インデックスを有するときに、複数のパイロットが、それぞれ前記リソースユニット内の位置の第１のセットにおいて含まれ、
前記リソースユニットの最低副搬送波が、偶数インデックスを有するときに、複数のパイロットが、それぞれ前記リソースユニット内の位置の第２のセットにおいて含まれ、
位置の前記第２のセットは、位置の前記第１のセットとは異なり、
前記リソースユニットは、２６副搬送波リソースユニットであり、
前記リソースユニットが、ＤＣトーンによって１３個の負のインデックスを有する副搬送波と１３個の正のインデックスを有する副搬送波とに分割される中央リソースユニットであるときに、複数のパイロットが、それぞれ前記リソースユニット内の位置の第３のセットにおいて含まれ、
位置の前記第３のセットは、位置の前記第２のセットとは異なり、
位置の前記第１のセットは、前記リソースユニットの最小のインデックスを有する副搬送波から５副搬送波離れて間隔を置いた第１のパイロットトーン位置と、前記第１のパイロットトーン位置から１３副搬送波によって分離され、前記リソースユニットの最大のインデックスを有する副搬送波から６副搬送波離れて間隔を置いた第２のパイロットトーン位置とを含み、
位置の前記第２のセットは、前記リソースユニットの最小のインデックスを有する副搬送波から６副搬送波離れて間隔を置いた第３のパイロットトーン位置と、前記第３のパイロットトーン位置から１３副搬送波によって分離され、前記リソースユニットの最大のインデックスを有する副搬送波から５副搬送波離れて間隔を置いた第４のパイロットトーン位置とを含み、
位置の前記第３のセットは、前記リソースユニットの最小のインデックスを有する副搬送波から６副搬送波離れて間隔を置いた第５のパイロットトーン位置と、前記リソースユニットの最大のインデックスを有する副搬送波から６副搬送波離れて間隔を置いた第６のパイロットトーン位置とを含む、方法。
【発明の詳細な説明】
【技術分野】
【０００１】
本願は、２０１５年５月８日に出願した米国仮出願第６２／１５９，１８７号の利益を主張し、その内容は参照によって本明細書に援用される。
【０００２】
本明細書で説明する技術は、概して無線ネットワーキングに関する。より具体的には、この技術は、パイロットトーンを使用して送信されるパイロットを含むシンボル（直交周波数分割多元接続（ＯＦＤＭＡ）フレーム内のシンボルなど）の送信及び受信に関する。
【背景技術】
【０００３】
無線ＬＡＮ（ＷＬＡＮ）デバイスが、現在、多様な環境で展開されている。これらの環境の一部は、地理的に制限された区域内に多数のアクセスポイント（ＡＰ）及び非ＡＰステーションを有する。更に、ＷＬＡＮデバイスは、ビデオ、クラウドアクセス、オフローディング等の様々なアプリケーションをサポートすることをますます要求される。具体的には、ビデオトラフィックは、多くの高効率ＷＬＡＮ展開で支配的なタイプのトラフィックになると予想される。これらのアプリケーションの一部のリアルタイム要件により、ＷＬＡＮユーザは、バッテリ動作デバイスの改善された電力消費を含め、彼らのアプリケーションの配信において改善された性能を要求する。
【０００４】
ＷＬＡＮは、ＩＥＥＥ（米国電気電子技術者協会）Ｐａｒｔ  １１によって、「Wireless  LAN  Medium  Access  Control(MAC)and  Physical  Layer(PHY)Specifications」という名前の下で標準化されている。ＩＥＥＥ  Ｓｔｄ  ８０２．１１（商標）−２０１２（２０１２年３月）（以下、ＩＥＥＥ  Ｓｔｄ  ８０２．１１）を含む一連の標準規格が、ＷＬＡＮが進化する際に採用されてきた。ＩＥＥＥ  Ｓｔｄ  ８０２．１１は、その後、ＩＥＥＥ  Ｓｔｄ  ８０２．１１ａｅ（商標）−２０１２、ＩＥＥＥ  Ｓｔｄ  ８０２．１１ａａ（商標）−２０１２、ＩＥＥＥ  Ｓｔｄ  ８０２．１１ａｄ（商標）−２０１２、及びＩＥＥＥ  Ｓｔｄ  ８０２．１１ａｃ（商標）−２０１３（以下、ＩＥＥＥ  ８０２．１１ａｃ）によって修正された。
【０００５】
最近、高密度シナリオでの高効率（ＨＥ）ＷＬＡＮの提供に焦点を合わせた修正が、ＩＥＥＥ  ８０２．１１ａｘタスクグループによって開発されつつある。８０２．１１ａｘ修正は、ステーションあたりの平均スループット、ステーションのグループのステーションあたりのスループットの第５パーセンタイル、及び区域スループットなど、ユーザ経験を反映するメトリックスの改善に焦点を合わせている。改善は、無線会社オフィス、屋外ホットスポット、高密度集合住宅、及びスタジアムなどの環境をサポートするために行われる。
【０００６】
ＨＥ  ＷＬＡＮは、直交周波数分割多元接続（ＯＦＤＭＡ）通信をサポートする。ＯＦＤＭＡ通信では、アクセスポイント（ＡＰ）は、ステーション内でそれぞれのリソースユニット（ＲＵ）（すなわち、サブチャネルのグループ）を割り振ることによって、複数のステーションと同時に通信することができる。
【０００７】
ＨＥ  ＷＬＡＮは、ＨＥフレームのデータフィールド内でのより長いシンボルの使用をもサポートする。たとえば、ＨＥフレームのプリアンブルは、サイクリックプリフィックス（ＣＰ）を除いて３．２マイクロ秒のそれぞれの持続時間を有する直交周波数分割多重（ＯＦＤＭ）シンボルを含むことができ、ＨＥフレームのデータフィールドは、ＣＰを除いて１２．８マイクロ秒のそれぞれの持続時間を有するＯＦＤＭシンボルを含むことができる。
【０００８】
ＯＦＤＭシンボルの持続時間は、ＯＦＤＭシンボルの復号又は生成にそれぞれ使用されるフーリエ変換（ＦＴ）又は逆フーリエ変換（ｉＦＴ）の入力要素の数に従って決定され得る。２０ＭＨｚ帯域幅内の、ＣＰを除いて３．２マイクロ秒の持続時間を有するＯＦＤＭシンボルは、６４個の入力要素を有するｉＦＴ（すなわち、６４要素ｉＦＴ）を使用して生成され、６４個の入力要素を有するＦＴ（すなわち、６４要素ＦＴ）を使用して復号され得る。２０ＭＨｚ帯域幅内の、ＣＰを除いて１２．８マイクロ秒の持続時間を有するＯＦＤＭシンボルは、２５６個の入力要素を有するｉＦＴ（すなわち、２５６要素ｉＦＴ）を使用して生成され、２５６個の入力要素を有するＦＴ（すなわち、２５６要素ＦＴ）を使用して復号され得る。ＦＴ又はｉＦＴの入力要素の数は、ＦＴ又はｉＦＴのサイズと呼ばれることがある。
【０００９】
パイロットは、８０２．１１システム内で、チャネル推定を実行し、搬送波周波数オフセット（ＣＦＯ）追跡を実行するのに使用される。チャネル推定に使用されるパイロットは、ロングトレーニングフィールド（ＬＴＦ）などのトレーニングフィールド内に含められ得る。
【００１０】
ＣＦＯは、たとえば、送信器の発振器と受信器の発振器との間の周波数不一致により、又は送信器及び受信器の相対運動に起因するドップラ効果により発生する可能性がある。チャネル状態が、受信されるフレームの持続時間にわたって変化しない場合であっても、残留ＣＦＯが、その持続時間にわたって変化する可能性がある。ＣＦＯが持続時間中に変化する可能性があるので、ＣＦＯ追跡用のパイロットが、データフィールドのシンボル内に含められ得る。そのようなパイロットは、シンボルのパイロットトーン位置に配置されるパイロットトーンによって搬送され得る。
【００１１】
理想的には、パイロットは、すべてのＯＦＤＭシンボル内に含められ、送信される信号の周波数帯域幅全体にまたがることで、ＣＦＯ追跡性能が、周波数ダイバーシティを含めることによって改善され得るようになる。パイロットを搬送するパイロットトーンの位置決めは、トレーニングフィールド内のシンボルとデータフィールド内のシンボルとの間及び異なるフーリエ変換（ＦＴ）サイズを使用して生成されるシンボルの間で変化する可能性がある。
【発明の概要】
【００１２】
一実施形態では、フレームを送信するための無線デバイスの方法は、無線デバイスによって、フレームの複数のリソースユニット（ＲＵ）を決定するステップと、それぞれ位置の第１のセットにおいてフレームの第１のＲＵ内に第１の複数のパイロットを提供するステップと、それぞれ位置の第２のセットにおいてフレームの第２のＲＵ内に第２の複数のパイロットを提供するステップと、フレームを送信するステップとを含む。位置の第１のセットは、位置の第２のセットとは異なる。
【００１３】
一実施形態では、フレームは、直交周波数分割多元接続（ＯＦＤＭＡ）フレームであり、複数のＲＵは、それぞれの複数の副搬送波を含む。
【００１４】
一実施形態では、第１のＲＵは、奇数番号のインデックスを有する最低副搬送波を含み、第２のＲＵは、偶数番号のインデックスを有する最低副搬送波を含む。
【００１５】
一実施形態では、第１のＲＵは、５２副搬送波ＲＵであり、第２のＲＵは、５２副搬送波ＲＵである。
【００１６】
一実施形態では、位置の第１のセットは、第１のＲＵの最小のインデックスを有する副搬送波から５副搬送波離れて間隔を置いた第１のパイロットトーン位置、第１のパイロットトーン位置から１３副搬送波によって分離された第２のパイロットトーン位置、第２のパイロットトーン位置から１１副搬送波によって分離された第３のパイロットトーン位置、及び第３のパイロットトーン位置から１３副搬送波によって分離され、第１のＲＵの最大のインデックスを有する副搬送波から６副搬送波離れて分離された第４のパイロットトーン位置を含む。第２のＲＵのパイロットトーンは、第１のＲＵの最小のインデックスを有する副搬送波から６副搬送波離れて間隔を置いた第５のパイロットトーン位置、第５のパイロットトーン位置から１３副搬送波によって分離された第６のパイロットトーン位置、第６のパイロットトーン位置から１１副搬送波によって分離された第７のパイロットトーン位置、及び第７のパイロットトーン位置から１３副搬送波によって分離され、第２のＲＵの最大のインデックスを有する副搬送波から５副搬送波離れて分離された第８のパイロットトーン位置を含む。
【００１７】
一実施形態では、第１のＲＵは、２６副搬送波ＲＵであり、第２のＲＵは、２６副搬送波ＲＵである。
【００１８】
一実施形態では、位置の第１のセットは、第１のＲＵの最小のインデックスを有する副搬送波から５副搬送波離れて間隔を置いた第１のパイロットトーン位置と、第１のパイロットトーン位置から１３副搬送波によって分離され、第１のＲＵの最大のインデックスを有する副搬送波から６副搬送波離れて間隔を置いた第２のパイロットトーン位置とを含む。位置の第２のセットは、第２のＲＵの最小のインデックスを有する副搬送波から６副搬送波離れて間隔を置いた第３のパイロットトーン位置と、第３のパイロットトーン位置から１３副搬送波によって分離され、第２のＲＵの最大のインデックスを有する副搬送波から５副搬送波離れて分離された第４のパイロットトーン位置とを含む。
【００１９】
一実施形態では、方法は、それぞれ位置の第３のセットにおいてフレームの第３のＲＵ内に第３の複数のパイロットを提供するステップを更に含む。位置の第２のセットは、位置の第３のセットとは異なり、第３のＲＵは、２６副搬送波ＲＵであり、第３のＲＵは、ＤＣトーンによって１３個の正のインデックスを有する副搬送波と１３個の負のインデックスを有する副搬送波とに分割される中央ＲＵである。
【００２０】
一実施形態では、位置の第３のセットは、第３のＲＵの最小のインデックスを有する副搬送波から６副搬送波離れて間隔を置いた第５のパイロットトーン位置と、第３のＲＵの最大のインデックスを有する副搬送波から６副搬送波離れて間隔を置いた第６のパイロットトーン位置とを含む。
【００２１】
一実施形態では、位置の第１のセットは、位置の第２のセットの鏡像である。
【００２２】
一実施形態では、フレームは、２Ｘ高効率（ＨＥ）ロングトレーニングフィールド（ＨＥ−ＬＴＦ）を含む。位置の第１のセットは、それぞれ、２Ｘ  ＨＥ−ＬＴＦのシンボルの非ヌル副搬送波の位置に対応する。位置の第２のセットは、それぞれ、２Ｘ  ＨＥ−ＬＴＦのシンボルの非ヌル副搬送波の位置に対応する。
【００２３】
一実施形態では、２０ＭＨｚチャネルの下側半分内のすべてのＲＵのパイロットトーン位置は、２０ＭＨｚチャネルの上側半分内の対応する鏡映されたＲＵのパイロットトーン位置に対して鏡面対称である。
【００２４】
一実施形態では、４０ＭＨｚチャネルの下側半分内のすべてのＲＵのパイロットトーン位置は、４０ＭＨｚチャネルの上側半分内の対応する鏡映されたＲＵのパイロットトーン位置に対して鏡面対称である。
【００２５】
一実施形態では、フレームを送信するための無線デバイスの方法は、リソースユニット内にパイロットを提供するステップと、リソースユニットを含むフレームを送信するステップとを含む。リソースユニットの最低副搬送波が奇数番号のインデックスを有するときは、複数のパイロットが、それぞれリソースユニット内の位置の第１のセットにおいて含まれる。リソースユニットの最低副搬送波が偶数番号のインデックスを有するときは、複数のパイロットが、それぞれリソースユニット内の位置の第２のセットにおいて含まれる。位置の第２のセットは、位置の第１のセットとは異なる。
【００２６】
一実施形態では、リソースユニットは、５２副搬送波リソースユニットである。
【００２７】
一実施形態では、位置の第１のセットは、リソースユニットの最小のインデックスを有する副搬送波から５副搬送波離れて間隔を置いた第１のパイロットトーン位置と、第１のパイロットトーン位置から１３副搬送波によって分離された第２のパイロットトーン位置と、第２のパイロットトーン位置から１１副搬送波によって分離された第３のパイロットトーン位置と、第３のパイロットトーン位置から１３副搬送波によって分離され、リソースユニットの最大のインデックスを有する副搬送波から６副搬送波離れて分離された第４のパイロットトーン位置とを含む。位置の第２のセットは、リソースユニットの最小のインデックスを有する副搬送波から６副搬送波離れて間隔を置かれた第５のパイロットトーン位置と、第５のパイロットトーン位置から１３副搬送波によって分離された第６のパイロットトーン位置と、第６のパイロットトーン位置から１１副搬送波によって分離された第７のパイロットトーン位置と、第７のパイロットトーン位置から１３副搬送波によって分離され、リソースユニットの最大のインデックスを有する副搬送波から５副搬送波離れて分離された第８のパイロットトーン位置とを含む。
【００２８】
一実施形態では、リソースユニットは、２６副搬送波リソースユニットである。
【００２９】
一実施形態では、位置の第１のセットは、リソースユニットの最小のインデックスを有する副搬送波から５副搬送波離れて間隔を置いた第１のパイロットトーン位置と、第１のパイロットトーン位置から１３副搬送波によって分離され、リソースユニットの最大のインデックスを有する副搬送波から６副搬送波離れて分離された第２のパイロットトーン位置とを含む。位置の第２のセットは、リソースユニットの最小のインデックスを有する副搬送波から６副搬送波離れて間隔を置かれた第３のパイロットトーン位置と、第３のパイロットトーン位置から１３副搬送波によって分離され、リソースユニットの最大のインデックスを有する副搬送波から５副搬送波離れて分離された第４のパイロットトーン位置とを含む。
【００３０】
一実施形態では、リソースユニットが、ＤＣトーンによって１３個の負のインデックスを有する副搬送波と１３個の正のインデックスを有する副搬送波とに分割される中央リソースユニットであるときは、複数のパイロットが、それぞれリソースユニット内の位置の第３のセットにおいて含まれる。位置の第３のセットは、位置の第２のセットとは異なる。
【００３１】
一実施形態では、位置の第１のセットは、リソースユニットの最小のインデックスを有する副搬送波から５副搬送波離れて間隔を置いた第１のパイロットトーン位置と、第１のパイロットトーン位置から１３副搬送波によって分離され、リソースユニットの最大のインデックスを有する副搬送波から６副搬送波離れて分離された第２のパイロットトーン位置とを含む。位置の第２のセットは、リソースユニットの最小のインデックスを有する副搬送波から６副搬送波離れて間隔を置かれた第３のパイロットトーン位置と、第３のパイロットトーン位置から１３副搬送波によって分離され、リソースユニットの最大のインデックスを有する副搬送波から５副搬送波離れて分離された第４のパイロットトーン位置とを含む。位置の第３のセットは、リソースユニットの最小のインデックスを有する副搬送波から６副搬送波離れて間隔を置いた第５のパイロットトーン位置と、リソースユニットの最大のインデックスを有する副搬送波から６副搬送波離れて間隔を置いた第６のパイロットトーン位置とを含む。
【００３２】
一実施形態では、フレームを受信するための無線デバイスの方法は、フレームを受信するステップを含む。フレームは、リソースユニットを含む。リソースユニットは、パイロットを含む。方法は、パイロットを処理するステップを含む。リソースユニットの最低副搬送波が、奇数番号のインデックスを有するときは、複数のパイロットが、それぞれリソースユニット内の位置の第１のセットにおいて含まれる。リソースユニットの最低副搬送波が、偶数番号のインデックスを有するときは、複数のパイロットが、それぞれリソースユニット内の位置の第２のセットにおいて含まれる。位置の第２のセットは、位置の第１のセットとは異なる。
【００３３】
一実施形態では、リソースユニットは、５２副搬送波リソースユニットである。
【００３４】
一実施形態では、位置の第１のセットは、リソースユニットの最小のインデックスを有する副搬送波から５副搬送波離れて間隔を置いた第１のパイロットトーン位置と、第１のパイロットトーン位置から１３副搬送波によって分離された第２のパイロットトーン位置と、第２のパイロットトーン位置から１１副搬送波によって分離された第３のパイロットトーン位置と、第３のパイロットトーン位置から１３副搬送波によって分離され、リソースユニットの最大のインデックスを有する副搬送波から６副搬送波離れて分離された第４のパイロットトーン位置とを含む。位置の第２のセットは、リソースユニットの最小のインデックスを有する副搬送波から６副搬送波離れて間隔を置かれた第５のパイロットトーン位置と、第５のパイロットトーン位置から１３副搬送波によって分離された第６のパイロットトーン位置と、第６のパイロットトーン位置から１１副搬送波によって分離された第７のパイロットトーン位置と、第７のパイロットトーン位置から１３副搬送波によって分離され、リソースユニットの最大のインデックスを有する副搬送波から５副搬送波離れて間隔を置いた第８のパイロットトーン位置とを含む。
【００３５】
一実施形態では、リソースユニットは、２６副搬送波リソースユニットである。
【００３６】
一実施形態では、位置の第１のセットは、リソースユニットの最小のインデックスを有する副搬送波から５副搬送波離れて間隔を置いた第１のパイロットトーン位置と、第１のパイロットトーン位置から１３副搬送波によって分離され、リソースユニットの最大のインデックスを有する副搬送波から６副搬送波離れて間隔を置いた第２のパイロットトーン位置とを含む。位置の第２のセットは、リソースユニットの最小のインデックスを有する副搬送波から６副搬送波離れて間隔を置かれた第３のパイロットトーン位置と、第３のパイロットトーン位置から１３副搬送波によって分離され、リソースユニットの最大のインデックスを有する副搬送波から５副搬送波離れて間隔を置かれた第４のパイロットトーン位置とを含む。
【００３７】
一実施形態では、リソースユニットが、ＤＣトーンによって１３個の負のインデックスを有する副搬送波と１３個の正のインデックスを有する副搬送波とに分割される中央リソースユニットであるときは、複数のパイロットが、それぞれリソースユニット内の位置の第３のセットにおいて含まれる。位置の第３のセットは、位置の第２のセットとは異なる。
【００３８】
一実施形態では、位置の第１のセットは、リソースユニットの最小のインデックスを有する副搬送波から５副搬送波離れて間隔を置かれた第１のパイロットトーン位置と、第１のパイロットトーン位置から１３副搬送波によって分離され、リソースユニットの最大のインデックスを有する副搬送波から６副搬送波離れて間隔を置いた第２のパイロットトーン位置とを含む。位置の第２のセットは、リソースユニットの最小のインデックスを有する副搬送波から６副搬送波離れて間隔を置いた第３のパイロットトーン位置と、第３のパイロットトーン位置から１３副搬送波によって分離され、リソースユニットの最大のインデックスを有する副搬送波から５副搬送波離れて間隔を置かれた第４のパイロットトーン位置とを含む。位置の第３のセットは、リソースユニットの最小のインデックスを有する副搬送波から６副搬送波離れて間隔を置かれた第５のパイロットトーン位置と、リソースユニットの最大のインデックスを有する副搬送波から６副搬送波離れて間隔を置かれた第６のパイロットトーン位置とを含む。
【図面の簡単な説明】
【００３９】
【図１】一実施形態による無線ネットワークを示す図である。
【図２】一実施形態による無線デバイスを示す概略図である。
【図３Ａ】一実施形態によるデータを送信するように構成された無線デバイスの構成要素を示す図である。
【図３Ｂ】一実施形態によるデータを受信するように構成された無線デバイスの構成要素を示す図である。
【図４Ａ】一実施形態による高効率（ＨＥ）ロングトレーニングフィールド（ＬＴＦ）を含む直交周波数分割多元接続（ＯＦＤＭＡ）フレームを示す図である。
【図４Ｂ】一実施形態による、偶数マッピングを有する２Ｘ  ＬＴＦのトーンに対応するトーンの偶数整列されたリソースユニット（ＲＵ）内の位置を示す図である。
【図４Ｃ】一実施形態による、奇数マッピングを有する２Ｘ  ＬＴＦのトーンに対応するトーンの偶数整列されたＲＵ内の位置を示す図である。
【図４Ｄ】一実施形態による４Ｘ  ＬＴＦのトーンに対応するトーンのＲＵ内の位置を示す図である。
【図５Ａ】一実施形態による２０ＭＨｚ帯域幅内の偶数ＲＵ及び奇数ＲＵを示す図である。
【図５Ｂ】図５ＡのＲＵの副搬送波インデックスをリストする表である。
【図６】一実施形態による４０ＭＨｚ帯域幅内の偶数ＲＵ及び奇数ＲＵを示す図である。
【図７】一実施形態による８０ＭＨｚ帯域幅内の偶数ＲＵ及び奇数ＲＵを示す図である。
【図８Ａ】別の実施形態による２０ＭＨｚ帯域幅内の偶数ＲＵ及び奇数ＲＵを示す図である。
【図８Ｂ】図８ＡのＲＵの副搬送波インデックスをリストする表である。
【図９】別の実施形態による４０ＭＨｚ帯域幅内の偶数ＲＵ及び奇数ＲＵを示す図である。
【図１０】一実施形態によるＲＵを示す図である。
【図１１】一実施形態による、図１０のＲＵに対する鏡面対称を有するＲＵを示す図である。
【図１２】一実施形態による、設計Ａの代替案１の２６副搬送波ＲＵを示す図である。
【図１３】一実施形態による、設計Ａの代替案１の２６副搬送波ＲＵを示す図である。
【図１４】一実施形態による、設計Ａの代替案１の２６副搬送波ＲＵを示す図である。
【図１５】一実施形態による、設計Ａの代替案１の２６副搬送波ＲＵを示す図である。
【図１６】一実施形態による、設計Ａの代替案１の中央２６副搬送波ＲＵを示す図である。
【図１７】一実施形態による、設計Ａの代替案１の中央２６副搬送波ＲＵを示す図である。
【図１８】一実施形態による、設計Ａの代替案１の中央２６副搬送波ＲＵを示す図である。
【図１９】一実施形態による、設計Ａの代替案１の５２副搬送波ＲＵを示す図である。
【図２０】一実施形態による、設計Ａの代替案１の５２副搬送波ＲＵを示す図である。
【図２１】一実施形態による、設計Ａの代替案１の５２副搬送波ＲＵを示す図である。
【図２２】一実施形態による、設計Ａの代替案１の５２副搬送波ＲＵを示す図である。
【図２３】設計Ａの代替案１の１０６副搬送波ＲＵの実施形態のためのパイロットトーン位置を示す表３を含む図である。
【図２４】設計Ａの代替案１の１０８副搬送波ＲＵの実施形態のためのパイロットトーン位置を示す表４を含む図である。
【図２５】設計Ａの代替案１の２４２副搬送波ＲＵの実施形態のためのパイロットトーン位置を示す表５を含む図である。
【図２６】設計Ａの代替案１の２４２副搬送波ＲＵの実施形態のためのパイロットトーン位置を示す表６を含む図である。
【図２７】設計Ａの代替案１の中央２４２副搬送波ＲＵの実施形態のためのパイロットトーン位置を示す表７を含む図である。
【図２８】一実施形態による、設計Ａの代替案２の２６副搬送波ＲＵを示す図である。
【図２９】一実施形態による、設計Ａの代替案２の２６副搬送波ＲＵを示す図である。
【図３０】一実施形態による、設計Ａの代替案２の中央２６副搬送波ＲＵを示す図である。
【図３１】一実施形態による、設計Ａの代替案２の５２副搬送波ＲＵを示す図である。
【図３２】一実施形態による、設計Ａの代替案２の５２副搬送波ＲＵを示す図である。
【図３３Ａ】一実施形態による、ケース１の２０ＭＨｚ帯域幅（ＢＷ）のＲＵについてのパイロットトーン位置を示す図である。
【図３３Ｂ】一実施形態による、２０ＭＨｚ  ＢＷ内のパイロットトーン相対位置を示す表９を含む図である。
【図３４】一実施形態による、ケース１の２０ＭＨｚ  ＢＷのＲＵについてのパイロットトーン位置を示す図である。
【図３５】一実施形態による、ケース１の２０ＭＨｚ  ＢＷのＲＵについてのパイロットトーン位置を示す図である。
【図３６】一実施形態による、ケース１の２０ＭＨｚ  ＢＷのＲＵについてのパイロットトーン位置を示す図である。
【図３７】一実施形態による、ケース１の２０ＭＨｚ  ＢＷのＲＵについてのパイロットトーン位置を示す図である。
【図３８】一実施形態による、ケース１の２０ＭＨｚ  ＢＷのＲＵについてのパイロットトーン位置を示す図である。
【図３９】一実施形態による、ケース１の２０ＭＨｚ  ＢＷのＲＵについてのパイロットトーン位置を示す図である。
【図４０】一実施形態による、ケース１の２０ＭＨｚ  ＢＷのＲＵについてのパイロットトーン位置を示す図である。
【図４１】一実施形態による、ケース１の２０ＭＨｚ  ＢＷのＲＵについてのパイロットトーン位置を示す図である。
【図４２】一実施形態による、ケース１の２０ＭＨｚ  ＢＷのＲＵについてのパイロットトーン位置を示す図である。
【図４３】一実施形態による、ケース１の２０ＭＨｚ  ＢＷのＲＵについてのパイロットトーン位置を示す図である。
【図４４】一実施形態による、ケース１の２０ＭＨｚ  ＢＷのＲＵについてのパイロットトーン位置を示す図である。
【図４５】一実施形態による、ケース１の２０ＭＨｚ  ＢＷのＲＵについてのパイロットトーン位置を示す図である。
【図４６Ａ】一実施形態による、ケース１の４０ＭＨｚ帯域幅（ＢＷ）のＲＵについてのパイロットトーン位置を示す図である。
【図４６Ｂ】一実施形態による４０ＭＨｚ  ＢＷ内のパイロットトーン相対位置を示す表１０を含む図である。
【図４７】一実施形態による、ケース１の４０ＭＨｚ  ＢＷのＲＵについてのパイロットトーン位置を示す図である。
【図４８】一実施形態による、ケース１の４０ＭＨｚ  ＢＷのＲＵについてのパイロットトーン位置を示す図である。
【図４９】一実施形態による、ケース１の４０ＭＨｚ  ＢＷのＲＵについてのパイロットトーン位置を示す図である。
【図５０】一実施形態による、ケース１の４０ＭＨｚ  ＢＷのＲＵについてのパイロットトーン位置を示す図である。
【図５１】一実施形態による、ケース１の４０ＭＨｚ  ＢＷのＲＵについてのパイロットトーン位置を示す図である。
【図５２】一実施形態による、ケース１の４０ＭＨｚ  ＢＷのＲＵについてのパイロットトーン位置を示す図である。
【図５３】一実施形態による、ケース１の４０ＭＨｚ  ＢＷのＲＵについてのパイロットトーン位置を示す図である。
【図５４Ａ】一実施形態による、ケース２の２０ＭＨｚ帯域幅（ＢＷ）のＲＵについてのパイロットトーン位置を示す図である。
【図５４Ｂ】一実施形態による、２０ＭＨｚ  ＢＷ内のパイロットトーン相対位置を示す表１１を含む図である。
【図５５】一実施形態による、ケース２の２０ＭＨｚ  ＢＷのＲＵについてのパイロットトーン位置を示す図である。
【図５６】一実施形態による、ケース２の２０ＭＨｚ  ＢＷのＲＵについてのパイロットトーン位置を示す図である。
【図５７】一実施形態による、ケース２の２０ＭＨｚ  ＢＷのＲＵについてのパイロットトーン位置を示す図である。
【図５８】一実施形態による、ケース２の２０ＭＨｚ  ＢＷのＲＵについてのパイロットトーン位置を示す図である。
【図５９Ａ】一実施形態による、ケース２の４０ＭＨｚ帯域幅（ＢＷ）のＲＵについてのパイロットトーン位置を示す図である。
【図５９Ｂ】一実施形態による４０ＭＨｚ  ＢＷ内のパイロットトーン相対位置を示す表１２を含む図である。
【図６０】一実施形態による、ケース２の４０ＭＨｚ  ＢＷのＲＵについてのパイロットトーン位置を示す図である。
【図６１】一実施形態による、ケース２の４０ＭＨｚ  ＢＷのＲＵについてのパイロットトーン位置を示す図である。
【図６２】一実施形態による、ケース２の４０ＭＨｚ  ＢＷのＲＵについてのパイロットトーン位置を示す図である。
【図６３】一実施形態による、ケース２の４０ＭＨｚ  ＢＷのＲＵについてのパイロットトーン位置を示す図である。
【図６４】一実施形態による、ケース２の４０ＭＨｚ  ＢＷのＲＵについてのパイロットトーン位置を示す図である。
【図６５】諸実施形態による、ケース２の４０ＭＨｚ  ＢＷのＲＵについてのパイロットトーン位置を示す図である。
【図６６】諸実施形態による、ケース１のパイロットトーン位置についてのオプションを示す図である。
【図６７】諸実施形態による、ケース１のパイロットトーン位置についての別のオプションを示す図である。
【図６８】諸実施形態による、ケース１のパイロットトーン位置についての別のオプションを示す図である。
【図６９】諸実施形態による、ケース１のパイロットトーン位置についての別のオプションを示す図である。
【図７０】諸実施形態による、ケース１のパイロットトーン位置についての別のオプションを示す図である。
【図７１】諸実施形態による、ケース１のパイロットトーン位置についての別のオプションを示す図である。
【図７２】諸実施形態による、ケース１のパイロットトーン位置についての別のオプションを示す図である。
【図７３】諸実施形態による、ケース２のパイロットトーン位置についてのオプションを示す図である。
【図７４】諸実施形態による、ケース２のパイロットトーン位置についての別のオプションを示す図である。
【図７５】諸実施形態による、ケース２のパイロットトーン位置についての別のオプションを示す図である。
【図７６】諸実施形態による、ケース２のパイロットトーン位置についての別のオプションを示す図である。
【図７７】諸実施形態による、ケース２のパイロットトーン位置についての別のオプションを示す図である。
【図７８】諸実施形態による、ケース２のパイロットトーン位置についての別のオプションを示す図である。
【図７９】一実施形態による、無線ネットワーク内でフレームを送信するためのプロセスを示す図である。
【図８０】一実施形態による、無線ネットワーク内でフレームを送信するための別のプロセスを示す図である。
【図８１】一実施形態による、フレームを送信するためのプロセスを示す図である。
【図８２】一実施形態による、パイロットを提供するためのサブプロセスを示す図である。
【図８３】一実施形態による、フレームを受信するためのプロセスを示す図である。
【図８４】一実施形態による、パイロットを取得するためのサブプロセスを示す図である。
【発明を実施するための形態】
【００４０】
本開示の実施形態は、概して無線ネットワーキングに関連し、より具体的には、フレームのロングトレーニングフィールド（ＬＴＦ）内のシンボル及びデータフィールド内の直交周波数分割多重（ＯＦＤＭ）シンボルに関して同一のＦＦＴサイズ及び異なるＦＦＴサイズをサポートするためにＯＦＤＭシンボル内でパイロットを提供し、処理することに関連し、フレームは、無線ネットワーク内で送信されるフレームである。
【００４１】
以下の詳細な説明では、ある種の例示的な実施形態を図示し、説明るしている。当業者が了解するように、これらの実施形態は、本開示の範囲から逸脱せずに様々な異なるやり方で変更され得る。したがって、図面及び説明は、本質的に例示的であって制限的ではないものと見なされるべきである。同様の符号は、本明細書で同様の要素を指定する。
【００４２】
図１は、一実施形態による無線ネットワークを示す。無線ネットワークは、無線ローカルエリアネットワーク（ＷＬＡＮ）のインフラストラクチャベーシックサービスセット（ＢＳＳ）１００を含む。８０２．１１無線ＬＡＮでは、ＢＳＳは、基本構成要素を提供し、代表的には、アクセスポイント（ＡＰ）と１つ又は複数の関連するステーション（ＳＴＡ）とを含む。図１では、ＢＳＳ１００は、第１、第２、第３、及び第４の無線デバイス（又はステーション）１０４、１０６、１０８、及び１１０（それぞれＳＴＡ１、ＳＴＡ２、ＳＴＡ３、及びＳＴＡ４とも称する）と無線で通信するアクセスポイント１０２（ＡＰとも称する）を含む。無線デバイスは、それぞれ、ＩＥＥＥ  ８０２．１１標準規格に従って媒体アクセス制御層（ＭＡＣ）及び物理層（ＰＨＹ）を含むことができる。
【００４３】
図１の例は、第１から第４のステーションＳＴＡ１からＳＴＡ４だけを含むＢＳＳ１００だけを示すが、諸実施形態は、これに限定されず、任意の個数のＳＴＡを含むＢＳＳを含むことができる。
【００４４】
ＡＰ１０２は、ＢＳＳ１００の機能を制御し、調整するように構成されたステーションすなわちＳＴＡである。ＡＰ１０２は、単一のフレームを使用して、ＢＳＳ１００内の複数のステーションＳＴＡ１からＳＴＡ４から選択された単一のステーションに情報を送信することができ、或いは、単一の直交周波数分割多重（ＯＦＤＭ）ブロードキャストフレーム、単一のＯＦＤＭマルチユーザマルチインプットマルチアウトプット（ＭＵ−ＭＩＭＯ）送信、又は単一の直交周波数分割多元接続（ＯＦＤＭＡ）フレームのいずれかを使用して、ＢＳＳ１００内のステーションＳＴＡ１からＳＴＡ４のうちの２つ以上に情報を同時に送信することができる。
【００４５】
ステーションＳＴＡ１からＳＴＡ４は、それぞれ、単一のフレームを使用してＡＰ１０２にデータを送信し、又は単一のフレームを使用して互いに情報を送信し、情報を受信することができる。ステーションＳＴＡ１からＳＴＡ４のうちの２つ以上が、アップリンク（ＵＬ）ＯＦＤＭＡフレームを使用してＡＰ１０２にデータを同時に送信することができる。ＢＳＳ１００が、空間分割多元接続（ＳＤＭＡ）をサポートするときは、ステーションＳＴＡ１からＳＴＡ４のうちの２つ以上が、ＵＬ  ＭＵ−ＭＩＭＯフレームを使用してＡＰ１０２にデータを同時に送信することができる。
【００４６】
別の実施形態では、ＡＰ１０２は、不在とされ得、ステーションＳＴＡ１からＳＴＡ４は、アドホックネットワーク内とされ得る。
【００４７】
ステーションＳＴＡ１からＳＴＡ４及びＡＰ１０２のそれぞれは、プロセッサ及びトランシーバを含み、ユーザインターフェース及びディスプレイデバイスを更に含むことができる。
【００４８】
プロセッサは、無線ネットワークを介して送信されるフレームを生成し、無線ネットワークを介して受信されたフレームを処理し、無線ネットワークのプロトコルを実行するように構成される。プロセッサは、非一時的コンピュータ読取り可能な媒体上に記憶されたコンピュータプログラミング命令を実行することによってその機能の一部又はすべてを実行することができる。トランシーバは、プロセッサに機能的に接続され、無線ネットワークを介してフレームを送信し、受信するように設計されたユニットを表す。
【００４９】
トランシーバは、送信の機能及び受信の機能を実行する単一の構成要素、又はそれぞれがそのような機能のうちの１つを実行する２つの別々の構成要素を含むことができる。プロセッサ及びトランシーバは、ステーションＳＴＡ１からＳＴＡ４及びＡＰ１０２のそれぞれにおいて、それぞれのハードウェア構成要素、ソフトウェア構成要素、又はその両方を使用して実装され得る。
【００５０】
ＡＰ１０２は、ＷＬＡＮルータ、独立型アクセスポイント、ＷＬＡＮブリッジ、ＷＬＡＮコントローラによって管理される軽量アクセスポイント（ＬＷＡＰ）等とすることができ、又はこれを含むことができる。追加的に、パーソナルコンピュータ、タブレットコンピュータ、又はセルラ電話機などのデバイスは、セルラ電話機が無線「ホットスポット」として動作するように構成されるときなどに、ＡＰ１０２として動作することが可能であることがある。
【００５１】
ステーションＳＴＡ１からＳＴＡ４のそれぞれは、デスクトップコンピュータ、ラップトップコンピュータ、タブレットＰＣ、無線電話機、携帯電話機、スマートフォン、電子ブックリーダー、ポータブルマルチメディアプレイヤ（ＰＭＰ）、ポータブルゲーム機、ナビゲーションシステム、デジタルカメラ、デジタルマルチメディアブロードキャスティング（ＤＭＢ）プレイヤ、デジタルオーディオレコーダ、デジタルオーディオプレイヤ、デジタルピクチャレコーダ、デジタルピクチャプレイヤ、デジタルビデオレコーダ、デジタルビデオプレイヤ等とすることができ、又はこれを含むことができる。
【００５２】
本開示は、ＩＥＥＥ  ８０２．１１標準規格に従うＷＬＡＮシステムに適用され得るが、これに限定されない。
【００５３】
ＩＥＥＥ  ８０２．１１標準規格では、ステーション（アクセスポイントを含む）の間で交換されるフレームは、管理フレーム、制御フレーム、及びデータフレームに分類される。管理フレームは、通信プロトコルスタックの上位層に転送されない管理情報を交換するのに使用されるフレームとすることができる。制御フレームは、媒体へのアクセスを制御するのに使用されるフレームとすることができる。データフレームは、通信プロトコルスタックの上位層に転送されるデータを送信するのに使用されるフレームとすることができる。
【００５４】
各フレームのタイプ及びサブタイプは、適用可能な標準規格で規定されるように、フレームの制御フィールド内に含まれるタイプフィールド及びサブタイプフィールドを使用して識別され得る。
【００５５】
図２は、一実施形態による無線デバイス２００の概略ブロック図を示す。無線デバイス又はＷＬＡＮデバイス２００は、ＢＳＳ内の任意のデバイス、たとえば、図１のＡＰ１０２又はステーションＳＴＡ１からＳＴＡ４のいずれかを表すことができる。ＷＬＡＮデバイス２００は、ベースバンドプロセッサ２１０、ラジオ周波数（ＲＦ）トランシーバ２４０、アンテナユニット２５０、ストレージデバイス（たとえば、メモリ）２３２、１つ又は複数の入力インターフェース２３４、及び１つ又は複数の出力インターフェース２３６を含む。ベースバンドプロセッサ２１０、メモリ２３２、入力インターフェース２３４、出力インターフェース２３６、及びＲＦトランシーバ２４０は、バス２６０を介して互いに通信することができる。
【００５６】
ベースバンドプロセッサ２１０は、ベースバンド信号処理を実行し、ＭＡＣプロセッサ２１２及びＰＨＹプロセッサ２２２を含む。ベースバンドプロセッサ２１０は、ストレージデバイス２３２を利用することができ、このストレージデバイス２３２は、ソフトウェア（たとえば、コンピュータプログラミング命令）及びデータがその中に記憶された非一時的コンピュータ読み取り可能媒体を含むことができる。
【００５７】
一実施形態では、ＭＡＣプロセッサ２１２は、ＭＡＣソフトウェア処理ユニット２１４及びＭＡＣハードウェア処理ユニット２１６を含む。ＭＡＣソフトウェア処理ユニット２１４は、ＭＡＣソフトウェアを実行することによってＭＡＣ層の第１の複数の機能を実施することができ、このＭＡＣソフトウェアは、ストレージデバイス２３２内に記憶されたソフトウェア内に含められ得る。ＭＡＣハードウェア処理ユニット２１６は、以下で「ＭＡＣハードウェア」と称する専用ハードウェア内でＭＡＣ層の第２の複数の機能を実施することができる。しかし、ＭＡＣプロセッサ２１２は、これに限定されない。たとえば、ＭＡＣプロセッサ２１２は、第１及び第２の複数の機能を、一実施態様に従って完全にソフトウェアで又は完全にハードウェアで実行するように構成され得る。
【００５８】
ＰＨＹプロセッサ２２２は、送信信号処理ユニット２２４及び受信信号処理ユニット２２６を含む。ＰＨＹプロセッサ２２２は、ＰＨＹ層の複数の機能を実装する。これらの機能は、実施態様に従って、ソフトウェア、ハードウェア、又はその組合せで実行され得る。
【００５９】
送信信号処理ユニット２２４によって実行される機能は、順方向誤り訂正（ＦＥＣ）符号化、１つ又は複数の空間ストリームへのストリーム解析、複数の時空ストリームへの空間ストリームのダイバーシティ符号化、チェーンを送信するための時空ストリームの空間マッピング、逆フーリエ変換（ｉＦＴ）計算、ガードインターバル（ＧＩ）を作成するためのサイクリックプリフィックス（ＣＰ）挿入等のうちの１つ又は複数を含むことができる。
【００６０】
ＲＦトランシーバ２４０は、ＲＦ送信器２４２及びＲＦ受信器２４４を含む。ＲＦトランシーバ２４０は、ベースバンドプロセッサ２１０から受信された第１の情報をＷＬＡＮに送信し、ＷＬＡＮから受信された第２の情報をベースバンドプロセッサ２１０に供給するように構成される。
【００６１】
アンテナユニット２５０は、１つ又は複数のアンテナを含む。マルチインプットマルチアウトプット（ＭＩＭＯ）又はマルチユーザＭＩＭＯ（ＭＵ−ＭＩＭＯ）が使用されるときは、アンテナユニット２５０は、複数のアンテナを含むことができる。一実施形態では、アンテナユニット２５０内のアンテナは、ビームフォーミングされたアンテナアレイとして動作することができる。一実施形態では、アンテナユニット２５０内のアンテナは、指向性アンテナとすることができ、固定され又はステアリング可能とすることができる。
【００６２】
入力インターフェース２３４は、ユーザから情報を受信し、出力インターフェース２３６は、ユーザに情報を出力する。入力インターフェース２３４は、キーボード、キーパッド、マウス、タッチスクリーン、マイクロフォン等のうちの１つ又は複数を含むことができる。出力インターフェース２３６は、ディスプレイデバイス、タッチスクリーン、スピーカ等のうちの１つ又は複数を含むことができる。
【００６３】
本明細書で説明するように、ＷＬＡＮデバイス２００の多くの機能は、ハードウェア又はソフトウェアのいずれかで実施され得る。どの機能がソフトウェアで実施され、どの機能がハードウェアで実施されるのかは、設計に課せられる制約に従って変化する。制約は、設計コスト、製造コスト、市場に出るまでの時間、電力消費、使用可能な半導体技術等のうちの１つ又は複数を含むことができる。
【００６４】
本明細書で説明するように、非常に様々な電子デバイス、回路、ファームウェア、ソフトウェア、及びその組合せが、ＷＬＡＮデバイス２００の構成要素の機能を実装するのに使用され得る。さらに、ＷＬＡＮデバイス２００は、アプリケーションプロセッサ、ストレージインターフェース、クロックジェネレータ回路、電源回路等の他の構成要素を含むことができるが、これらは、簡潔にするために省略されている。
【００６５】
図３Ａは、送信（Ｔｘ）信号処理ユニット（ＴｘＳＰ）３２４、ＲＦ送信器３４２、及びアンテナ３５２を含む、一実施形態によるデータを送信するように構成された無線デバイスの構成要素を示す。一実施形態では、ＴｘＳＰ３２４、ＲＦ送信器３４２、及びアンテナ３５２は、それぞれ図２の送信信号処理ユニット２２４、ＲＦ送信器２４２、及びアンテナユニット２５０のアンテナに対応する。
【００６６】
ＴｘＳＰ３２４は、符号器３００、インターリーバ３０２、マッパ３０４、逆フーリエ変換器（ＩＦＴ）３０６、及びガードインターバル（ＧＩ）インサータ３０８を含む。
【００６７】
符号器３００は、入力データを受信し、符号化する。一実施形態では、符号器３００は、順方向誤り訂正（ＦＥＣ）符号器を含む。ＦＥＣ符号器は、二進畳み込み符号（ＢＣＣ）符号器とそれに続くバンクチャリングデバイスとを含むことができる。ＦＥＣ符号器は、低密度パリティ検査（ＬＤＰＣ）符号器を含むことができる。
【００６８】
ＴｘＳＰ３２４は、０又は１の長いシーケンスの確率を下げるために、符号化が符号器３００によって実行される前に、入力データをスクランブルするためのスクランブラを更に含むことができる。符号器３００がＢＣＣ符号化を実行するときは、ＴｘＳＰ３２４は、複数のＢＣＣ符号器の中でスクランブルされたビットを多重化解除するための符号器パーサを更に含むことができる。ＬＤＰＣ符号化が符号器内で使用される場合には、ＴｘＳＰ３２４は、符号器パーサを使用しなくてもよい。
【００６９】
インターリーバ３０２は、符号器３００からの各ストリーム出力のビットをインターリーブして、その中のビットの順序を変更する。インターリーバ３０２は、符号器３００がＢＣＣ符号化を実行するときに限ってインターリービングを適用することができ、それ以外の場合には、符号器３００からのストリーム出力を、その中のビットの順序を変更せずに出力することができる。
【００７０】
マッパ３０４は、インターリーバ３０２から出力されたビットのシーケンスをコンステレーション点にマッピングする。符号器３００がＬＤＰＣ符号化を実行する場合に、マッパ３０４は、コンステレーションマッピングに加えて、ＬＤＰＣトーンマッピングをも実行することができる。
【００７１】
ＴｘＳＰ３２４が、ＭＩＭＯ送信又はＭＵ−ＭＩＭＯ送信を実行するときは、ＴｘＳＰ３２４は、ＮＳＳ数の送信の空間ストリームに従って、複数のインターリーバ３０２及び複数のマッパ３０４を含むことができる。ＴｘＳＰ３２４は、符号器３００の出力をブロックに分割するためのストリームパーサを更に含むことができ、それぞれ、異なるインターリーバ３０２又はマッパ３０４にブロックを送ることができる。ＴｘＳＰ３２４は、空間ストリームからのコンステレーション点をＮＳＴＳ数の時空ストリームに拡散するための時空ブロック符号（ＳＴＢＣ）符号器と、時空ストリームを送信チェーンにマッピングするための空間マッパとを更に含むことができる。空間マッパは、直接マッピング、空間拡大、又はビームフォーミングを使用することができる。
【００７２】
ＩＦＴ３０６は、逆離散フーリエ変換（ＩＤＦＴ）又は逆高速フーリエ変換（ＩＦＦＴ）を使用することによって、マッパ３０４（又は、ＭＩＭＯ若しくはＭＵ−ＭＩＭＯが実行されるときは、空間マッパ）から出力されたコンステレーション点のブロックを時間領域ブロック（すなわち、シンボル）に変換する。ＳＴＢＣ符号器及び空間マッパが使用される場合には、ＩＦＴ３０６が、送信チェーンごとに設けられ得る。
【００７３】
ＴｘＳＰ３２４が、ＭＩＭＯ送信又はＭＵ−ＭＩＭＯ送信を実行するときは、ＴｘＳＰ３２４は、巡回シフトダイバーシティ（ＣＳＤ）を挿入して、意図されないビームフォーミングを防ぐことができる。ＴｘＳＰ３２４は、ＩＦＴ３０６の前又は後にＣＳＤの挿入を実行することができる。ＣＳＤは、送信チェーンごとに指定される、或いは、時空ストリームごとに指定され得る。代替的には、ＣＳＤは、空間マッパの一部として適用され得る。
【００７４】
ＴｘＳＰ３２４が、ＭＩＭＯ送信又はＭＵ−ＭＩＭＯ送信を実行する時には、空間マッパの前のいくつかのブロックが、ユーザごとに供給され得る。
【００７５】
ＧＩインサータ３０８は、ＩＦＴ３０６によって作られる各シンボルの前にＧＩを付加する。各ＧＩは、そのＧＩが先行するシンボルの末尾の繰り返される部分に対応するサイクリックプリフィックス（ＣＰ）を含むことができる。ＴｘＳＰ３２４は、オプションで、ＧＩを挿入した後に各シンボルのエッジを平滑化するためにウィンドウイング（windowing）を実行することができる。
【００７６】
ＲＦ送信器３４２は、シンボルをＲＦ信号に変換し、そのＲＦ信号をアンテナ３５２を介して送信する。ＴｘＳＰ３２４が、ＭＩＭＯ送信又はＭＵ−ＭＩＭＯ送信を実行するときは、ＧＩインサータ３０８及びＲＦ送信器３４２が、送信チェーンごとに設けられ得る。
【００７７】
図３Ｂは、受信器（Ｒｘ）信号処理ユニット（ＲｘＳＰ）３２６、ＲＦ受信器３４４、及びアンテナ３５４を含む、一実施形態によるデータを受信するように構成された無線デバイスの構成要素を示す。一実施形態では、ＲｘＳＰ３２６、ＲＦ受信器３４４、及びアンテナ３５４は、それぞれ図２の受信信号処理ユニット２２６、ＲＦ受信器２４４、及びアンテナユニット２５０のアンテナに対応することができる。
【００７８】
ＲｘＳＰ３２６は、ＧＩリムーバ３１８、フーリエ変換器（ＦＴ）３１６、デマッパ３１４、デインターリーバ３１２、及び復号器３１０を含む。
【００７９】
ＲＦ受信器３４４は、アンテナ３５４を介してＲＦ信号を受信し、そのＲＦ信号をシンボルに変換する。ＧＩリムーバ３１８は、シンボルのそれぞれからＧＩを除去する。受信された送信がＭＩＭＯ送信又はＭＵ−ＭＩＭＯ送信であるときは、ＲＦ受信器３４４及びＧＩリムーバ３１８は、受信チェーンごとに設けられ得る。
【００８０】
ＦＴ３１６は、離散フーリエ変換（ＤＦＴ）又は高速フーリエ変換（ＦＦＴ）を使用することによって、各シンボル（すなわち、各時間領域ブロック）をコンステレーション点の周波数領域ブロックに変換する。ＦＴ３１６は、受信チェーンごとに設けられ得る。
【００８１】
受信された送信がＭＩＭＯ送信又はＭＵ−ＭＩＭＯ送信であるときは、ＲｘＳＰ３２６は、受信器チェーンのＦＴ３１６のそれぞれの出力を複数の時空ストリームのコンステレーション点に変換するための空間デマッパと、時空ストリームからのコンステレーション点を１つ又は複数の空間ストリームに逆拡散するためのＳＴＢＣ復号器とを含むことができる。
【００８２】
デマッパ３１４は、ＦＴ３１６又はＳＴＢＣ復号器から出力されたコンステレーション点をビットストリームにデマッピングする。受信された送信がＬＤＰＣ符号化を使用して符号化された場合に、デマッパ３１４は、コンステレーションデマッピングを実行する前にＬＤＰＣトーンデマッピングを更に実行することができる。
【００８３】
デインターリーバ３１２は、デマッパ３１４から出力された各ストリームのビットをデインターリービングする。デインターリーバ３１２は、受信された送信がＢＣＣ符号化を使用して符号化されたときに限ってデインターリービングを実行することができ、それ以外の場合には、デマッパ３１４によって出力されたストリームを、デインターリービングを実行せずに出力することができる。
【００８４】
受信された送信がＭＩＭＯ送信又はＭＵ−ＭＩＭＯ送信である時に、ＲｘＳＰ３２６は、送信の空間ストリームの数に対応する複数のデマッパ３１４及び複数のデインターリーバ３１２を使用することができる。この場合に、ＲｘＳＰ３２６は、デインターリーバ３１２から出力されたストリームを組み合わせるためのストリームデパーサを更に含むことができる。
【００８５】
復号器３１０は、デインターリーバ３１２又はストリームデパーサから出力されたストリームを復号する。一実施形態では、復号器３１０はＦＥＣ復号器を含む。ＦＥＣ復号器は、ＢＣＣ復号器又はＬＤＰＣ復号器を含むことができる。
【００８６】
ＲｘＳＰ３２６は、復号されたデータをデスクランブルするためのデスクランブラを更に含むことができる。復号器３１０がＢＣＣ復号を実行するときは、ＲｘＳＰ３２６が、複数のＢＣＣ復号器によって復号されたデータを多重化するための符号器デパーサを更に含むことができる。復号器３１０がＬＤＰＣ復号を実行するときは、ＲｘＳＰ３２６は、符号器デパーサを使用しなくてもよい。
【００８７】
図４Ａは、一実施形態による直交周波数分割多元接続（ＯＦＤＭＡ）フレーム４００を示す。ＯＦＤＭＡフレーム４００は、図１のＷＬＡＮ  ＢＳＳ１００のＡＰ１０２によって送信されたダウンリンク（ＤＬ）マルチユーザ（ＭＵ）ＯＦＤＭＡフレーム又はステーションＳＴＡ１からＳＴＡ４のうちの１つ又は複数によって送信されたアップリンク（ＵＬ）ＭＵ  ＯＦＤＭＡフレームとされ得る。図４Ａに示す実施形態では、ＯＦＤＭＡフレーム４００は、２０ＭＨＺ帯域幅を使用することによって送信されるが、諸実施形態はこれに限定されない。ＯＦＤＭＡフレーム４００の実施形態は、４０ＭＨｚ帯域幅、８０ＭＨｚ帯域幅、８０＋８０ＭＨｚ帯域幅、及び１６０ＭＨｚ帯域幅のいずれを使用しても送信され得る。
【００８８】
ＯＦＤＭＡフレーム４００は、それぞれ第１、第２、及び第３のデータペイロード４１０、４１２、及び４１４によって表される１つ又は複数のデータペイロードを含む。データペイロード４１０、４１２、及び４１４は、それぞれ第１、第２、及び第３のステーション宛とすることができる。
【００８９】
ＯＦＤＭＡフレーム４００の帯域幅は、１つ又は複数のリソースユニット（ＲＵ）に分割され、データペイロード４１０、４１２、及び４１４のそれぞれは、ＲＵのうちの１つ又は複数を割り振られる。一実施形態では、ＲＵは、ただ１つのデータペイロードに割り振られる。
【００９０】
ＯＦＤＭＡフレーム４００は、高効率（ＨＥ）信号Ａ（ＨＥ−ＳＩＧ−Ａ）フィールド４０２、ＨＥ信号Ｂ（ＨＥ−ＳＩＧ−Ｂ）フィールド４０４、ＨＥショートトレーニングフィールド（ＨＥ−ＳＴＦ）４０６、及びＨＥロングトレーニングフィールド（ＨＥ−ＬＴＦ）４０８を更に含むことができる。
【００９１】
ＨＥ−ＳＩＧ−Ａフィールド４０２は、ＯＦＤＭＡフレーム４００を解釈するための情報を含むことができる。ＨＥ−ＳＩＧ−Ｂフィールド４０４は、それが存在する時には、ＯＦＤＭＡフレーム４００内のリソースユニット（ＲＵ）の割振りに関する情報を含むことができ、特定のステーション（ＳＴＡ）宛のそれぞれのペイロードを復号するのにそのステーションによって使用される情報を含むことができる。ＨＥ−ＳＴＦ４０６は、ＯＦＤＭＡフレーム４００を受信するデバイス内での自動利得制御に使用される情報を含むことができる。
【００９２】
ＨＥ−ＬＴＦ  ４０８は、ＯＦＤＭＡフレーム４００を送信するＷＬＡＮデバイスとＯＦＤＭＡフレーム４００を受信するＷＬＡＮデバイスとの間でチャネルを推定するための情報を含む。ＨＥ−ＬＴＦ  ４０８内の情報は、受信するＷＬＡＮデバイスによって、位相オフセット及び周波数オフセットを追跡するのにも使用され得る。一実施形態では、ＯＦＤＭＡフレーム４００が、複数のＨＥ−ＬＴＦ４０８を含む。
【００９３】
パイロットは、データペイロード４１０、４１２、及び４１４のＯＦＤＭシンボル内及びＨＥ−ＬＴＦ４０８のシンボル内に存在する。ＨＥ−ＬＴＦ４０８内のパイロットは、ＣＦＯドリフトを補償し、多数の空間ストリームを有する送信のチャネル推定誤差を減らすのに使用され得る。
【００９４】
８０２．１１ａｘシステムは、第１のタイプ及び第２のタイプのＨＥ−ＬＴＦ  ＯＦＤＭシンボルをサポートすることができる。第１のタイプは、データ／パイロット副搬送波と同一個数の副搬送波（すなわち、トーン）を有することができる。第２のタイプは、データ／パイロット副搬送波の約半分の個数の情報搬送副搬送波（すなわち、エネルギーを有する搬送波）を有することができる。第１のタイプのＨＥ−ＬＴＦは、４ｘ  ＨＥ−ＬＴＦ設計と表される場合があり、第２のタイプのＨＥ−ＬＴＦ（約半分の個数の情報搬送副搬送波を有する）は、２ｘ  ＨＥ−ＬＴＦ設計と表されることがある。
【００９５】
第２のタイプのＨＥ−ＬＴＦの実施形態では、情報は、ＤＣトーンを除く、すべての偶数トーン内で搬送される。第２のタイプのＨＥ−ＬＴＦの別の実施形態では、情報は、ＤＣトーンを除く、すべての奇数トーン内で搬送される。
【００９６】
したがって、一実施形態では、ＨＥ−ＬＴＦ４０８は、２ｘＬＴＦ設計に従って２Ｘ  ＨＥ−ＬＴＦ４０８−２Ｘを含む。２Ｘ  ＨＥ−ＬＴＦ４０８−２Ｘは、ＯＦＤＭシンボル４２２及びガードインターバル（ＧＩ）４２４を含む。ＯＦＤＭシンボル４２２は、６．４マイクロ秒の持続時間を有することができる。
【００９７】
図４Ｂに示すように、２Ｘ  ＨＥ−ＬＴＦ４０８−２ＸのＯＦＤＭシンボル４２２は、偶数マッピングを有することができる、すなわち、ＯＦＤＭシンボル４２２は、ＯＦＤＭシンボル４２２の帯域幅内の偶数番号のトーン（ＤＣトーン以外）すなわち、２ｎと等しいインデックスを有するトーン内でのみ情報を搬送することができ、ここでｎは整数である。矢印４３０などの矢印は、情報を搬送することができる、ＯＦＤＭシンボル４２２のトーンを示す。矢印を有しないトーンは、情報を搬送しない。
【００９８】
図４Ｃに示すように、２Ｘ  ＨＥ−ＬＴＦ４０８−２ＸのＯＦＤＭシンボル４２２は、奇数マッピングを有することができる、すなわち、ＯＦＤＭシンボル４２２は、ＯＦＤＭシンボル４２２の帯域幅内の奇数番号のトーン（ＤＣトーン以外）すなわち、２ｎ＋１と等しいインデックスを有するトーン内でのみ情報を搬送することができ、ここでｎは整数である。矢印４３２などの矢印は、情報を搬送することができる、ＯＦＤＭシンボル４２２のトーンを示す。矢印を有しないトーンは、情報を搬送しない。
【００９９】
別の実施形態では、ＨＥ−ＬＴＦ４０８は、４ｘＬＴＦ設計に従う４Ｘ  ＨＥ−ＬＴＦ４０８−４Ｘを含む。４Ｘ  ＨＥ−ＬＴＦ４０８−４Ｘは、ＯＦＤＭシンボル４２６及びガードインターバル（ＧＩ）４２８を含む。ＯＦＤＭシンボル４２６は、１２．８マイクロ秒の持続時間を有することができる。
【０１００】
図４Ｄに示すように、４Ｘ  ＨＥ−ＬＴＦ４０８−４ＸのＯＦＤＭシンボル４２６は、ＯＦＤＭシンボル４２６の帯域幅内のすべてのトーン（ＤＣトーン以外）内で情報を搬送することができる。矢印４３４などの矢印は、情報を搬送することができる、ＯＦＤＭシンボル４２６のトーンを示す。
【０１０１】
本開示の実施形態は、ＨＥ−ＬＴＦ及びデータペイロードＯＦＤＭシンボルに関して同一のＦＦＴサイズ及び異なるＦＦＴサイズをサポートするパイロットを提供する方法を含む。
【０１０２】
ＯＦＤＭＡ動作では、動作帯域幅が、リソースユニット（ＲＵ）に分割される。動作帯域幅内に異なるＲＵサイズが存在することがあり、各ＲＵサイズは、異なる数の副搬送波（すなわち、トーン）を含む。様々な帯域幅の可能なＲＵの例が、下で説明する図５Ａ、６、７、８Ａ、及び９に示されている。ＲＵがどのように定義されるのかに依存して、ＲＵは、偶数番号の副搬送波から始まることができる（すなわち、ＲＵは、偶数ＲＵとされ得る）、或いは、奇数番号の副搬送波から始まることができる（すなわち、ＲＵは、奇数ＲＵとされ得る）。
【０１０３】
図５Ａは、一実施形態による２０ＭＨｚ帯域幅５００内のＲＵ定義を示す。２０ＭＨｚ帯域幅５００内で、第１から第９の２６副搬送波ＲＵ５０２、５０４、５０６、５０８、５１０、５１２、５１４、５１６、及び５１８が定義され得る。２０ＭＨｚ帯域幅５００内で、第１から第４の５２副搬送波ＲＵ５２２、５２４、５２６、及び５２８も定義され得る。２４２副搬送波ＲＵ５４０も、２０ＭＨｚ帯域幅５００内で定義され得る。
【０１０４】
一実施形態では、第１及び第２の１０６副搬送波ＲＵ５３２及び５３４が、２０ＭＨｚ帯域幅５００内で定義され得る。別の実施形態では、第１及び第２の１０８副搬送波ＲＵ５３６及び５３８が、２０ＭＨｚ帯域幅５００内で定義され得る。
【０１０５】
図５Ｂは、２０ＭＨｚ帯域幅５００内で定義され得るＲＵのサイズ、最小副搬送波（ＳＣ）インデックス、及び最大ＳＣインデックスを示す表１を含む。表１は、ＲＵが奇数ＲＵ（すなわち、奇数の整数である最小ＳＣインデックスを有するＲＵ）又は偶数ＲＵ（すなわち、偶数の整数である最小ＳＣインデックスを有するＲＵ）のどちらとみなされるのかをも示す。奇数ＲＵ及び偶数ＲＵは、図５Ａにも示されている。
【０１０６】
２０ＭＨｚ帯域幅５００の中央にある第５の２６副搬送波ＲＵ５１０は、奇数ＲＵ又は偶数ＲＵとはみなされない。
【０１０７】
図６は、一実施形態による４０ＭＨｚ帯域幅６００内のＲＵ定義を示す。４０ＭＨｚ帯域幅６００内で、第１から第１８の２６副搬送波ＲＵ６０２、６０４、６０６、６０８、６１０、６１２、６１４、６１６、６１８、６４２、６４４、６４６、６４８、６５０、６５２、６５４、６５６、及び６５８が定義され得る。第１から第８の６２副搬送波ＲＵ６２２、６２４、６２６、６２８、６６２、６６４、６６６、及び６６８も定義され得る。第１及び第２の２４２副搬送波ＲＵ６４０及び６８０並びに４８４副搬送波ＲＵ６８２も、４０ＭＨｚ帯域幅６００内で定義され得る。
【０１０８】
一実施形態では、第１から第４の１０６副搬送波ＲＵ６３２、６３４、６６２、及び６６４が、４０ＭＨｚ帯域幅６００内で定義され得る。別の実施形態では、第１から第４の１０８副搬送波ＲＵ６３６、６３８、６６６、及び６６８が、４０ＭＨｚ帯域幅６００内で定義され得る。
【０１０９】
一実施形態では、図６のＲＵ６０２から６３８の最小ＳＣインデックス及び最大ＳＣインデックスは、４０ＭＨｚ帯域幅６００の第１の２０ＭＨｚサブチャネル内で、それぞれ図５Ａ及び５Ｂの同様の番号のＲＵ５０２から５３８の最小ＳＣインデックス及び最大ＳＣインデックスと同一である。図６のＲＵ６４２から６６８の最小ＳＣインデックス及び最大ＳＣインデックスは、４０ＭＨｚ帯域幅６００の第２の２０ＭＨｚサブチャネル内で、それぞれ図５Ａ及び５Ｂの対応するＲＵ５０２から５３８の最小ＳＣインデックス及び最大ＳＣインデックスと同一である。
【０１１０】
４０ＭＨｚ帯域幅６００の奇数ＲＵ及び偶数ＲＵは、ＲＵのラベルによって示されている。
【０１１１】
本開示内で、図５Ａ及び６に示されたＲＵの定義は、ケース１と表される。
【０１１２】
図７は、８０ＭＨｚ帯域幅７００内のＲＵ定義を示す。定義されるＲＵは、３６個の２６副搬送波ＲＵ７０２から７２１及び７４２から７６１と、１６個の５２副搬送波ＲＵ７２２から７２９及び７６２から７６９と、４つの２４２副搬送波ＲＵ７４０、７４１、７８０、及び７８１と、２つの４８４副搬送波ＲＵ７８２及び７８３と、９９６副搬送波ＲＵ７８４とを含む。
【０１１３】
８０ＭＨｚ帯域幅７００内で定義されるＲＵは、一実施形態では１０６副搬送波ＲＵ、別の実施形態では１０８副搬送波ＲＵとされ得る８つのＲＵをも含む。８つの１０６又は１０８副搬送波ＲＵは、符号７３２から７３５及び７７２から７７５によって指定される。
【０１１４】
図８Ａ及び９は、それぞれ２０ＭＨｚ帯域幅及び４０ＭＨｚ帯域幅の代替のＲＵ定義を示す。本開示内で、図８Ａ及び９に示されたＲＵの定義は、ケース２と表される。
【０１１５】
図８Ａは、別の実施形態による２０ＭＨｚ帯域幅８００内のＲＵ定義を示す。２０ＭＨｚ帯域幅８００内では、第１から第９の２６副搬送波ＲＵ８０２、８０４、８０６、８０８、８１０、８１２、８１４、８１６、及び８１８が定義される。第１から第４の５２副搬送波ＲＵ８２２、８２４、８２６、及び８２８も定義される。２４２副搬送波ＲＵ８４０も、２０ＭＨｚ帯域幅８００内で定義され得る。
【０１１６】
一実施形態では、第１及び第２の１０６副搬送波ＲＵ８３２及び８３４が、２０ＭＨｚ帯域幅８００内で定義され得る。別の実施形態では、第１及び第２の１０８副搬送波ＲＵ８３６及び８３８が、２０ＭＨｚ帯域幅８００内で定義され得る。
【０１１７】
図８Ｂは、２０ＭＨｚ帯域幅８００内で定義され得るＲＵのサイズ、最小副搬送波（ＳＣ）インデックス、及び最大ＳＣインデックスを示す表２を含む。表２は、ＲＵが奇数ＲＵ（すなわち、奇数の整数である最小ＳＣインデックスを有するＲＵ）又は偶数ＲＵ（すなわち、偶数の整数である最小ＳＣインデックスを有するＲＵ）のどちらとみなされるのかをも示す。奇数ＲＵ及び偶数ＲＵは、図８Ａにも示している。
【０１１８】
２０ＭＨｚ帯域幅８００の中央にある第５の２６副搬送波ＲＵ８１０は、奇数ＲＵ又は偶数ＲＵとはみなされない。
【０１１９】
図９は、別の実施形態による４０ＭＨｚ帯域幅９００内のＲＵ定義を示す。４０ＭＨｚ帯域幅９００内では、第１から第１８の２６副搬送波ＲＵ９０２、９０４、９０６、９０８、９１０、９１２、９１４、９１６、９１８、９４２、９４４、９４６、９４８、９５０、９５２、９５４、９５６、及び９５８が定義される。第１から第８の５２副搬送波ＲＵ９２２、９２４、９２６、９２８、９６２、９６４、９６６、及び９６８も定義される。第１及び第２の２４２副搬送波ＲＵ９４０及び９８０並びに４８４副搬送波ＲＵ９８２も、４０ＭＨｚ帯域幅９００内で定義され得る。
【０１２０】
一実施形態では、第１から第４の１０６副搬送波ＲＵ９３２、９３４、９７２、及び９７４が、４０ＭＨｚ帯域幅９００内で定義され得る。別の実施形態では、第１から第４の第２の１０８副搬送波ＲＵ９３６、９３８、９７６、及び９７８が、４０ＭＨｚ帯域幅９００内で定義され得る。
【０１２１】
一実施形態では、図９のＲＵ９０２から９３８の最小ＳＣインデックス及び最大ＳＣインデックスは、４０ＭＨｚ帯域幅９００の第１の２０ＭＨｚサブチャネル内で、それぞれ図８Ａ及び８Ｂの同様の番号のＲＵ８０２から８３８の最小ＳＣインデックス及び最大ＳＣインデックスと同一である。図９のＲＵ９４２から９６８の最小ＳＣインデックス及び最大ＳＣインデックスは、４０ＭＨｚ帯域幅９００の第２の２０ＭＨｚサブチャネル内で、それぞれ図８Ａ及び８Ｂの対応するＲＵ８０２から８３８の最小ＳＣインデックス及び最大ＳＣインデックスと同一である。
【０１２２】
４０ＭＨｚ帯域幅９００の奇数ＲＵ及び偶数ＲＵは、ＲＵのラベルによって示されている。
【０１２３】
１．偶数リソースユニットと奇数リソースユニットとの間のパイロットトーンマッピング対称
一実施形態では、偶数ＲＵ及び奇数ＲＵが、鏡面対称を示すパイロットトーン位置を有することができる。図１０は、一実施形態による偶数ＲＵ１０００内のパイロットトーン位置の位置を示す。図１１は、一実施形態による奇数ＲＵ１１００内のパイロットトーン位置の位置を示し、奇数ＲＵ１１００内のパイロットトーン位置の位置は、偶数ＲＵ１０００のパイロットトーン位置の位置に対する相対的な鏡面対称を有する。偶数ＲＵ１０００及び奇数ＲＵ１１００は、同一のサイズすなわち同一個数（２６個）の副搬送波を有する。
【０１２４】
図１０及び１１では、水平軸に沿ったハッシュマークが、２Ｘ  ＨＥ−ＬＴＦのエネルギーを有する副搬送波にそれぞれ対応しない奇数副搬送波に対応する。水平軸に沿った上を指す矢印は、２Ｘ  ＨＥ−ＬＴＦのエネルギーを有する副搬送波に対応する偶数副搬送波にそれぞれ対応する。
【０１２５】
偶数ＲＵ１０００は、第１及び第２のパイロットトーン位置１００４及び１００６を含む。第１のパイロットトーン位置１００４は、偶数ＲＵ１０００の最小インデックスを有する副搬送波から６副搬送波離れて間隔を置いた副搬送波に対応する。第２のパイロットトーン位置１００６は、第１のパイロットトーン位置１００４から１１副搬送波によって分離され、偶数ＲＵ１０００の最大インデックスを有する副搬送波から７副搬送波離れて間隔を置いた副搬送波に対応する。
【０１２６】
奇数ＲＵ１１００は、それぞれ第１及び第２のパイロットトーン位置１００４及び１００６に対して鏡面対称である第３及び第４のパイロットトーン位置１１０４及び１１０６を含む。したがって、第３のパイロットトーン位置１１０４は、奇数ＲＵ１１００の最大のインデックスを有する副搬送波から６副搬送波離れて間隔を置いた副搬送波に対応する。第４のパイロットトーン位置１１０６は、第３のパイロットトーン位置１１０４から１１副搬送波によって分離され、奇数ＲＵ１１００の最小のインデックスを有する副搬送波から７副搬送波離れて間隔を置いた副搬送波に対応する。
【０１２７】
これは、偶数ＲＵ及び奇数ＲＵが互いに隣接する時に、同一サイズの偶数ＲＵと奇数ＲＵとの間の鏡面対称パイロットトーン位置をもたらす。
【０１２８】
２．入れ子になったパイロット構造及び入れ子になっていないパイロット構造
一実施形態では、パイロットトーン位置は、入れ子になったパイロット構造を有することができる。別の実施形態では、パイロットトーン位置は、入れ子になっていないパイロット構造を有することができる。
【０１２９】
入れ子になったパイロット構造では、所与の動作帯域幅（４０ＭＨｚ又は８０ＭＨｚなど）に関して、より多数の副搬送波を有するＲＵについてのパイロットトーン位置は、より少数の副搬送波を有するＲＵについてのパイロットトーン位置に物理的に整列される（周波数領域で）。入れ子になったパイロット構造は、変更されたサイズ及び変更された位置を有するＲＵ割振りを含むフレームを受信するように構成された受信器の搬送波周波数オフセット（ＣＦＯ）追跡アルゴリズムを単純化することができる。
【０１３０】
入れ子になっていないパイロット構造では、パイロットトーン位置は、ＣＦＯ追跡性能を最大にする形で、ＲＵサイズごとに定義される。入れ子になっていないパイロット構造は、ＲＵ内のパイロットの均一な間隔を有することができる。
【０１３１】
３．設計Ａ：入れ子になっていないパイロット構造
入れ子になっていないパイロット構造を有する設計Ａ原理に従う実施形態では、パイロットが２Ｘ  ＨＥ−ＬＴＦのヌルトーン（すなわち、情報を搬送しないトーン）に対応する位置にマッピングされるケースが発生する可能性がある。というのは、２Ｘ  ＨＥ−ＬＴＦシーケンス内の情報が、所与のＯＦＤＭシンボル内の偶数トーン又は奇数トーンのいずれかだけにマッピングされるからである。
【０１３２】
設計Ａ原理の実施形態は、代替案１及び代替案２を含む。代替案１は、パイロットトーン位置がＨＥ−ＬＴＦ  ＯＦＤＭシンボルのヌルトーンの位置に絶対に対応しないようにパイロットトーン位置を定義する。
【０１３３】
代替案２は、パイロットトーン位置がＨＥ−ＬＴＦ  ＯＦＤＭシンボルのヌルトーンの位置に対応するかどうかにかかわりなく、パイロット間隔が均一になるようにパイロットトーン位置を定義する。その結果、設計Ａの代替案２によるＨＥ−ＬＴＦ  ＯＦＤＭシンボルは、データペイロードＯＦＤＭシンボル内に存在する１つ又は複数のパイロットを欠く場合がある。
【０１３４】
４．設計Ａ、代替案１：パイロットはヌルＬＴＦトーンにマッピングされない
図１０及び１１の両方が、設計Ａの代替案１の実施形態の全般的な概念を示す。パイロットが２ｘＬＴＦ設計のＨＥ−ＬＴＦの非ヌルトーンに必ずマッピングされることを保証するために、２つの連続するパイロットトーン位置の間のトーン間隔（すなわち、２つの連続するパイロットトーン位置の間のトーン／副搬送波の個数）は、奇数でなければならない。
【０１３５】
したがって、図１０では、第２のパイロットトーン位置１００６が、第１のパイロットトーン位置１００４から１１副搬送波によって分離された副搬送波に対応し、図１１では、第３のパイロットトーン位置１１０４が、第４のパイロットトーン位置１１０６から１１副搬送波によって分離された副搬送波に対応する。すなわち、図１０及び１１のそれぞれのパイロットトーン位置の間のトーン間隔は、１１副搬送波である。
【０１３６】
これは、パイロットトーン位置が２Ｘ  ＨＥ−ＬＴＦシーケンスマッピング位置（すなわち、２ｘＬＴＦ設計で情報を搬送する副搬送波）にマッピングされることを保証する。
【０１３７】
図１２〜２２のすべてで、水平軸から延びる上向きの矢印は、２ｘＬＴＦ設計からの潜在的な２Ｘ  ＨＥ−ＬＴＦシーケンスマッピング位置に対応する副搬送波を表し、軸上のハッシュマークは、２ｘＬＴＦ設計からの潜在的な２Ｘ  ＨＥ−ＬＴＦシーケンスマッピング位置に対応しない副搬送波を表す。図の左端部分及び右端部分の点線は、ＲＵの境界を表す。
【０１３８】
図１２及び１３は、設計Ａの代替案１の実施形態による、１３副搬送波パイロット副搬送波位置の間の間隔を有するＲＵを示す。
【０１３９】
２ｘＬＴＦ設計のＨＥ−ＬＴＦシーケンスの偶数トーンマッピングを含む設計Ａの代替案１の実施形態では、図１２が、偶数２６副搬送波ＲＵ１２００のパイロットトーン位置を示し、図１３が、奇数２６副搬送波ＲＵ１３００のパイロットトーン位置を示す。
【０１４０】
ＨＥ−ＬＴＦシーケンスの偶数トーンマッピングを含む実施形態では、偶数ＲＵ１２００の最低副搬送波インデックスｆ０が、２ｎと等しく、奇数ＲＵ１３００の最低副搬送波インデックスｆ０’が、２ｎ＋１と等しく、ここでｎは整数である。一実施形態では、ＲＵ１２００及び１３００のいずれかの最低副搬送波インデックスｆ０及びｆ０’は、偶数の時に−１２２、−６８、＋１６、及び＋７０のうちの１つ、奇数の時に−９５、−４１、＋４３、及び＋９７のうちの１つとされ得る。２０ＭＨｚ帯域幅の実施形態では、ＲＵ１２００及び１３００のいずれかの最低副搬送波インデックスｆ０及びｆ０’は、偶数の時に−６８、−４２、＋７０、及び＋９６のうちの１つ、奇数の時に−１２１、−９５、＋１７、及び＋４３のうちの１つとされ得る。４０ＭＨｚ帯域幅の実施形態では、ＲＵ１２００及び１３００のいずれかの最低副搬送波インデックスｆ０及びｆ０’は、偶数の時に−１３６、４、３０、５８、８４、１３８、１６４、１９２、及び２１８のうちの１つ、奇数の時に−２４３、−２１７、−１８９、−１６３、−１０９、−８３、−５５、−２９、及び１１１のうちの１つとされ得る。８０ＭＨｚ帯域幅の実施形態では、ＲＵ１２００及び１３００のいずれかの最低副搬送波インデックスｆ０及びｆ０’は、偶数の時に−３９２、−１５０、＋１８、＋４４、＋７２、＋９８、＋１５２、＋１７８、＋２０６、＋２３２、＋２６０、＋２８６、＋３１４、＋３４０、＋３９４、＋４２０、＋４４８、及び＋４７４のうちの１つ、奇数の時に−４９９、−４７３、−４４５、−４１９、−３６５、−３３９、−３１１、−２８５、−２５７、−２３１、−２０３、−１７７、−１２３、−９７、−６９、−４３、＋１２５、及び＋３６７のうちの１つとされ得る。１６０ＭＨｚ帯域幅の実施形態では、ＲＵ１２００及び１３００のいずれかの最低副搬送波インデックスｆ０及びｆ０’は、偶数の時に−１０１１、−９８５、−９５７、−９３１、−８７７、−８５１、−８２３、−７９７、−７６９、−７４３、−７１５、−６８９、−６３５、−６０９、−５８１、−５５５、−３８７、−１４５、＋１３、＋３９、＋６７、＋９３、＋１４７、＋１７３、＋２０１、＋２２７、＋２５５、＋２８１、＋３０９、＋３３５、＋３８９、＋４１５、＋４４３、＋４６９、＋６３７、及び＋８７９のうちの１つ、奇数の時に−９０４、−６６２、−４９４、−４６８、−４４０、−４１４、−３６０、−３３４、−３０６、−２８０、−２５２、−２２６、−１９８、−１７２、−１１８、−９２、−６４、−３８、＋１２０、＋３６２、＋５３０、＋５５６、＋５８４、＋６１０、＋６６４、＋６９０、＋７１８、＋７４４、＋７７２、＋７９８、＋８２６、＋８５２、＋９０６、＋９３２、＋９６０、＋９８６のうちの１つとされ得る。
【０１４１】
偶数ＲＵ１２００の第１のパイロットトーン位置１２０４は、偶数ＲＵ１２００の最低副搬送波から６副搬送波離れて間隔を置く。偶数ＲＵ１２００の第２のパイロットトーン位置１２０６は、第１のパイロットトーン位置１２０４から１３副搬送波、偶数ＲＵ１２００の最高副搬送波から５副搬送波離れて間隔を置く。偶数ＲＵ１２００の最低副搬送波がｆ０と等しい場合に、２つのパイロットは、第（ｆ０＋６）副搬送波及び第（ｆ０＋２０）副搬送波に配置される。
【０１４２】
奇数ＲＵ１３００の第１のパイロットトーン位置１３０４は、奇数ＲＵ１３００の最低副搬送波から５副搬送波離れて間隔を置く。奇数ＲＵ１３００の第２のパイロットトーン位置１３０６は、第１のパイロットトーン位置１３０４から１３副搬送波、奇数ＲＵ１３００の最高副搬送波から６副搬送波離れて分離される。奇数ＲＵ１３００の最低副搬送波がｆ０’と等しい場合に、２つのパイロットは、第（ｆ０’＋５）副搬送波及び第（ｆ０’＋１９）副搬送波に配置される。
【０１４３】
２ｘＬＴＦ設計のＨＥ−ＬＴＦシーケンスの奇数トーンマッピングを含む設計Ａの代替案１の別の実施形態では、図１２が、奇数２６副搬送波ＲＵのパイロットトーン位置を示し、図１３が、偶数２６副搬送波ＲＵのパイロットトーン位置を示す。
【０１４４】
ＨＥ−ＬＴＦシーケンスの奇数トーンマッピングを含む実施形態では、奇数ＲＵ１２００の最低副搬送波インデックスｆ０は２ｎ＋１と等しく、偶数ＲＵ１３００の最低副搬送波インデックスｆ０’は２ｎと等しく、ここでｎは整数である。一実施形態では、ＲＵ１２００及び１３００のいずれかの最低副搬送波インデックスｆ０及びｆ０’は、偶数の時に−１２２、−６８、＋１６、及び＋７０のうちの１つ、奇数の時に−９５、−４１、＋４３、及び＋９７のうちの１つである。
【０１４５】
奇数ＲＵ１２００の第１のパイロットトーン位置１２０４は、奇数ＲＵ１２００の最低副搬送波から６副搬送波離れて間隔を置く。奇数ＲＵ１２００の第２のパイロットトーン位置１２０６は、第１のパイロットトーン位置１２０４から１３副搬送波によって分離され、奇数ＲＵ１２００の最高副搬送波から５副搬送波離れて間隔を置く。
【０１４６】
偶数ＲＵ１３００の第１のパイロットトーン位置１３０４は、偶数ＲＵ１３００の最低副搬送波から５副搬送波離れて間隔を置く。偶数ＲＵ１３００の第２のパイロットトーン位置１３０６は、第１のパイロットトーン位置１３０４から１３副搬送波によって分離され、偶数ＲＵ１３００の最高副搬送波から６副搬送波離れて間隔を置く。
【０１４７】
図１４及び１５は、設計Ａの代替案１の実施形態による１１副搬送波のパイロット副搬送波位置の間の間隔を有するＲＵを示す。
【０１４８】
２ｘＬＴＦ設計のＨＥ−ＬＴＦシーケンスの偶数トーンマッピングを含む設計Ａの代替案１の実施形態では、図１４は、偶数２６副搬送波ＲＵ１４００についてのパイロットトーン位置を示し、図１５は、奇数２６副搬送波ＲＵ１５００についてのパイロットトーン位置を示す。
【０１４９】
ＨＥ−ＬＴＦシーケンスの偶数トーンマッピングを含む実施形態では、偶数ＲＵ１４００の最低副搬送波インデックスｆ０は２ｎと等しく、奇数ＲＵ１５００の最低副搬送波インデックスｆ０’は２ｎ＋１と等しく、ここでｎは整数である。一実施形態では、ＲＵ１４００及び１５００のいずれかの最低副搬送波インデックスｆ０及びｆ０’は、偶数の時に−１２２、−６８、＋１６、及び＋７０のうちの１つであり、奇数の時に−９５、−４１、＋４３、及び＋９７のうちの１つである。
【０１５０】
偶数ＲＵ１４００の第１のパイロットトーン位置１４０４は、偶数ＲＵ１４００の最低副搬送波から６副搬送波離れて間隔を置く。偶数ＲＵ１４００の第２のパイロットトーン位置１４０６は、第１のパイロットトーン位置１４０４から１１副搬送波によって分離され、偶数ＲＵ１４００の最高副搬送波から７副搬送波離れて間隔を置く。
【０１５１】
奇数ＲＵ１５００の第１のパイロットトーン位置１５０４は、奇数ＲＵ１５００の最低副搬送波から７副搬送波離れて間隔を置く。奇数ＲＵ１５００の第２のパイロットトーン位置１５０６は、第１のパイロットトーン位置１５０４から１１副搬送波によって分離され、奇数ＲＵ１５００の最高副搬送波から６副搬送波離れて間隔を置く。
【０１５２】
２ｘＬＴＦ設計のＨＥ−ＬＴＦシーケンスの奇数トーンマッピングを含む設計Ａの代替案１の別の実施形態では、図１４は、奇数２６副搬送波ＲＵについてのパイロットトーン位置を示し、図１５は、偶数２６副搬送波ＲＵについてのパイロットトーン位置を示す。
【０１５３】
ＨＥ−ＬＴＦシーケンスの奇数トーンマッピングを含む実施形態では、奇数ＲＵ１４００の最低副搬送波インデックスｆ０は２ｎ＋１と等しく、偶数ＲＵ１５００の最低副搬送波インデックスｆ０’は２ｎと等しく、ここでｎは整数である。一実施形態では、ＲＵ１４００及び１５００のいずれかの最低副搬送波インデックスｆ０及びｆ０’は、偶数の時に−１２２、−６８、＋１６、及び＋７０のうちの１つであり、奇数の時に−９５、−４１、＋４３、及び＋９７のうちの１つである。
【０１５４】
奇数ＲＵ１４００の第１のパイロットトーン位置１４０４は、奇数ＲＵ１４００の最低副搬送波から６副搬送波離れて間隔を置く。奇数ＲＵ１４００の第２のパイロットトーン位置１４０６は、第１のパイロットトーン位置１４０４から１１副搬送波によって分離され、奇数ＲＵ１４００の最高副搬送波から７副搬送波離れて間隔を置く。
【０１５５】
偶数ＲＵ１５００の第１のパイロットトーン位置１５０４は、偶数ＲＵ１５００の最低副搬送波から７副搬送波離れて間隔を置く。偶数ＲＵ１５００の第２のパイロットトーン位置１５０６は、第１のパイロットトーン位置１５０４から１１副搬送波によって分離され、偶数ＲＵ１５００の最高副搬送波から６副搬送波離れて間隔を置く。
【０１５６】
図１６は、２ｘＬＴＦ設計のＨＥ−ＬＴＦシーケンスの偶数トーンマッピングを含む設計Ａの代替案１の実施形態による中央２６副搬送波ＲＵ１６００を示す。中央ＲＵ１６００は、中央部分１６０２内の３つ、５つ、及び７つの直流（ＤＣ）トーンのうちの１つによって、左１３副搬送波ユニット及び右１３副搬送波ユニットに分離される。
【０１５７】
中央ＲＵ１６００が３つのＤＣトーンを含むときは、左１３副搬送波ユニットの最低副搬送波インデックスｆ０は、−１４とされ得、右１３副搬送波ユニットの最低副搬送波インデックスｆ１は、＋２とされ得る。中央ＲＵ１６００が５つのＤＣトーンを含むときは、左最低副搬送波インデックスｆ０は、−１５とされ得、中央ＲＵ１６００の右最低副搬送波インデックスｆ１は、＋３とされ得る。中央ＲＵ１６００が７つのＤＣトーンを含むときは、左最低副搬送波インデックスｆ０は、−１６とされ得、中央ＲＵ１６００の右最低副搬送波インデックスｆ１は、＋４とされ得る。
【０１５８】
中央ＲＵ１６００の第１のパイロットトーン位置１６０４は、中央ＲＵ１６００の最低副搬送波から６副搬送波離れ、中央部分１６０２から６副搬送波離れて間隔を置く。中央ＲＵ１６００の第２のパイロットトーン位置１６０６は、中央ＲＵ１６００の最高副搬送波から６副搬送波離れ、中央部分１６０２から６副搬送波離れて間隔を置く。２つのパイロットは、第（ｆ０＋６）副搬送波及び第（ｆ１＋６）副搬送波に配置される。
【０１５９】
第１のパイロットトーン位置１６０４は、中央ＲＵ１６００の左部分の１３個の副搬送波の中央に配置される。第２のパイロットトーン位置１６０６は、中央ＲＵ１６００の右部分の１３個の副搬送波の中央に配置される。
【０１６０】
図１７は、２ｘＬＴＦ設計のＨＥ−ＬＴＦシーケンスの奇数トーンマッピングを含む設計Ａの代替案１の実施形態による中央２６副搬送波ＲＵ１７００を示す。中央ＲＵ１７００は、中央部分１７０２内の３つ、５つ、及び７つの直流（ＤＣ）トーンうちの１つを含むことができる。
【０１６１】
中央ＲＵ１７００が３つのＤＣトーンを含むときは、左最低副搬送波インデックスｆ０は、−１４とされ得、中央ＲＵ１７００の右最低副搬送波インデックスｆ１は、＋２とされ得る。中央ＲＵ１７００が５つのＤＣトーンを含むときは、左最低副搬送波インデックスｆ０は、−１５とされ得、中央ＲＵ１７００の右最低副搬送波インデックスｆ１は、＋３とされ得る。中央ＲＵ１７００が７つのＤＣトーンを含むときは、左最低副搬送波インデックスｆ０は、−１６とされ得、中央ＲＵ１７００の右最低副搬送波インデックスｆ１は、＋４とされ得る。
【０１６２】
中央ＲＵ１７００の第１のパイロットトーン位置１７０４は、中央ＲＵ１７００の最低副搬送波から５副搬送波離れ、中央部分１７０２から７副搬送波離れて間隔を置く。中央ＲＵ１７００の第２のパイロットトーン位置１７０６は、中央ＲＵ１７００の最高副搬送波から５副搬送波離れ、中央部分１７０２から７副搬送波離れて間隔を置く。
【０１６３】
図１８は、２ｘＬＴＦ設計のＨＥ−ＬＴＦシーケンスの奇数トーンマッピングを含む設計Ａの代替案１の実施形態による中央２６副搬送波ＲＵ１８００を示す。中央ＲＵ１８００は、中央部分１８０２内の３つ、５つ、及び７つの直流（ＤＣ）トーンのうちの１つを含むことができる。
【０１６４】
中央ＲＵ１８００が３つのＤＣトーンを含むときは、左最低副搬送波インデックスｆ０は−１４とされ得、中央ＲＵ１８００の右最低副搬送波インデックスｆ１は＋２とされ得る。中央ＲＵ１８００が５つのＤＣトーンを含むときは、左最低副搬送波インデックスｆ０は−１５とされ得、中央ＲＵ１８００の右最低副搬送波インデックスｆ１は＋３とされ得る。中央ＲＵ１８００が７つのＤＣトーンを含むときは、左最低副搬送波インデックスｆ０は−１６とされ得、中央ＲＵ１８００の右最低副搬送波インデックスｆ１は＋４とされ得る。
【０１６５】
中央ＲＵ１８００の第１のパイロットトーン位置１８０４は、中央ＲＵ１８００の最低副搬送波から７副搬送波離れ、中央部分１８０２から５副搬送波離れて間隔を置く。中央ＲＵ１８００の第２のパイロットトーン位置１８０６は、中央ＲＵ１８００の最高副搬送波から７副搬送波離れ、中央部分１８０２から５副搬送波離れて間隔を置く。
【０１６６】
図１９及び２０は、設計Ａの代替案１の実施形態による、それぞれ１３個、１１個、及び１３個の副搬送波の、第１、第２、第３、及び第４のパイロット副搬送波位置の間の間隔を有する５２サブチャネルＲＵを示す。
【０１６７】
２ｘＬＴＦ設計のＨＥ−ＬＴＦシーケンスの偶数トーンマッピングを含む設計Ａの代替案１の実施形態では、図１９は、偶数５２副搬送波ＲＵ１９００についてのパイロットトーン位置を示し、図２０は、奇数５２副搬送波ＲＵ２０００についてのパイロットトーン位置を示す。
【０１６８】
ＨＥ−ＬＴＦシーケンスの偶数トーンマッピングを含む実施形態では、偶数ＲＵ１９００の最低副搬送波インデックスｆ０は、２ｎと等しく、奇数ＲＵ２０００の最低副搬送波インデックスｆ０’は、２ｎ＋１と等しく、ここでｎは整数である。一実施形態では、ＲＵ１９００及び２０００のいずれかの最低副搬送波インデックスｆ０及びｆ０’は、偶数の時に−１２２、−６８、＋１６、及び＋７０のうちの１つ、奇数の時に−９５、−４１、＋４３、及び＋９７のうちの１つである。２０ＭＨｚ帯域幅の実施形態では、ＲＵ１９及び２０００のいずれかの最低副搬送波インデックスｆ０及びｆ０’は、偶数の時に−６８及び＋７０のうちの１つ、奇数の時に−１２１及び＋１７のうちの１つである。４０ＭＨｚ帯域幅の実施形態では、ＲＵ１９００及び２０００のいずれかの最低副搬送波インデックスｆ０及びｆ０’は、偶数の時に４、５８、１３８及び１９２のうちの１つ、奇数の時に−２４３、−１８９、−１０９、及び−５５のうちの１つである。８０ＭＨｚ帯域幅の実施形態では、ＲＵ１９００及び２０００のいずれかの最低副搬送波インデックスｆ０及びｆ０’は、偶数の時に＋１８、＋７２、＋１５２、＋２０６、＋２６０、＋３１４、＋３９４、及び＋４４８のうちの１つ、奇数の時に−４９９、−４４５、−３６５、−３１１、−２５７、−２０３、−１２３、及び−６９のうちの１つである。１６０ＭＨｚ帯域幅の実施形態では、ＲＵ１９００及び２０００のいずれかの最低副搬送波インデックスｆ０及びｆ０’は、偶数の時に−４９４、−４４０、−３６０、−３０６、−２５２、−１９８、−１１８、−６４、＋５３０、＋５８４、＋６６４、＋７１８、＋７７２、＋８２６、＋９０６、及び＋９６０のうちの１つ、奇数の時に−１０１１、−９５７、−８７７、−８２３、−７６９、−７１５、−６３５、−５８１、＋１３、＋６７、＋１４７、＋２０１、＋２５５、＋３０９、＋３８９、及び＋４４３のうちの１つである。
【０１６９】
偶数ＲＵ１９００の第１のパイロットトーン位置１９０４は、偶数ＲＵ１９００の最低副搬送波から６副搬送波離れて間隔を置く。偶数ＲＵ１９００の第２のパイロットトーン位置１９０６は、第１のパイロットトーン位置１９０４から１３副搬送波によって分離される。偶数ＲＵ１９００の第３のパイロットトーン位置１９０８は、第２のパイロットトーン位置１９０６から１１副搬送波によって分離される。偶数ＲＵ１９００の第４のパイロットトーン位置１９１０は、第３のパイロットトーン位置１９０８から１３副搬送波によって分離され、偶数ＲＵ１９００の最高副搬送波から５副搬送波離れて間隔を置く。偶数ＲＵ１９００の最低副搬送波がｆ０と等しい場合に、４つのパイロットは、それぞれ第（ｆ０＋６）副搬送波、第（ｆ０＋２０）副搬送波、第（ｆ０＋３２）副搬送波、及び第（ｆ０＋４６）副搬送波に配置される。
【０１７０】
奇数ＲＵ２０００の第１のパイロットトーン位置２００４は、奇数ＲＵ２０００の最低副搬送波から５副搬送波離れて間隔を置く。奇数ＲＵ２０００の第２のパイロットトーン位置２００６は、第１のパイロットトーン位置２００４から１３副搬送波によって分離される。奇数ＲＵ２０００の第３のパイロットトーン位置２００８は、第２のパイロットトーン位置２００６から１１副搬送波によって分離される。奇数ＲＵ２０００の第４のパイロットトーン位置２０１０は、第３のパイロットトーン位置２００８から１３副搬送波によって分離され、奇数ＲＵ２０００の最高副搬送波から６副搬送波離れて間隔を置く。奇数ＲＵ２０００の最低副搬送波がｆ０’と等しい場合に、４つのパイロットは、それぞれ第（ｆ０’＋５）副搬送波、第（ｆ０’＋１９）副搬送波、第（ｆ０’＋３１）副搬送波、及び第（ｆ０’＋４５）副搬送波に配置される。
【０１７１】
２ｘＬＴＦ設計のＨＥ−ＬＴＦシーケンスの奇数トーンマッピングを含む設計Ａの代替案１の実施形態では、図１９は、奇数５２副搬送波ＲＵ１９００についてのパイロットトーン位置を示し、図２０は、偶数５２副搬送波ＲＵ２０００についてのパイロットトーン位置を示す。
【０１７２】
ＨＥ−ＬＴＦシーケンスの奇数トーンマッピングを含む実施形態では、奇数ＲＵ１９００の最低副搬送波インデックスｆ０は、２ｎ＋１と等しく、偶数ＲＵ２０００の最低副搬送波インデックスｆ０’は、２ｎと等しく、ここでｎは整数である。一実施形態では、ＲＵ１９００及び２０００のいずれかの最低副搬送波インデックスｆ０及びｆ０’は、偶数の時に−１２２、−６８、＋１６、及び＋７０のうちの１つ、奇数の時に−９５、−４１、＋４３、及び＋９７のうちの１つである。
【０１７３】
奇数ＲＵ１９００の第１のパイロットトーン位置１９０４は、奇数ＲＵ１９００の最低副搬送波から６副搬送波離れて間隔を置く。奇数ＲＵ１９００の第２のパイロットトーン位置１９０６は、第１のパイロットトーン位置１９０４から１３副搬送波によって分離される。奇数ＲＵ１９００の第３のパイロットトーン位置１９０８は、第２のパイロットトーン位置１９０６から１１副搬送波によって分離される。奇数ＲＵ１９００の第４のパイロットトーン位置１９１０は、第３のパイロットトーン位置１９０８から１３副搬送波によって分離され、奇数ＲＵ１９００の最高副搬送波から５副搬送波離れて間隔を置く。
【０１７４】
偶数ＲＵ２０００の第１のパイロットトーン位置２００４は、偶数ＲＵ２０００の最低副搬送波から５副搬送波離れて間隔を置かれる。偶数ＲＵ２０００の第２のパイロットトーン位置２００６は、第１のパイロットトーン位置２００４から１３副搬送波によって分離される。偶数ＲＵ２０００の第３のパイロットトーン位置２００８は、第２のパイロットトーン位置２００６から１１副搬送波によって分離される。偶数ＲＵ２０００の第４のパイロットトーン位置２０１０は、第３のパイロットトーン位置２００８から１３副搬送波によって分離され、偶数ＲＵ２０００の最高副搬送波から６副搬送波離れて間隔を置かれる。
【０１７５】
図２１及び２２は、設計Ａの代替案１の実施形態による、それぞれ１１個、１３個、及び１１個の副搬送波の、第１、第２、第３、及び第４のパイロット副搬送波位置の間の間隔を有する５２副搬送波ＲＵを示す。
【０１７６】
２ｘＬＴＦ設計のＨＥ−ＬＴＦシーケンスの偶数トーンマッピングを含む設計Ａの代替案１の実施形態では、図２１は、偶数５２副搬送波ＲＵ２１００についてのパイロットトーン位置を示し、図２２は、奇数５２副搬送波ＲＵ２２００についてのパイロットトーン位置を示す。
【０１７７】
ＨＥ−ＬＴＦシーケンスの偶数トーンマッピングを含む実施形態では、偶数ＲＵ２１００の最低副搬送波インデックスｆ０は、２ｎと等しく、奇数ＲＵ２２００の最低副搬送波インデックスｆ０’は、２ｎ＋１と等しく、ここでｎは整数である。一実施形態では、ＲＵ２１００及び２２００のいずれかの最低副搬送波インデックスｆ０及びｆ０’は、偶数の時に−１２２、−６８、＋１６、及び＋７０のうちの１つ、奇数の時に−９５、−４１、＋４３、及び＋９７のうちの１つである。
【０１７８】
偶数ＲＵ２１００の第１のパイロットトーン位置２１０４は、偶数ＲＵ２１００の最低副搬送波から６副搬送波離れて間隔を置く。偶数ＲＵ２１００の第２のパイロットトーン位置２１０６は、第１のパイロットトーン位置２１０４から１１副搬送波によって分離される。偶数ＲＵ２１００の第３のパイロットトーン位置２１０８は、第２のパイロットトーン位置２１０６から１３副搬送波によって分離される。偶数ＲＵ２１００の第４のパイロットトーン位置２１１０は、第３のパイロットトーン位置２１０８から１１副搬送波によって分離され、偶数ＲＵ２１００の最高副搬送波から７副搬送波離れて間隔を置く。
【０１７９】
奇数ＲＵ２２００の第１のパイロットトーン位置２２０４は、奇数ＲＵ２２００の最低副搬送波から７副搬送波離れて間隔を置く。奇数ＲＵ２２００の第２のパイロットトーン位置２２０６は、第１のパイロットトーン位置２２０４から１１副搬送波によって分離される。奇数ＲＵ２２００の第３のパイロットトーン位置２２０８は、第２のパイロットトーン位置２２０６から１３副搬送波によって分離される。奇数ＲＵ２２００の第４のパイロットトーン位置２２１０は、第３のパイロットトーン位置２２０８から１１副搬送波によって分離され、奇数ＲＵ２２００の最高副搬送波から６副搬送波離れて間隔を置く。
【０１８０】
２ｘＬＴＦ設計のＨＥ−ＬＴＦシーケンスの奇数トーンマッピングを含む設計Ａの代替案１の実施形態では、図２１は、奇数５２副搬送波ＲＵのパイロットトーン位置を示し、図２２は、偶数５２副搬送波ＲＵのパイロットトーン位置を示す。
【０１８１】
ＨＥ−ＬＴＦシーケンスの奇数トーンマッピングを含む実施形態では、奇数ＲＵ２１００の最低副搬送波インデックスｆ０は、２ｎ＋１と等しく、偶数ＲＵ２２００の最低副搬送波インデックスｆ０’は、２ｎと等しく、ここでｎは整数である。一実施形態では、ＲＵ２１００及び２２００のいずれかの最低副搬送波インデックスｆ０及びｆ０’は、偶数の時に−１２２、−６８、＋１６、及び＋７０のうちの１つ、奇数の時に−９５、−４１、＋４３、及び＋９７のうちの１つである。
【０１８２】
奇数ＲＵ２１００の第１のパイロットトーン位置２１０４は、奇数ＲＵ２１００の最低副搬送波から６副搬送波離れて間隔を置く。奇数ＲＵ２１００の第２のパイロットトーン位置２１０６は、第１のパイロットトーン位置２１０４から１１副搬送波によって分離される。奇数ＲＵ２１００の第３のパイロットトーン位置２１０８は、第２のパイロットトーン位置２１０６から１３副搬送波によって分離される。奇数ＲＵ２１００の第４のパイロットトーン位置２１１０は、第３のパイロットトーン位置２１０８から１１副搬送波によって分離され、奇数ＲＵ２１００の最高副搬送波から７副搬送波離れて間隔を置く。
【０１８３】
偶数ＲＵ２２００の第１のパイロットトーン位置２２０４は、偶数ＲＵ２２００の最低副搬送波から７副搬送波離れて間隔を置く。偶数ＲＵ２２００の第２のパイロットトーン位置２２０６は、第１のパイロットトーン位置２２０４から１１副搬送波によって分離される。偶数ＲＵ２２００の第３のパイロットトーン位置２２０８は、第２のパイロットトーン位置２２０６から１３副搬送波によって分離される。偶数ＲＵ２２００の第４のパイロットトーン位置２２１０は、第３のパイロットトーン位置２２０８から１１副搬送波によって分離され、偶数ＲＵ２２００の最高副搬送波から６副搬送波離れて間隔を置く。
【０１８４】
図２３は、１０６副搬送波ＲＵについての設計Ａの代替案１の６つの実施形態のためのパイロットトーン位置を示す表３を含む。これらの実施形態は、２ｘＬＴＦ設計のＨＥ−ＬＴＦシーケンスの２つのマッピング（偶数又は奇数）のそれぞれに対して３つの間隔オプションａ、ｂ、及びｃを含む。
【０１８５】
表３は、それぞれ間隔オプションａ、ｂ、及びｃに対応する３つの列を含む。各列は、２つの副列、ｉ）ＨＥ−ＬＴＦの偶数マッピングが使用されるときの偶数ＲＵ内又はＨＥ−ＬＴＦの奇数マッピングが使用されるときの奇数ＲＵ内のいずれかの位置を示す「偶数／偶数又は奇数／奇数」副列及びｉｉ）ＨＥ−ＬＴＦの奇数マッピングが使用される時の偶数ＲＵ内又はＨＥ−ＬＴＦの偶数マッピングが使用される時の奇数ＲＵ内のいずれかの位置を示す「奇数／偶数又は偶数／奇数」副列からなる。
【０１８６】
各行では、各列が、その行に対応する要素（エッジ搬送波又はパイロットトーン）の副搬送波位置（ＳＣ）並びにその行に対応する要素と次の行に対応する要素との間の間隔（又はギャップ）を示す。
【０１８７】
各ケースで、ＲＵのエッジ搬送波は、０のインデックスを有する最低副搬送波（低ＳＣ）及び１０５のインデックスを有する最高副搬送波（高ＳＣ）を含む。
【０１８８】
第１の例に関して、２ｘＬＴＦ設計のＨＥ−ＬＴＦシーケンスの偶数トーンマッピングを有する設計Ａの代替案１のオプションａの実施形態において、偶数ＲＵの第１から第４のパイロットは、それぞれ＋１４、＋４０、＋６６、及び＋９２のインデックスに配置される。奇数ＲＵの第１から第４のパイロットは、それぞれ、それぞれ＋１３、＋３９、＋６５、及び＋９１のインデックスに配置される。
【０１８９】
第１の例では、偶数ＲＵ内及び奇数ＲＵ内のパイロットトーン位置の位置は、鏡面対称である。すなわち、最低副搬送波から始まるエッジ副搬送波とパイロットトーン位置との間の間隔は、偶数ＲＵ内では１４、２５、２５、２５、及び１３であり、奇数ＲＵ内では１３、２５、２５、２５、及び１４である。
【０１９０】
第２の例に関して、２ｘＬＴＦ設計のＨＥ−ＬＴＦシーケンスの奇数トーンマッピングを有する設計Ａの代替案１のオプションｂの実施形態において、偶数ＲＵの第１から第４のパイロットは、それぞれ＋１５、＋４１、＋６７、及び＋９３のインデックスに配置される。奇数ＲＵの第１から第４のパイロットは、それぞれ＋１２、＋３８、＋６４、及び＋９０のインデックスに配置される。
【０１９１】
第１の例と同様に、第２の例では、偶数ＲＵ内及び奇数ＲＵ内のパイロットトーン位置の位置は、鏡面対称である。すなわち、最低副搬送波から始まるエッジ副搬送波とパイロットトーン位置との間の間隔は、偶数ＲＵ内では１５、２５、２５、２５、及び１２であり、奇数ＲＵ内では１２、２５、２５、２５、及び１５である。
【０１９２】
表３は、ｉ）オプションａ、ｂ、及びｃのうちの１つと、ｉｉ）２ｘＬＴＦ設計のＨＥ−ＬＴＦシーケンスの偶数トーンマッピング及び奇数トーンマッピングのうちの１つとのすべての組合せにおいて、偶数ＲＵ内及び奇数ＲＵ内のパイロットトーン位置の位置が鏡面対称であることを示す。
【０１９３】
図２４は、１０８副搬送波ＲＵについての設計Ａの代替案１の６つの実施形態のためのパイロットトーン位置を示す表４を含む。これらの実施形態は、２ｘＬＴＦ設計のＨＥ−ＬＴＦシーケンスの２つのマッピング（偶数又は奇数）のそれぞれについて３つの間隔オプションａ、ｂ、及びｃを含む。
【０１９４】
表４は、それぞれ間隔オプションａ、ｂ、及びｃに対応する３つの列を含む。各列は、２つの副列、ｉ）ＨＥ−ＬＴＦの偶数マッピングが使用されるときの偶数ＲＵ内又はＨＥ−ＬＴＦの奇数マッピングが使用されるときの奇数ＲＵ内のいずれかの位置を示す「偶数／偶数又は奇数／奇数」副列及びｉｉ）ＨＥ−ＬＴＦの奇数マッピングが使用されるときの偶数ＲＵ内又はＨＥ−ＬＴＦの偶数マッピングが使用されるときの奇数ＲＵ内のいずれかの位置を示す「奇数／偶数又は偶数／奇数」副列からなる。
【０１９５】
各行では、各列が、その行に対応する要素（エッジ搬送波又はパイロットトーン）の副搬送波位置（ＳＣ）並びにその行に対応する要素と次の行に対応する要素との間の間隔（又はギャップ）を示す。
【０１９６】
各ケースで、ＲＵのエッジ搬送波は、０のインデックスを有する最低副搬送波（低ＳＣ）及び１０７のインデックスを有する最高副搬送波（高ＳＣ）を含む。
【０１９７】
第１の例に関して、２ｘＬＴＦ設計のＨＥ−ＬＴＦシーケンスの偶数トーンマッピングを有する設計Ａの代替案１のオプションａの実施形態において、偶数ＲＵの第１から第６のパイロットは、それぞれ、それぞれ＋８、＋２６、＋４４、＋６２、＋８０、及び＋９８のインデックスに配置される。奇数ＲＵの第１から第６のパイロットは、それぞれ＋９、＋２７、＋４５、＋６３、＋８１、及び＋９９のインデックスに配置される。
【０１９８】
第１の例では、偶数ＲＵ内及び奇数ＲＵ内のパイロットトーン位置の位置は、鏡面対称である。すなわち、最低副搬送波から始まるエッジ副搬送波とパイロットトーン位置との間の間隔は、偶数ＲＵ内では８、１７、１７、１７、１７、１７、及び９であり、奇数ＲＵ内では９、１７、１７、１７、１７、１７、及び８である。
【０１９９】
第２の例に関して、２ｘＬＴＦ設計のＨＥ−ＬＴＦシーケンスの奇数トーンマッピングを有する設計Ａの代替案１のオプションｂの実施形態において、偶数ＲＵの第１から第６のパイロットは、それぞれ＋７、＋２５、＋４３、＋６１、＋７９、及び＋９７のインデックスに配置される。奇数ＲＵの第１から第６のパイロットは、それぞれ、それぞれ＋１０、＋２８、＋４６、＋６４、＋８２、及び＋１００のインデックスに配置される。
【０２００】
第１の例と同様に、第２の例では、偶数ＲＵ内及び奇数ＲＵ内のパイロットトーン位置の位置は、鏡面対称である。すなわち、最低副搬送波から始まるエッジ副搬送波とパイロットトーン位置との間の間隔は、偶数ＲＵ内では７、１７、１７、１７、１７、１７、及び１０であり、奇数ＲＵ内では１０、１７、１７、１７、１７、１７、及び７である。
【０２０１】
表４は、ｉ）オプションａ、ｂ、及びｃのうちの１つと、ｉｉ）２ｘＬＴＦ設計のＨＥ−ＬＴＦシーケンスの偶数トーンマッピング及び奇数トーンマッピングのうちの１つとのすべての組合せにおいて、偶数ＲＵ内及び奇数ＲＵ内のパイロットトーン位置の位置が鏡面対称であることを示す。
【０２０２】
図２５は、２４２副搬送波ＲＵの設計Ａの代替案１の４つの実施形態のためのパイロットトーン位置を示す表５を含む。これらの実施形態は、２ｘＬＴＦ設計のＨＥ−ＬＴＦシーケンスの２つのマッピング（偶数又は奇数）のそれぞれについて２つの間隔オプションａ及びｂを含む。
【０２０３】
表５は、２０ＭＨｚ帯域幅内の２４２副搬送波ＲＵについて、列の左セットを含み、ＲＵは、必ず偶数ＲＵである。２０ＭＨｚチャネル帯域幅の列のセット内で、３つの副列は、それぞれ、ＨＥ−ＬＴＦの偶数マッピングに関するオプションａのパイロットトーン位置、ＨＥ−ＬＴＦの偶数マッピングに関するオプションｂのパイロットトーン位置、及びオプションａとオプションｂとの両方のＨＥ−ＬＴＦの奇数マッピングに関するパイロットトーン位置に対応する。
【０２０４】
左側の各行内で、３つの列は、間隔オプション及びＬＴＦマッピングに関してその行に対応する要素（エッジ搬送波又はパイロットトーン）のそれぞれの副搬送波位置（ＳＣ）を示し、第４の列は、その行に対応する要素と次の行に対応する要素との間の間隔（又はギャップ）を示し、この間隔は、オプションａとオプションｂとの間で変化せず、ＬＴＦマッピングは、偶数又は奇数である。
【０２０５】
表５は、４０ＭＨｚ、８０ＭＨｚ、又は１６０ＭＨｚのチャネル帯域幅のいずれかの中の２４２副搬送波ＲＵについて、列の右セットを含み、ＲＵは、偶数ＲＵ又は奇数ＲＵとすることができる。右セット内では、１列が、間隔オプションａ及び間隔オプションｂのために設けられる。
【０２０６】
列の右セット内では、間隔オプションａ又はｂの各列は、２つの副列、ｉ）ＨＥ−ＬＴＦの偶数マッピングが使用されるときの偶数ＲＵ内又はＨＥ−ＬＴＦの奇数マッピングが使用されるときの奇数ＲＵ内のいずれかの位置を示す「偶数／偶数又は奇数／奇数」副列及びｉｉ）ＨＥ−ＬＴＦの奇数マッピングが使用されるときの偶数ＲＵ内又はＨＥ−ＬＴＦの偶数マッピングが使用されるときの奇数ＲＵ内のいずれかの位置を示す「奇数／偶数又は偶数／奇数」副列からなる。
【０２０７】
右側の各行内で、各列は、その行に対応する要素（エッジ搬送波又はパイロットトーン）の副搬送波位置（ＳＣ）及びその行に対応する要素と次の行に対応する要素との間の間隔（又はギャップ）とを示す。
【０２０８】
２０ＭＨｚチャネル帯域幅内の実施形態では、ＲＵのエッジ搬送波は、−１２２のインデックスを有する最低副搬送波（低ＳＣ）と、１２２のインデックスを有する最高副搬送波（高ＳＣ）とを含む。４０、８０、又は１６０ＭＨｚの帯域幅内の実施形態では、ＲＵのエッジ搬送波は、０のインデックスを有する最低副搬送波（低ＳＣ）と、２４１のインデックスを有する最高副搬送波（高ＳＣ）とを含む。
【０２０９】
第１の例に関して、２０ＭＨｚ帯域幅内の２ｘＬＴＦ設計のＨＥ−ＬＴＦシーケンスの偶数トーンマッピングを有する設計Ａの代替案１のオプションａの実施形態では、２４２副搬送波ＲＵの第１から第８のパイロットは、それぞれ−１０４、−７６、−４０、−１２、＋１２、＋４０、＋７６、及び＋１０４のインデックスに配置される。
【０２１０】
第２の例に関して、４０、８０、又は１６０ＭＨｚのチャネル帯域幅内についての２ｘＬＴＦ設計のＨＥ−ＬＴＦシーケンスの奇数トーンマッピングを有する設計Ａの代替案１のオプションｂの実施形態では、偶数ＲＵの第１から第８のパイロットは、それぞれ１９、４７、８３、１１１、１３１、１５９、１９５、及び２２３のインデックスに配置される。奇数ＲＵの第１から第８のパイロットは、それぞれ１８、４６、８２、１１０、１３０、１５８、１９４、及び２２２のインデックスに配置される。
【０２１１】
第２の例では、偶数ＲＵ及び奇数ＲＵ内のパイロットトーン位置の位置が、鏡面対称である。すなわち、最低副搬送波から始まるエッジ副搬送波とパイロットトーン位置との間の間隔は、偶数ＲＵ内で１９、２７、３５、２７、１９、２７、３５、２７、及び１８であり、奇数ＲＵ内で１８、２７、３５、２７、１９、２７、３５、２７、及び１９である。
【０２１２】
表５は、４０、８０、及び１６０ＭＨｚのチャネル帯域幅に関して、ｉ）オプションａ及びｂのうちの１つと、ｉｉ）２ｘＬＴＦ設計のＨＥ−ＬＴＦシーケンスの偶数トーンマッピング及び奇数トーンマッピングのうちの１つとのすべての組合せにおいて、偶数ＲＵ及び奇数ＲＵ内のパイロットトーン位置の位置が鏡面対称であることを示す。２０ＭＨｚチャネル帯域幅には、１つの２４２副搬送波ＲＵだけが存在する。
【０２１３】
図２６は、２４２副搬送波ＲＵの設計Ａの代替案１の６つ実施形態のためのパイロットトーン位置を示す表６を含む。これらの実施形態は、２ｘＬＴＦ設計のＨＥ−ＬＴＦシーケンスの２つのマッピング（偶数又は奇数）のそれぞれについて３つの間隔オプションａ、ｂ、及びｃを含む。
【０２１４】
表６は、それぞれ間隔オプションａ、ｂ、及びｃに対応する３つの列を含む。各列は、２つの副列、ｉ）ＨＥ−ＬＴＦの偶数マッピングが使用される時の偶数ＲＵ内又はＨＥ−ＬＴＦの奇数マッピングが使用される時の奇数ＲＵ内いずれかの位置を示す「偶数／偶数又は奇数／奇数」副列及びｉｉ）ＨＥ−ＬＴＦの奇数マッピングが使用される時の偶数ＲＵ内又はＨＥ−ＬＴＦの偶数マッピングが使用される時の奇数ＲＵ内いずれかの位置を示す「奇数／偶数又は偶数／奇数」副列からなる。
【０２１５】
各行では、各列が、その行に対応する要素（エッジ搬送波又はパイロットトーン）の副搬送波位置（ＳＣ）並びにその行に対応する要素と次の行に対応する要素との間の間隔（又はギャップ）を示す。
【０２１６】
各ケースで、ＲＵのエッジ搬送波は、０のインデックスを有する最低副搬送波（低ＳＣ）及び２４１のインデックスを有する最高副搬送波（高ＳＣ）を含む。
【０２１７】
たとえば、２ｘＬＴＦ設計のＨＥ−ＬＴＦシーケンスの偶数トーンマッピングを有する設計Ａの代替案１のオプションａの実施形態において、偶数ＲＵの第１から第８のパイロットは、それぞれ、それぞれ＋１６、＋４６、＋７６、＋１０６、＋１３６、＋１６６、＋１９６、及び＋２２６のインデックスに配置される。奇数ＲＵの第１から第８のパイロットは、それぞれ、それぞれ＋１５、＋４５、＋７５、＋１０５、＋１３５、＋１６５、＋１９５、及び＋２２５のインデックスに配置される。
【０２１８】
この例では、偶数ＲＵ内及び奇数ＲＵ内のパイロットトーン位置の位置は、鏡面対称である。すなわち、最低副搬送波から始まるエッジ副搬送波とパイロットトーン位置との間の間隔は、偶数ＲＵ内では１６、２９、２９、２９、２９、２９、２９、２９、及び１５であり、奇数ＲＵ内では１５、２９、２９、２９、２９、２９、２９、２９、及び１６である。
【０２１９】
表６は、ｉ）オプションａ、ｂ、及びｃのうちの１つと、ｉｉ）２ｘＬＴＦ設計のＨＥ−ＬＴＦシーケンスの偶数トーンマッピング及び奇数トーンマッピングのうちの１つとのすべての組合せにおいて、偶数ＲＵ内及び奇数ＲＵ内のパイロットトーン位置の位置が鏡面対称であることを示す。
【０２２０】
図２７は、中央２４２副搬送波ＲＵの設計Ａの代替案１の６つの実施形態のためのパイロットトーン位置を示す表７を含む。これらの実施形態は、２ｘＬＴＦ設計のＨＥ−ＬＴＦシーケンスの２つのマッピング（偶数又は奇数）のそれぞれについて３つの間隔オプションａ、ｂ、及びｃを含む。
【０２２１】
表７は、それぞれ間隔オプションａ、ｂ、及びｃに対応する３つの列を含む。各列は、２つの副列、ｉ）ＨＥ−ＬＴＦの偶数マッピングが使用されるときの中央ＲＵ内の位置を示す「偶数」副列及びｉｉ）ＨＥ−ＬＴＦの奇数マッピングが使用されるときの中央ＲＵ内の位置を示す「奇数」副列からなる。
【０２２２】
各行内で、各列は、その行に対応する要素（パイロットトーンなど）の副搬送波位置を示す。ＲＵの中央より下の副搬送波位置は、負のオフセット−ｆ０に対して相対的に与えられる。ＲＵの中央より上の副搬送波位置は、正のオフセット＋ｆ０に対して相対的に与えられる。負及び正のオフセット−ｆ０及び＋ｆ０は、それぞれＲＵの中央の下及び上の第１の非ＤＣ副搬送波に対応し、負及び正のオフセット−ｆ０及び＋ｆ０の値は、ＲＵの中央の複数のＤＣ副搬送波によって決定される。
【０２２３】
表７に示された実施形態では、中央ＲＵの上半分及び下半分のそれぞれの中のパイロットは、２９トーンによって分離される。
【０２２４】
表７は、ｉ）オプションａ、ｂ、及びｃのうちの１つと、ｉｉ）２ｘＬＴＦ設計のＨＥ−ＬＴＦシーケンスの偶数トーンマッピング及び奇数トーンマッピングのうちの１つとのすべての組合せにおいて、中央ＲＵの中央の下及び上のパイロットトーン位置の位置が鏡面対称であることを示す。
【０２２５】
５．設計Ａ、代替案２  パイロットはヌルＬＴＦトーンにマッピングされ得る
図２８は、設計Ａの代替案２の実施形態による、２ｘＬＴＦ設計のＬＴＦシーケンスの偶数トーンマッピングが使用されるときの２６副搬送波を有する偶数ＲＵブロック２８００のパイロットトーン位置又は２ｘＬＴＦ設計のＬＴＦシーケンスの奇数トーンマッピングが使用されるときの２６副搬送波を有する奇数ＲＵブロック２８００のパイロットトーン位置を示す。図２９は、設計Ａの代替案２の実施形態による、２ｘＬＴＦ設計のＬＴＦシーケンスの偶数トーンマッピングが使用されるときの２６副搬送波を有する奇数ＲＵブロック２９００のパイロットトーン位置又は２ｘＬＴＦ設計のＬＴＦシーケンスの奇数トーンマッピングが使用されるときの２６副搬送波を有する偶数ＲＵブロック２９００のパイロットトーン位置を示す。
【０２２６】
ＲＵブロック２８００及び２９００内のトーンの位置は、２０ＭＨｚチャネル内のオフセットｆ０に対して相対的に与えられる。オフセットｆ０は、−１２２、−９５、−６８、−４１、＋１６、＋４３、＋７０、及び＋９７のうちのいずれかとされ得る。
【０２２７】
代替案２は、パイロットの間（すなわち、ＲＵブロック２８００の第１のパイロット２８０４と第２のパイロット２８０６との間及びＲＵブロック２９００の第１のパイロット２９０４と第２のパイロット２９０６との間）のトーン間隔が１２副搬送波になることを定義し、ＲＵの外側エッジとそれぞれの最も近いパイロットトーン位置との間に６つの副搬送波を含む。２ｘＬＴＦ設計では、ＬＴＦ  ＯＦＤＭシンボルは、２６副搬送波ＲＵ内で１つのパイロットだけを搬送する（上を指す矢印によって示される２ｘＬＴＦ設計のＬＴＦトーンが、ＲＵブロック２８００及び２９００のそれぞれの中で１つのパイロットトーン位置だけに一致するので）が、４ｘＬＴＦ設計では、ＬＴＦ  ＯＦＤＭシンボルは、２６副搬送波ＲＵ内で２つのパイロットを搬送する。
【０２２８】
図３０は、２ｘＬＴＦ設計のＬＴＦシーケンスの奇数マッピングが使用されるときの、２６副搬送波を有する中央ＲＵブロック３０００についてのパイロットトーン位置を示す。中央ＲＵブロック３０００内のトーンの位置は、中央ＲＵブロック３０００の中央副搬送波に対する相対的な第１のオフセットｆ０及び第２のオフセットｆ１に対して相対的に与えられる。第１、第２、及び第３の実施形態では、第１のオフセットｆ０は、それぞれ−１４、−１５、及び−１６であり、第２のオフセットｆ１は、それぞれ＋２、＋３、及び＋４である。中央ＲＵブロック３０００の中央副搬送波より低いトーンは、第１のオフセットｆ０に相対的に示される位置を有する。中央ＲＵブロック３０００の中央副搬送波より高いトーンは、第２のオフセットｆ１に相対的に示される位置を有する。
【０２２９】
代替案２は、第１及び第２のパイロット３００４と３００６との間のトーン間隔が１２副搬送波（ＤＣ副搬送波３００２のいずれをも含まない）になり、パイロットトーン位置からＲＵの外側エッジまでで６副搬送波になることを定義する。これは、２ｘＬＴＦ設計の場合にＬＴＦ  ＯＦＤＭシンボルの中央２６副搬送波ＲＵ内でパイロットが搬送されないことをもたらす。というのは、上を指す矢印によって示される２ｘＬＴＦ設計のＬＴＦトーンが、第１のパイロットトーン位置３００４及び第２のパイロットトーン位置３００６のいずれとも一致しないからである。
【０２３０】
図３１は、設計Ａの代替案２の実施形態による、２ｘＬＴＦ設計のＬＦＴシーケンスの偶数トーンマッピングが使用されるときの５２副搬送波を有する偶数ＲＵブロック３１００のパイロットトーン位置又は２ｘＬＴＦ設計のＬＦＴシーケンスの奇数トーンマッピングが使用されるときの５２副搬送波を有する奇数ＲＵブロック３１００のパイロットトーン位置を示す。図３２は、設計Ａの代替案２の実施形態による、２ｘＬＴＦ設計のＬＦＴシーケンスの偶数トーンマッピングが使用されるときの５６副搬送波を有する奇数ＲＵブロック３２００のパイロットトーン位置又は２ｘＬＴＦ設計のＬＦＴシーケンスの奇数トーンマッピングが使用されるときの２６副搬送波を有する偶数ＲＵブロック３１００のパイロットトーン位置を示す。
【０２３１】
代替案２は、任意の２つのパイロットの間のトーン間隔が１２副搬送波になり、パイロットトーン位置からＲＵの外側エッジまでで６副搬送波になることを定義する。したがって、ＲＵブロック３１００は、それぞれ位置６、１９、３２、及び４５に第１、第２、第３、及び第４のパイロット３１０４、３１０６、３１０８、及び３１１０を有し、ＲＵブロック３２００は、それぞれ位置６、１９、３２、及び４５に第１、第２、第３、及び第４のパイロット３２０４、３２０６、３２０８、及び３２１０を有する。
【０２３２】
２ｘＬＴＦ設計が使用されるときに、ＬＴＦ  ＯＦＤＭシンボルは、図３１及び３２に示されているように、パイロットトーン位置のうちの２つだけが２ｘＬＴＦ設計のトーンの位置（上を指す矢印によって示される）と一致することによって、５２副搬送波ＲＵ内で２つのパイロットだけを搬送する。４ｘＬＴＦ設計に関して、ＬＴＦ  ＯＦＤＭシンボルは、５２副搬送波ＲＵ内で４つのパイロットを搬送する。
【０２３３】
６．設計Ｂ  入れ子になったパイロット構造
入れ子になったパイロット構造では、異なる個数の副搬送波を有する異なるＲＵの間のパイロットトーン位置が、同一の物理周波数位置を共有する。最小リソースサイズユニットについての１つ又は複数のパイロットトーン位置が、決定され、より大きいリソースサイズユニットのパイロットトーン位置は、最小リソースサイズユニットのパイロットトーン位置の中から選択される。パイロットトーン位置設計の実施形態が、本明細書で２つの異なるケースに関して開示される。
【０２３４】
ケース１は、２６副搬送波ＲＵ、５２副搬送波ＲＵ、１０６又は１０８副搬送波ＲＵ、２４２副搬送波ＲＵ、４８４副搬送波ＲＵ、及び９９４又は９９６副搬送波ＲＵを有するＲＵ定義設計を実施し、各２６副搬送波ＲＵと任意の隣接する２６副搬送波ＲＵとの間に１つ又は複数のヌルトーン又は予約済みトーンがある。ケース２は、２６副搬送波ＲＵ、５２副搬送波ＲＵ、１０６又は１０８副搬送波ＲＵ、２４２副搬送波ＲＵ、４８４副搬送波ＲＵ、及び９９４又は９９６副搬送波ＲＵを有するＲＵ定義設計を実施し、連続する２６副搬送波ＲＵの対は、各２０ＭＨｚ帯域幅内の中央２６副搬送波ＲＵを除いて、５２副搬送波ＲＵと整列する（周波数方向に）。
【０２３５】
図３３から４５では、２０ＭＨｚ帯域幅内の潜在的なパイロットトーン位置が、図面を通って垂直に延びる点線によって示される。ＲＵごとの実際のパイロットトーン位置は、上を指す矢印によって示される。実線の上を指す矢印は、固定された位置を有するパイロットトーン位置を示す。点線の上を指す矢印は、２つの位置のうちの１つを有するパイロットトーン位置を示し、設計選択に従って、基準副搬送波の左の第１の位置及び基準副搬送波の右の第２の位置を含む。一実施形態では、基準副搬送波は、２６副搬送波ＲＵの１３副搬送波半分の中央副搬送波である。
【０２３６】
一実施形態では、各潜在的なパイロットトーン位置は、フレームのＨＥ−ＬＴＦシンボル内のパイロットトーン位置と整列する。いくつかの実施形態では、２つのパイロットトーン位置が、所与の帯域幅の各２６副搬送波ＲＵ内に存在する。たとえば、図１２、１３、及び１６に示されているように、各２６副搬送波ＲＵ内のパイロットトーン位置は、トーン１２０４及び１２０６（図１２に関して）、トーン１３０４及び１３０６（図１３に関して）、並びにトーン１６０４及び１６０６（図１６に関して）によって表され得る。２６副搬送波ＲＵ内のパイロットトーン位置は、より多数の副搬送波（たとえば、５２個、１０６個、２４２個、４８４個、９９６個、及び２ｘ９９６個の副搬送波）を有するＲＵの潜在的なパイロットトーン位置になる。言い換えると、潜在的なパイロットトーン位置は、所与の帯域幅の２６副搬送波ＲＵごとに使用されるパイロットトーン位置のアグリゲーションである。
【０２３７】
図３３Ａは、ケース１の２０ＭＨｚチャネル３３００のパイロットトーン位置の第１のオプションを示す。ケース１では、少なくとも１つのヌルトーン又は予約済みトーンが、各２６副搬送波ＲＵの間に存在する。ＲＵごとのパイロットトーン位置は、第１から第１８の潜在的なパイロットトーン位置ｃ１からｃ１８から選択される。図３３Ｂは、一実施形態による、潜在的なパイロットトーン位置ｃ１からｃ１８のそれぞれの位置をリストする表９を示すが、諸実施形態はこれに限定されず、上の設計Ａの２６サブチャネルＲＵに関して開示されたパイロットトーン位置のいずれもが、潜在的なパイロットトーン位置ｃ１からｃ１８に使用され得る。図３３Ａ及び３３Ｂは、２０ＭＨｚチャネル３３００が、１８という潜在的なパイロットトーン位置の総数を有することを示す。
【０２３８】
図３３Ａ及び図３４から４５では、各ＲＵの真下に現れる数が、そのＲＵの最低副搬送波及び最高副搬送波のインデックスを示す。インデックスは、２０ＭＨｚチャネル３３００の中央（第０）ＤＣ副搬送波に対する相対的なインデックスである。たとえば、図３３Ａでは、第１の２６副搬送波ＲＵ３３０２の真下に現れる数は、第１の２６副搬送波ＲＵ３３０２の最低副搬送波のインデックスが−１２２であり、第１の２６副搬送波ＲＵ３３０２の最高副搬送波のインデックスが−９７であることを示す。表３３Ｂに示された位置も、２０ＭＨｚチャネル３３００の中央（第０）ＤＣ副搬送波に対する相対的なインデックスである。
【０２３９】
図３３Ａは、潜在的なパイロットトーン位置ｃ１及びｃ２にパイロットトーン位置を有する第１の２６副搬送波ＲＵ３３０２、潜在的なパイロットトーン位置ｃ３及びｃ４にパイロットトーン位置を有する第２の２６副搬送波ＲＵ３３０４、潜在的なパイロットトーン位置ｃ５及びｃ６にパイロットトーン位置を有する第３の２６副搬送波ＲＵ３３０６、潜在的なパイロットトーン位置ｃ７及びｃ８にパイロットトーン位置を有する第４の２６副搬送波ＲＵ３３０８、潜在的なパイロットトーン位置ｃ９及びｃ１０にパイロットトーン位置を有する第５の（中央）２６副搬送波ＲＵ３３１０、潜在的なパイロットトーン位置ｃ１１及びｃ１２にパイロットトーン位置を有する第６の２６副搬送波ＲＵ３３１２、潜在的なパイロットトーン位置ｃ１３及びｃ１４にパイロットトーン位置を有する第７の２６副搬送波ＲＵ３３１４、潜在的なパイロットトーン位置ｃ１５及びｃ１６にパイロットトーン位置を有する第８の２６副搬送波ＲＵ３３１６、並びに潜在的なパイロットトーン位置ｃ１７及びｃ１８にパイロットトーン位置を有する第９の２６副搬送波ＲＵ３３１８を示す。
【０２４０】
図３３Ａは、潜在的なパイロットトーン位置ｃ１、ｃ２、ｃ３、及びｃ４にパイロットトーン位置を有する第１の５２副搬送波ＲＵ３３２２、潜在的なパイロットトーン位置ｃ５、ｃ６、ｃ７、及びｃ８にパイロットトーン位置を有する第２の５２副搬送波ＲＵ３３２４、潜在的なパイロットトーン位置ｃ１１、ｃ１２、ｃ１３、及びｃ１４にパイロットトーン位置を有する第３の５２副搬送波ＲＵ３３２６、並びに潜在的なパイロットトーン位置ｃ１５、ｃ１６、ｃ１７、及びｃ１８にパイロットトーン位置を有する第４の５２副搬送波ＲＵ３３２８を更に示す。
【０２４１】
図３３Ａは、潜在的なパイロットトーン位置ｃ１、ｃ４、ｃ５、及びｃ８にパイロットトーン位置を有する第１の１０６副搬送波ＲＵ３３３２、潜在的なパイロットトーン位置ｃ１１、ｃ１４、ｃ１５、及びｃ１８にパイロットトーン位置を有する第２の１０６副搬送波ＲＵ３３３４、並びに潜在的なパイロットトーン位置ｃ１、ｃ４、ｃ５、ｃ８、ｃ１１、ｃ１４、ｃ１５、及びｃ１８にパイロットトーン位置を有する２４２副搬送波ＲＵ３３３６を更に示す。
【０２４２】
図３３Ａの５２副搬送波ＲＵ、１０６副搬送波ＲＵ、及び２４２副搬送波ＲＵのそれぞれは、同一の帯域幅を占有する、より少数の副搬送波を有するＲＵによって使用されるパイロットトーン位置の中から選択されたパイロットトーン位置を有する。
【０２４３】
更に、２０ＭＨｚチャネル３３００の下側１０ＭＨｚ内の各ＲＵは、２０ＭＨｚチャネル３３００の上側１０ＭＨｚの対応する鏡映されたＲＵ（すなわち、同一個数の副搬送波及び２０ＭＨｚチャネル３３００の中央からの同一のオフセットを有するＲＵ）と鏡面対称であるパイロットトーン位置を有する。たとえば、第１の２６副搬送波ＲＵ３３０２のパイロットトーン位置は、第９の２６副搬送波ＲＵ３３１８のパイロットトーン位置に対して鏡面対称になるように位置決めされ、第２の５２副搬送波ＲＵ３３２４のパイロットトーン位置は、第３の５２副搬送波ＲＵ３３２６のパイロットトーン位置に対して鏡面対称になるように位置決めされるなどである。
【０２４４】
図３４は、ケース１のパイロットトーン位置の第２のオプションを示す。一実施形態では、第２のオプションは、図３３Ｂの表９に示された第１から第１８の潜在的なパイロットトーン位置ｃ１からｃ１８を使用することができるが、諸実施形態はこれに限定されず、上の設計Ａの２６サブチャネルＲＵに関して開示されたパイロットトーン位置のいずれもが、潜在的なパイロットトーン位置ｃ１からｃ１８に使用され得る。
【０２４５】
図３４は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ３４０２、３４０４、３４０６、及び３４０８と、潜在的なパイロットトーン位置ｃ９及びｃ１０にパイロットトーン位置を有する第５の（中央）２６副搬送波ＲＵ３４１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ３４１２、３４１４、３４１６、及び３４１８とを示す。２６副搬送波ＲＵ３４０２、３４０４、３４０６、３４０８、３４１０、３４１２、３４１４、３４１６、及び３４１８のそれぞれで、それぞれの第１及び第２のパイロットトーン位置は、それぞれの２６個の副搬送波によってカバーされる潜在的なパイロットトーン位置に対応する。
【０２４６】
図３４は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ３４２２、３４２４、３４２６、及び３４２８を更に示す。５２副搬送波ＲＵ３４２２、３４２４、３４２６、及び３４２８のそれぞれの中で、それぞれの第１、第２、第３、及び第４のパイロットトーン位置は、それぞれの５２個の副搬送波によってカバーされる潜在的なパイロットトーン位置に対応する。
【０２４７】
図３４は、潜在的なパイロットトーン位置ｃ１、ｃ３、ｃ６、及びｃ８にパイロットトーン位置を有する第１の１０６副搬送波ＲＵ３４３２並びに潜在的なパイロットトーン位置ｃ１１、ｃ１３、ｃ１６、及びｃ１８にパイロットトーン位置を有する第２の１０６副搬送波ＲＵ３４３４を更に示す。１０６副搬送波ＲＵ３４３３及び３４３４のそれぞれの中で、第１のパイロットトーン位置は、ＲＵによってカバーされる潜在的なパイロットトーン位置の中で最小のインデックスに対応するインデックスを有し、第２のパイロットトーン位置は、第１のパイロットトーン位置から２つの潜在的なパイロットトーン位置だけ離れて間隔を置かれ、第３のパイロットトーン位置は、第２のパイロットトーン位置から３つの潜在的なパイロットトーン位置だけ離れて間隔を置かれ、第４のパイロットトーン位置は、第３のパイロットトーン位置から２つの潜在的なパイロットトーン位置だけ離れて間隔を置かれる。
【０２４８】
図３４は、潜在的なパイロットトーン位置ｃ１、ｃ３、ｃ６、ｃ８、ｃ１１、ｃ１３、ｃ１６、及びｃ１８にパイロットトーン位置を有する２４２副搬送波ＲＵ３４３６を更に示す。２４２副搬送波ＲＵ３４３６は、２４２個の副搬送波によってカバーされる潜在的なパイロットトーン位置の中で最小のインデックスを有する第１のパイロットトーン位置、第１のパイロットトーン位置から２つの潜在的なパイロットトーン位置だけ離れて間隔を置かれた第２のパイロットトーン位置、第２のパイロットトーン位置から３つの潜在的なパイロットトーン位置だけ離れて間隔を置かれた第３のパイロットトーン位置、第３のパイロットトーン位置から２つの潜在的なパイロットトーン位置だけ離れて間隔を置かれた第４のパイロットトーン位置、第４のパイロットトーン位置から３つの潜在的なパイロットトーン位置だけ離れて間隔を置かれた第５のパイロットトーン位置、第５のパイロットトーン位置から２つの潜在的なパイロットトーン位置だけ離れて間隔を置かれた第６のパイロットトーン位置、第６のパイロットトーン位置から３つの潜在的なパイロットトーン位置だけ離れて間隔を置かれた第７のパイロットトーン位置、及び第７のパイロットトーン位置から２つの潜在的なパイロットトーン位置だけ離れて間隔を置かれた第８のパイロットトーン位置を有する。
【０２４９】
図３４の５２副搬送波ＲＵ、１０６副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図３４に示されたパイロットトーン位置は、図３３Ａに関して説明された鏡面対称を示す。したがって、パイロットトーン位置は、関係ｃ１＝−ｃ１８、ｃ２＝−ｃ１７、ｃ３＝−ｃ１６、ｃ４＝−ｃ１５、ｃ５＝−ｃ１４、ｃ６＝−ｃ１３、ｃ７＝−ｃ１２、ｃ８＝−ｃ１１、及びｃ９＝−ｃ１０（ｃ１８＞ｃ１７＞ｃ１６＞ｃ１５＞ｃ１４＞ｃ１３＞ｃ１２＞ｃ１１＞ｃ１０＞ｃ９＞ｃ８＞ｃ７＞ｃ６＞ｃ５＞ｃ４＞ｃ３＞ｃ２＞ｃ１）を満足する。
【０２５０】
図３５は、ケース１のパイロットトーン位置の第３のオプションを示す。一実施形態では、第３のオプションは、図３３Ｂの表９に示された第１から第１８の潜在的なパイロットトーン位置ｃ１からｃ１８を使用することができるが、諸実施形態はこれに限定されず、上の設計Ａの２６副搬送波ＲＵに関して開示されたパイロットトーン位置のいずれもが、潜在的なパイロットトーン位置ｃ１からｃ１８に使用され得る。
【０２５１】
図３５は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ３５０２、３５０４、３５０６、及び３５０８と、潜在的なパイロットトーン位置ｃ９及びｃ１０にパイロットトーン位置を有する第５の（中央）２６副搬送波ＲＵ３５１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ３５１２、３５１４、３５１６、及び３５１８とを示す。
【０２５２】
図３５は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ３５２２、３５２４、３５２６、及び３５２８を更に示す。
【０２５３】
図３５は、潜在的なパイロットトーン位置ｃ１、ｃ３、ｃ５、及びｃ７にパイロットトーン位置を有する第１の１０６副搬送波ＲＵ３５３２と、潜在的なパイロットトーン位置ｃ１２、ｃ１４、ｃ１６、及びｃ１８にパイロットトーン位置を有する第２の１０６副搬送波ＲＵ３５３４と、潜在的なパイロットトーン位置ｃ１、ｃ３、ｃ５、ｃ７、ｃ１２、ｃ１４、ｃ１６、及びｃ１８にパイロットトーン位置を有する２４２副搬送波ＲＵ３５３６とを更に示す。
【０２５４】
図３５の５２副搬送波ＲＵ、１０６副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図３５に示されたパイロットトーン位置は、図３３Ａに関して説明された鏡面対称を示す。
【０２５５】
図３６は、ケース１のパイロットトーン位置の第４のオプションを示す。一実施形態では、第４のオプションは、図３３Ｂの表９に示された第１から第１８の潜在的なパイロットトーン位置ｃ１からｃ１８を使用することができるが、諸実施形態はこれに限定されない。
【０２５６】
図３６は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ３６０２、３６０４、３６０６、及び３６０８と、潜在的なパイロットトーン位置ｃ９及びｃ１０にパイロットトーン位置を有する第５の（中央）２６副搬送波ＲＵ３６１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ３６１２、３６１４、３６１６、及び３６１８とを示す。
【０２５７】
図３６は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ３６２２、３６２４、３６２６、及び３６２８を更に示す。
【０２５８】
図３６は、潜在的なパイロットトーン位置ｃ２、ｃ４、ｃ６、及びｃ８にパイロットトーン位置を有する第１の１０６副搬送波ＲＵ３６３２と、潜在的なパイロットトーン位置ｃ１１、ｃ１３、ｃ１５、及びｃ１７にパイロットトーン位置を有する第２の１０６副搬送波ＲＵ３６３４と、潜在的なパイロットトーン位置ｃ２、ｃ４、ｃ６、ｃ８、ｃ１１、ｃ１３、ｃ１５、及びｃ１７にパイロットトーン位置を有する２４２副搬送波ＲＵ３６３６とを更に示す。
【０２５９】
図３６の５２副搬送波ＲＵ、１０６副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図３６に示されたパイロットトーン位置は、図３３Ａに関して説明された鏡面対称を示す。
【０２６０】
図３３Ａ、３４、３５、及び３６に示されたケース１のオプション１、２、３、及び４は、それぞれ、２０ＭＨｚ帯域幅の、１０８副搬送波ＲＵではなく１０６副搬送波ＲＵが使用されるときのパイロットトーン位置を示す。２６副搬送波ＲＵ内のパイロットトーン位置は、設計Ａセクションで説明される、提案されるパイロットトーン位置実施形態とされ得る。
【０２６１】
より大きいサイズを有するリソースユニット（ＲＵ）は、同一周波数を占有するアグリゲートされた２６副搬送波ＲＵと同一のパイロットトーン位置又はそのサブセットであるパイロットトーン位置を有する。１０６副搬送波ＲＵは、１０６副搬送波ＲＵに関して使用可能な８つの潜在的なパイロットトーン位置の中からのそのＲＵ割振り内の４つのパイロットを有する。オプション１から４は、２４２副搬送波ＲＵの８つのパイロットトーン位置に対応する、１０６副搬送波ＲＵの４つのパイロットトーン位置の異なる代替案である。１０６副搬送波ＲＵ及び２４２副搬送波ＲＵのパイロットトーン位置は、周波数ダイバーシティが最大化され得るように（すなわち、パイロットの間の間隔が大きくなるようにするために）２６副搬送波ＲＵのパイロットトーン位置から生じる潜在的な位置のセットから選択される。
【０２６２】
図３７は、ケース１のパイロットトーン位置の第５のオプションを示す。一実施形態では、第５のオプションは、図３３Ｂの表９に示された第１から第１８の潜在的なパイロットトーン位置ｃ１からｃ１８を使用することができるが、諸実施形態はこれに限定されない。
【０２６３】
図３７は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ３７０２、３７０４、３７０６、及び３７０８と、潜在的なパイロットトーン位置ｃ９及びｃ１０にパイロットトーン位置を有する第５の（中央）２６副搬送波ＲＵ３７１０と、それぞれ、潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ３７１２、３７１４、３７１６、及び３７１８とを示す。
【０２６４】
図３７は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ３７２２、３７２４、３７２６、及び３７２８を更に示す。
【０２６５】
図３７は、潜在的なパイロットトーン位置ｃ１、ｃ２、ｃ４、ｃ５、ｃ７、及びｃ８にパイロットトーン位置を有する第１の１０８副搬送波ＲＵ３７３２と、潜在的なパイロットトーン位置ｃ１１、ｃ１２、ｃ１４、ｃ１５、ｃ１７、及びｃ１８にパイロットトーン位置を有する第２の１０８副搬送波ＲＵ３７３４と、潜在的なパイロットトーン位置ｃ１、ｃ４、ｃ５、ｃ８、ｃ１１、ｃ１４、ｃ１５、及びｃ１８にパイロットトーン位置を有する２４２副搬送波ＲＵ３７３６とを更に示す。
【０２６６】
図３７の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図３７に示されたパイロットトーン位置は、図３３Ａに関して説明された鏡面対称を示す。
【０２６７】
図３８は、ケース１のパイロットトーン位置の第６のオプションを示す。一実施形態では、第６のオプションは、図３３Ｂの表９に示された第１から第１８の潜在的なパイロットトーン位置ｃ１からｃ１８を使用することができるが、諸実施形態はこれに限定されない。
【０２６８】
図３８は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ３８０２、３８０４、３８０６、及び３８０８と、潜在的なパイロットトーン位置ｃ９及びｃ１０にパイロットトーン位置を有する第５の（中央）２６副搬送波ＲＵ３８１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ３８１２、３８１４、３８１６、及び３８１８とを示す。
【０２６９】
図３８は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ３８２２、３８２４、３８２６、及び３８２８を更に示す。
【０２７０】
図３８は、潜在的なパイロットトーン位置ｃ１、ｃ２、ｃ４、ｃ５、ｃ７、及びｃ８にパイロットトーン位置を有する第１の１０８副搬送波ＲＵ３８３２と、潜在的なパイロットトーン位置ｃ１１、ｃ１２、ｃ１４、ｃ１５、ｃ１７、及びｃ１８にパイロットトーン位置を有する第２の１０８副搬送波ＲＵ３８３４と、潜在的なパイロットトーン位置ｃ１、ｃ４、ｃ７、ｃ８、ｃ１１、ｃ１２、ｃ１５、及びｃ１８にパイロットトーン位置を有する２４２副搬送波ＲＵ３８３６とを更に示す。
【０２７１】
図３８の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図３８に示されたパイロットトーン位置は、図３３Ａに関して説明された鏡面対称を示す。
【０２７２】
図３９は、ケース１のパイロットトーン位置の第７のオプションを示す。一実施形態では、第７のオプションは、図３３Ｂの表９に示された第１から第１８の潜在的なパイロットトーン位置ｃ１からｃ１８を使用することができるが、諸実施形態はこれに限定されない。
【０２７３】
図３９は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ３９０２、３９０４、３９０６、及び３９０８と、潜在的なパイロットトーン位置ｃ９及びｃ１０にパイロットトーン位置を有する第５の（中央）２６副搬送波ＲＵ３９１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ３９１２、３９１４、３９１６、及び３９１８とを示す。
【０２７４】
図３９は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ３９２２、３９２４、３９２６、及び３９２８を更に示す。
【０２７５】
図３９は、潜在的なパイロットトーン位置ｃ１、ｃ２、ｃ４、ｃ５、ｃ７、及びｃ８にパイロットトーン位置を有する第１の１０８副搬送波ＲＵ３９３２と、潜在的なパイロットトーン位置ｃ１１、ｃ１２、ｃ１４、ｃ１５、ｃ１７、及びｃ１８にパイロットトーン位置を有する第２の１０８副搬送波ＲＵ３９３４と、潜在的なパイロットトーン位置ｃ１、ｃ２、ｃ５、ｃ８、ｃ１１、ｃ１４、ｃ１７、及びｃ１８にパイロットトーン位置を有する２４２副搬送波ＲＵ３９３６とを更に示す。
【０２７６】
図３９の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図３９に示されたパイロットトーン位置は、図３３Ａに関して説明された鏡面対称を示す。
【０２７７】
図４０は、ケース１のパイロットトーン位置の第８のオプションを示す。一実施形態では、第８のオプションは、図３３Ｂの表９に示された第１から第１８の潜在的なパイロットトーン位置ｃ１からｃ１８を使用することができるが、諸実施形態はこれに限定されない。
【０２７８】
図４０は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ４００２、４００４、４００６、及び４００８と、潜在的なパイロットトーン位置ｃ９及びｃ１０にパイロットトーン位置を有する第５の（中央）２６副搬送波ＲＵ４０１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ４０１２、４０１４、４０１６、及び４０１８とを示す。
【０２７９】
図４０は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ４０２２、４０２４、４０２６、及び４０２８を更に示す。
【０２８０】
図４０は、潜在的なパイロットトーン位置ｃ１、ｃ３、ｃ４、ｃ５、ｃ６、及びｃ８にパイロットトーン位置を有する第１の１０８副搬送波ＲＵ４０３２と、潜在的なパイロットトーン位置ｃ１１、ｃ１３、ｃ１４、ｃ１５、ｃ１６、及びｃ１８にパイロットトーン位置を有する第２の１０８副搬送波ＲＵ４０３４と、潜在的なパイロットトーン位置ｃ１、ｃ４、ｃ５、ｃ８、ｃ１１、ｃ１４、ｃ１５、及びｃ１８にパイロットトーン位置を有する２４２副搬送波ＲＵ４０３６とを更に示す。
【０２８１】
図４０の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図４０に示されたパイロットトーン位置は、図３３Ａに関して説明された鏡面対称を示す。
【０２８２】
図４１は、ケース１のパイロットトーン位置の第９のオプションを示す。一実施形態では、第９のオプションは、図３３Ｂの表９に示された第１から第１８の潜在的なパイロットトーン位置ｃ１からｃ１８を使用することができるが、諸実施形態はこれに限定されない。
【０２８３】
図４１は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ４１０２、４１０４、４１０６、及び４１０８と、潜在的なパイロットトーン位置ｃ９及びｃ１０にパイロットトーン位置を有する第５の（中央）２６副搬送波ＲＵ４１１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ４１１２、４１１４、４１１６、及び４１１８とを示す。
【０２８４】
図４１は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ４１２２、４１２４、４１２６、及び４１２８を更に示す。
【０２８５】
図４１は、潜在的なパイロットトーン位置ｃ１、ｃ３、ｃ４、ｃ５、ｃ６、及びｃ８にパイロットトーン位置を有する第１の１０８副搬送波ＲＵ４１３２と、潜在的なパイロットトーン位置ｃ１１、ｃ１３、ｃ１４、ｃ１５、ｃ１６、及びｃ１８にパイロットトーン位置を有する第２の１０８副搬送波ＲＵ４１３４と、潜在的なパイロットトーン位置ｃ１、ｃ３、ｃ６、ｃ８、ｃ１１、ｃ１３、ｃ１６、及びｃ１８にパイロットトーン位置を有する２４２副搬送波ＲＵ４１３６とを更に示す。
【０２８６】
図４１の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図４１に示されたパイロットトーン位置は、図３３Ａに関して説明された鏡面対称を示す。
【０２８７】
図４２は、ケース１のパイロットトーン位置の第１０のオプションを示す。一実施形態では、第１０のオプションは、図３３Ｂの表９に示された第１から第１８の潜在的なパイロットトーン位置ｃ１からｃ１８を使用することができるが、諸実施形態はこれに限定されない。
【０２８８】
図４２は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ４２０２、４２０４、４２０６、及び４２０８と、潜在的なパイロットトーン位置ｃ９及びｃ１０にパイロットトーン位置を有する第５の（中央）２６副搬送波ＲＵ４２１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ４２１２、４２１４、４２１６、及び４２１８とを示す。
【０２８９】
図４２は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ４２２２、４２２４、４２２６、及び４２２８を更に示す。
【０２９０】
図４２は、潜在的なパイロットトーン位置ｃ１、ｃ３、ｃ４、ｃ５、ｃ６、及びｃ８にパイロットトーン位置を有する第１の１０８副搬送波ＲＵ４２３２と、潜在的なパイロットトーン位置ｃ１１、ｃ１３、ｃ１４、ｃ１５、ｃ１６、及びｃ１８にパイロットトーン位置を有する第２の１０８副搬送波ＲＵ４２３４と、潜在的なパイロットトーン位置ｃ１、ｃ３、ｃ５、ｃ８、ｃ１１、ｃ１４、ｃ１６、及びｃ１８にパイロットトーン位置を有する２４２副搬送波ＲＵ４２３６とを更に示す。
【０２９１】
図４２の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図４２に示されたパイロットトーン位置は、図３３Ａに関して説明された鏡面対称を示す。
【０２９２】
図４３は、ケース１のパイロットトーン位置の第１１のオプションを示す。一実施形態では、第１１のオプションは、図３３Ｂの表９に示された第１から第１８の潜在的なパイロットトーン位置ｃ１からｃ１８を使用することができるが、諸実施形態はこれに限定されない。
【０２９３】
図４３は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ４３０２、４３０４、４３０６、及び４３０８と、潜在的なパイロットトーン位置ｃ９及びｃ１０にパイロットトーン位置を有する第５の（中央）２６副搬送波ＲＵ４３１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ４３１２、４３１４、４３１６、及び４３１８とを示す。
【０２９４】
図４３は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ４３２２、４３２４、４３２６、及び４３２８を更に示す。
【０２９５】
図４３は、潜在的なパイロットトーン位置ｃ１、ｃ３、ｃ４、ｃ５、ｃ６、及びｃ８にパイロットトーン位置を有する第１の１０８副搬送波ＲＵ４３３２と、潜在的なパイロットトーン位置ｃ１１、ｃ１３、ｃ１４、ｃ１５、ｃ１６、及びｃ１８にパイロットトーン位置を有する第２の１０８副搬送波ＲＵ４３３４と、潜在的なパイロットトーン位置ｃ１、ｃ４、ｃ６、ｃ８、ｃ１１、ｃ１３、ｃ１５、及びｃ１８にパイロットトーン位置を有する２４２副搬送波ＲＵ４３３６とを更に示す。
【０２９６】
図４３の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図４３に示されたパイロットトーン位置は、図３３Ａに関して説明された鏡面対称を示す。
【０２９７】
図４４は、ケース１のパイロットトーン位置の第１２のオプションを示す。一実施形態では、第１２のオプションは、図３３Ｂの表９に示された第１から第１８の潜在的なパイロットトーン位置ｃ１からｃ１８を使用することができるが、諸実施形態はこれに限定されない。
【０２９８】
図４４は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ４４０２、４４０４、４４０６、及び４４０８と、潜在的なパイロットトーン位置ｃ９及びｃ１０にパイロットトーン位置を有する第５の（中央）２６副搬送波ＲＵ４４１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ４４１２、４４１４、４４１６、及び４４１８とを示す。
【０２９９】
図４４は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ４４２２、４４２４、４４２６、及び４４２８を更に示す。
【０３００】
図４４は、潜在的なパイロットトーン位置ｃ１、ｃ２、ｃ３、ｃ６、ｃ７、及びｃ８にパイロットトーン位置を有する第１の１０８副搬送波ＲＵ４４３２と、潜在的なパイロットトーン位置ｃ１１、ｃ１２、ｃ１３、ｃ１６、ｃ１７、及びｃ１８にパイロットトーン位置を有する第２の１０８副搬送波ＲＵ４４３４と、潜在的なパイロットトーン位置ｃ１、ｃ３、ｃ６、ｃ８、ｃ１１、ｃ１３、ｃ１６、及びｃ１８にパイロットトーン位置を有する２４２副搬送波ＲＵ４４３６とを更に示す。
【０３０１】
図４４の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図４４に示されたパイロットトーン位置は、図３３Ａに関して説明された鏡面対称を示す。
【０３０２】
図４５は、ケース１のパイロットトーン位置の第１３のオプションを示す。一実施形態では、第１３のオプションは、図３３Ｂの表９に示された第１から第１８の潜在的なパイロットトーン位置ｃ１からｃ１８を使用することができるが、諸実施形態はこれに限定されない。
【０３０３】
図４５は、それぞれ潜在的なパイロットトーン位置ｃ１及びｃ２、ｃ３及びｃ４、ｃ５及びｃ６、並びにｃ７及びｃ８にパイロットトーン位置を有する第１、第２、第３、及び第４の２６副搬送波ＲＵ４５０２、４５０４、４５０６、及び４５０８と、潜在的なパイロットトーン位置ｃ９及びｃ１０にパイロットトーン位置を有する第５の（中央）２６副搬送波ＲＵ４５１０と、それぞれ潜在的なパイロットトーン位置ｃ１１及びｃ１２、ｃ１３及びｃ１４、ｃ１５及びｃ１６、並びにｃ１７及びｃ１８にパイロットトーン位置を有する第６、第７、第８、及び第９の２６副搬送波ＲＵ４５１２、４５１４、４５１６、並びに４５１８を示す。
【０３０４】
図４５は、それぞれ潜在的なパイロットトーン位置ｃ１、ｃ２、ｃ３、及びｃ４、潜在的なパイロットトーン位置ｃ５、ｃ６、ｃ７、及びｃ８、潜在的なパイロットトーン位置ｃ１１、ｃ１２、ｃ１３、及びｃ１４、並びに潜在的なパイロットトーン位置ｃ１５、ｃ１６、ｃ１７、及びｃ１８にパイロットトーン位置を有する第１、第２、第３、及び第４の５２副搬送波ＲＵ４５２２、４５２４、４５２６、及び４５２８を更に示す。
【０３０５】
図４５は、潜在的なパイロットトーン位置ｃ１、ｃ３、ｃ４、ｃ５、ｃ７、及びｃ８にパイロットトーン位置を有する第１の１０８副搬送波ＲＵ４５３２と、潜在的なパイロットトーン位置ｃ１１、ｃ１２、ｃ１４、ｃ１５、ｃ１６、及びｃ１８にパイロットトーン位置を有する第２の１０８副搬送波ＲＵ４５３４と、潜在的なパイロットトーン位置ｃ１、ｃ３、ｃ５、ｃ７、ｃ１２、ｃ１４、ｃ１６、及びｃ１８にパイロットトーン位置を有する２４２副搬送波ＲＵ４５３６とを更に示す。
【０３０６】
図４５の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図４１に示されたパイロットトーン位置は、図３３Ａに関して説明された鏡面対称を示す。
【０３０７】
それぞれ図３７、３８、３９、４０、４１、４２、４３、４４、及び４５に示されたケース１のオプション５、６、７、８、９、１０、１１、１２、及び１３は、２０ＭＨｚ帯域幅の、１０６副搬送波ＲＵではなく１０８副搬送波ＲＵが使用されるときのパイロットトーン位置を示す。２６副搬送波ＲＵ内のパイロットトーン位置は、設計Ａセクションで説明される、提案されるパイロットトーン位置実施形態とされ得る。
【０３０８】
より大きいサイズを有するリソースユニット（ＲＵ）は、同一周波数を占有するアグリゲートされた２６副搬送波ＲＵと同一のパイロットトーン位置又はそのサブセットであるパイロット周波数位置を有する。１０８副搬送波ＲＵは、１０８副搬送波ＲＵに関して使用可能な８つの潜在的なパイロットトーン位置の中からのそのそれぞれのＲＵ割振り内の６つのパイロットを有する。オプション５から１３は、２４２副搬送波ＲＵの８つのパイロットトーン位置に対応する、１０８副搬送波ＲＵの６つのパイロットトーン位置の異なる代替案である。１０８副搬送波ＲＵ及び２４２副搬送波ＲＵのパイロットトーン位置は、周波数ダイバーシティが最大化され得るように（すなわち、パイロットの間の間隔が大きくなるようにするために）２６副搬送波ＲＵのパイロットトーン位置から生じる潜在的な位置のセットから選択される。
【０３０９】
７．より大きい（２０ＭＨｚを超える）帯域幅
一実施形態では、２０ＭＨｚ帯域幅のために定義されたパイロットトーン位置が、４０、８０、及び１６０ＭＨｚ帯域幅で再利用される。
【０３１０】
４０ＭＨｚ帯域幅ＲＵ定義は、２つの論理的な合成された２０ＭＨｚ  ＲＵ定義を使用して定義される。中央ＲＵを除いて、４０ＭＨｚ帯域幅の左２０ＭＨｚは、上で説明された２０ＭＨｚ実施形態に対応するＲＵ定義及びパイロットトーン位置を有し、４０ＭＨｚ帯域幅の右２０ＭＨｚも、２０ＭＨｚ実施形態に対応するＲＵ定義及びパイロットトーン位置を有する。
【０３１１】
２０ＭＨｚ帯域幅の中央のＤＣトーンが、４０ＭＨｚ帯域幅の左２０ＭＨｚ又は右２０ＭＨｚ内に存在しないので、中央２６副搬送波ＲＵは、４０ＭＨｚ帯域幅の左２０ＭＨｚ又は右２０ＭＨｚ内に存在しない。したがって、偶数２６副搬送波ＲＵ又は奇数２６副搬送波ＲＵは、４０ＭＨｚ帯域幅の左２０ＭＨｚ部分及び右２０ＭＨｚ部分の中央部分を占有し、前記中央部分は、２０ＭＨｚ帯域幅の中央２６副搬送波ＲＵによって占有される区域に対応する。偶数２６副搬送波ＲＵ又は奇数２６副搬送波ＲＵのどちらが中央部分内で使用されるのかは、ＲＵの正確な位置に依存する。
【０３１２】
同様に、８０ＭＨｚ帯域幅ＲＵ定義に関して、２つの４０ＭＨｚ  ＲＵ定義及び関連する（相対）パイロットトーン位置が使用される。中央２６副搬送波ＲＵは、２つの４０ＭＨｚ  ＲＵ定義の間に配置され得る。
【０３１３】
１６０ＭＨｚ帯域幅ＲＵ定義に関して、２つの８０ＭＨｚ  ＲＵ定義及び関連する（相対）パイロットトーン位置が使用される。
【０３１４】
図４６Ａから５３は、ケース１の４０ＭＨｚ帯域幅のパイロットトーン位置の実施形態を示す。
【０３１５】
図４６Ａから５３では、潜在的なパイロットトーン位置が、図面を通って垂直に延びる点線によって示される。ＲＵごとの実際のパイロットトーンは、上を指す矢印によって示される。実線の上を指す矢印は、固定された位置を有するパイロットトーンを示す。点線の上を指す矢印は、２つの位置のうちの１つを有するパイロットトーンを示し、設計選択に従って、基準副搬送波の左の第１の位置及び基準副搬送波の右の第２の位置を含む。一実施形態では、基準副搬送波は、２６副搬送波ＲＵの１３副搬送波半分の中央副搬送波である。
【０３１６】
図４６Ａは、４０ＭＨｚチャネル４６００のケース１のパイロットトーン位置の第１のオプションを示し、少なくとも１つのヌルトーン又は予約済みトーンが、各２６副搬送波ＲＵの間に存在する。各ＲＵについてのパイロットトーン位置は、第１から第３６の潜在的なパイロットトーン位置ｄ１からｄ３６から選択される。図４６Ｂは、表１０を示し、表１０は、一実施形態による潜在的なパイロットトーン位置ｄ１からｄ３６のそれぞれの位置をリストするが、諸実施形態はこれに限定されず、上で設計Ａの２６副搬送波ＲＵに関して開示されたパイロットトーン位置のいずれもが、潜在的なパイロットトーン位置ｄ１からｄ３６としての使用のために複製され得る。表１０内の潜在的なパイロットトーン位置ｄ１からｄ３６の順序は、左副表を下り、右副表を上って、潜在的なパイロットトーン位置ｄ１からｄ３６の鏡面対称をよりよく示す。
【０３１７】
図４６Ａは、左側で、潜在的なパイロットトーン位置ｄ１及びｄ２にパイロットトーン位置を有する第１の２６副搬送波ＲＵ４６０２と、潜在的なパイロットトーン位置ｄ３及びｄ４にパイロットトーン位置を有する第２の２６副搬送波ＲＵ４６０４と、潜在的なパイロットトーン位置ｄ５及びｄ６にパイロットトーン位置を有する第３の２６副搬送波ＲＵ４６０６と、潜在的なパイロットトーン位置ｄ７及びｄ８にパイロットトーン位置を有する第４の２６副搬送波ＲＵ４６０８と、潜在的なパイロットトーン位置ｄ９及びｄ１０にパイロットトーン位置を有する第５の２６副搬送波ＲＵ４６１２と、潜在的なパイロットトーン位置ｄ１１及びｄ１２にパイロットトーン位置を有する第６の２６副搬送波ＲＵ４６１４と、潜在的なパイロットトーン位置ｄ１３及びｄ１４にパイロットトーン位置を有する第７の２６副搬送波ＲＵ４６１６と、潜在的なパイロットトーン位置ｄ１５及びｄ１６にパイロットトーン位置を有する第８の２６副搬送波ＲＵ４６１８と、潜在的なパイロットトーン位置ｄ１７及びｄ１８にパイロットトーン位置を有する第９の２６副搬送波ＲＵ４６２０とを示す。
【０３１８】
図４６Ａは、右側で、潜在的なパイロットトーン位置ｄ１９及びｄ２０にパイロットトーン位置を有する第１０の２６副搬送波ＲＵ４６２２と、潜在的なパイロットトーン位置ｄ２１及びｄ２２にパイロットトーン位置を有する第１１の２６副搬送波ＲＵ４６２４と、潜在的なパイロットトーン位置ｄ２３及びｄ２４にパイロットトーン位置を有する第１２の２６副搬送波ＲＵ４６２６と、潜在的なパイロットトーン位置ｄ２５及びｄ２６にパイロットトーン位置を有する第１３の２６副搬送波ＲＵ４６２８と、潜在的なパイロットトーン位置ｄ２７及びｄ２８にパイロットトーン位置を有する第１４の２６副搬送波ＲＵ４６３２と、潜在的なパイロットトーン位置ｄ２９及びｄ３０にパイロットトーン位置を有する第１５の２６副搬送波ＲＵ４６３４と、潜在的なパイロットトーン位置ｄ３１及びｄ３２にパイロットトーン位置を有する第１６の２６副搬送波ＲＵ４６３６と、潜在的なパイロットトーン位置ｄ３３及びｄ３４にパイロットトーン位置を有する第１７の２６副搬送波ＲＵ４６３８と、潜在的なパイロットトーン位置ｄ３５及びｄ３６にパイロットトーン位置を有する第１８の２６副搬送波ＲＵ４６４０とを示す。
【０３１９】
図４６Ａは、左側で、潜在的なパイロットトーン位置ｄ１、ｄ２、ｄ３、及びｄ４にパイロットトーン位置を有する第１の５２副搬送波ＲＵ４６４２と、潜在的なパイロットトーン位置ｄ５、ｄ６、ｄ７、及びｄ８にパイロットトーン位置を有する第２の５２副搬送波ＲＵ４６４４と、潜在的なパイロットトーン位置ｄ１１、ｄ１２、ｄ１３、及びｄ１４にパイロットトーン位置を有する第３の５２副搬送波ＲＵ４６４６と、潜在的なパイロットトーン位置ｄ１５、ｄ１６、ｄ１７、及びｄ１８にパイロットトーン位置を有する第４の５２副搬送波ＲＵ４６４８とを更に示す。
【０３２０】
図４６Ａは、右側で、潜在的なパイロットトーン位置ｄ１９、ｄ２０、ｄ２１、及びｄ２２にパイロットトーン位置を有する第５の５２副搬送波ＲＵ４６５２と、潜在的なパイロットトーン位置ｄ２３、ｄ２４、ｄ２５、及びｄ２６にパイロットトーン位置を有する第６の５２副搬送波ＲＵ４６５４と、潜在的なパイロットトーン位置ｄ２９、ｄ３０、ｄ３１、及びｄ３２にパイロットトーン位置を有する第７の５２副搬送波ＲＵ４６５６と、潜在的なパイロットトーン位置ｄ３３、ｄ３４、ｄ３５、及びｄ３６にパイロットトーン位置を有する第８の５２副搬送波ＲＵ４６５８とを更に示す。
【０３２１】
図４６Ａは、潜在的なパイロットトーン位置ｄ１、ｄ３、ｄ５、及びｄ７にパイロットトーン位置を有する第１の１０６副搬送波ＲＵ４６６２と、潜在的なパイロットトーン位置ｄ１１、ｄ１３、ｄ１５、及びｄ１７にパイロットトーン位置を有する第２の１０６副搬送波ＲＵ４６６４と、潜在的なパイロットトーン位置ｄ２０、ｄ２２、ｄ２４、及びｄ２６にパイロットトーン位置を有する第３の１０６副搬送波ＲＵ４６６６と、潜在的なパイロットトーン位置ｄ３０、ｄ３２、ｄ３４、及びｄ３６にパイロットトーン位置を有する第４の１０６副搬送波ＲＵ４６６８とを更に示す。
【０３２２】
図４６Ａは、潜在的なパイロットトーン位置ｄ１、ｄ３、ｄ５、ｄ７、ｄ１１、ｄ１３、ｄ１５、及びｄ１７にパイロットトーン位置を有する第１の２４２副搬送波ＲＵ４６７２と、潜在的なパイロットトーン位置ｄ２０、ｄ２２、ｄ２４、ｄ２６、ｄ３０、ｄ３２、ｄ３４、及びｄ３６にパイロットトーン位置を有する第２の２４２副搬送波ＲＵ４６７４と、潜在的なパイロットトーン位置ｄ１、ｄ３、ｄ５、ｄ７、ｄ１１、ｄ１３、ｄ１５、ｄ１７、ｄ２０、ｄ２２、ｄ２４、ｄ２６、ｄ３０、ｄ３２、ｄ３４、及びｄ３６にパイロットトーン位置を有する４８４副搬送波ＲＵ４６７６とを更に示す。
【０３２３】
図４６Ａの５２副搬送波ＲＵ、１０６副搬送波ＲＵ、２４２副搬送波ＲＵ、及び４８４副搬送波ＲＵは、同一の帯域幅を占有するより少数の副搬送波を有するＲＵによって使用されるパイロットトーン位置の中から選択されたパイロットトーン位置を有する。
【０３２４】
更に、４０ＭＨｚチャネル４６００の下側２０ＭＨｚ内の各ＲＵは、４０ＭＨｚチャネル４６００の上側２０ＭＨｚの対応する鏡映されたＲＵ（すなわち、同一個数の副搬送波及び４０ＭＨｚチャネル４６００の中央からの同一のオフセットを有するＲＵ）と鏡面対称であるパイロットトーン位置を有する。たとえば、第１の２６副搬送波ＲＵ４６０２のパイロットトーン位置は、第１８の２６副搬送波ＲＵ４６４０のパイロットトーン位置に対して鏡面対称になるように位置決めされ、第２の５２副搬送波ＲＵ４６４４のパイロットトーン位置は、第７の５２副搬送波ＲＵ４６５６のパイロットトーン位置に対して鏡面対称になるように位置決めされるなどである。
【０３２５】
図４７は、４０ＭＨｚ帯域幅のケース１のパイロットトーン位置の第２のオプションを示す。一実施形態では、第２のオプションは、図４６Ｂの表１０に示された第１から第３６の潜在的なパイロットトーン位置ｄ１からｄ３６を使用することができるが、諸実施形態はこれに限定されず、上で設計Ａの２６サブチャネルＲＵに関して開示されたパイロットトーン位置のいずれもが、潜在的なパイロットトーン位置ｄ１からｄ３６としての使用のために複製され得る。
【０３２６】
図４７は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ４７０２から４７４０を示す。
【０３２７】
図４７は、それぞれ図４６Ａの第１から第８の５２副搬送波ＲＵ４６４２から４６５８と同一の潜在的なパイロットトーン位置と同一のパイロットトーン位置を有する第１から第８の５２副搬送波ＲＵ４７４２から４７５８を示す。
【０３２８】
図４７は、潜在的なパイロットトーン位置ｄ２、ｄ４、ｄ６、及びｄ８にパイロットトーン位置を有する第１の１０６副搬送波ＲＵ４７６２と、潜在的なパイロットトーン位置ｄ１２、ｄ１４、ｄ１６、及びｄ１８にパイロットトーン位置を有する第２の１０６副搬送波ＲＵ４７６４と、潜在的なパイロットトーン位置ｄ１９、ｄ２１、ｄ２３、及びｄ２５にパイロットトーン位置を有する第３の１０６副搬送波ＲＵ４７６６と、潜在的なパイロットトーン位置ｄ２９、ｄ３１、ｄ３３、及びｄ３５にパイロットトーン位置を有する第４の１０６副搬送波ＲＵ４７６８とを更に示す。
【０３２９】
図４７は、潜在的なパイロットトーン位置ｄ２、ｄ４、ｄ６、ｄ８、ｄ１２、ｄ１４、ｄ１６、及びｄ１８にパイロットトーン位置を有する第１の２４２副搬送波ＲＵ４７７２と、潜在的なパイロットトーン位置ｄ１９、ｄ２１、ｄ２３、ｄ２５、ｄ２９、ｄ３１、ｄ３３、及びｄ３５にパイロットトーン位置を有する第２の２４２副搬送波ＲＵ４７７４と、潜在的なパイロットトーン位置ｄ２、ｄ４、ｄ６、ｄ８、ｄ１２、ｄ１４、ｄ１６、ｄ１８、ｄ１９、ｄ２１、ｄ２３、ｄ２５、ｄ２９、ｄ３１、ｄ３３、及びｄ３５にパイロットトーン位置を有する４８４副搬送波ＲＵ４７７６とを更に示す。
【０３３０】
図４７の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図４７のパイロットトーン位置は、図４６Ａに関して上で説明された鏡面対称を示す。
【０３３１】
図４８は、４０ＭＨｚ帯域幅のケース１のパイロットトーン位置の第３のオプションを示す。一実施形態では、第３のオプションは、図４６Ｂの表１０に示された第１から第３６の潜在的なパイロットトーン位置ｄ１からｄ３６を使用することができるが、諸実施形態はこれに限定されない。
【０３３２】
図４８は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ４８０２から４８４０を示す。
【０３３３】
図４８は、それぞれ図４６Ａの第１から第８の５２副搬送波ＲＵ４６４２から４６５８と同一の潜在的なパイロットトーン位置にパイロットトーン位置を有する第１から第８の５２副搬送波ＲＵ４８４２から４８５８を示す。
【０３３４】
図４８は、潜在的なパイロットトーン位置ｄ１、ｄ３、ｄ５、及びｄ７にパイロットトーン位置を有する第１の１０６副搬送波ＲＵ４８６２と、潜在的なパイロットトーン位置ｄ１２、ｄ１４、ｄ１６、及びｄ１８にパイロットトーン位置を有する第２の１０６副搬送波ＲＵ４８６４と、潜在的なパイロットトーン位置ｄ１９、ｄ２１、ｄ２３、及びｄ２５にパイロットトーン位置を有する第３の１０６副搬送波ＲＵ４８６６と、潜在的なパイロットトーン位置ｄ３０、ｄ３２、ｄ３４、及びｄ３６にパイロットトーン位置を有する第４の１０６副搬送波ＲＵ４８６８とを更に示す。
【０３３５】
図４８は、潜在的なパイロットトーン位置ｄ１、ｄ３、ｄ５、ｄ７、ｄ１２、ｄ１４、ｄ１６、及びｄ１８にパイロットトーン位置を有する第１の２４２副搬送波ＲＵ４８７２と、潜在的なパイロットトーン位置ｄ１９、ｄ２１、ｄ２３、ｄ２５、ｄ３０、ｄ３２、ｄ３４、及びｄ３６にパイロットトーン位置を有する第２の２４２副搬送波ＲＵ４８７４と、潜在的なパイロットトーン位置ｄ１、ｄ３、ｄ５、ｄ７、ｄ１２、ｄ１４、ｄ１６、ｄ１８、ｄ１９、ｄ２１、ｄ２３、ｄ２５、ｄ３０、ｄ３２、ｄ３４、及びｄ３６にパイロットトーン位置を有する４８４副搬送波ＲＵ４８７６とを更に示す。
【０３３６】
図４８の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図４８のパイロットトーン位置は、図４６Ａに関して上で説明された鏡面対称を示す。
【０３３７】
図４９は、４０ＭＨｚ帯域幅のケース１のパイロットトーン位置の第４のオプションを示す。一実施形態では、第４のオプションは、図４６Ｂの表１０に示された第１から第３６の潜在的なパイロットトーン位置ｄ１からｄ３６を使用することができるが、諸実施形態はこれに限定されない。
【０３３８】
図４９は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ４９０２から４９４０を示す。
【０３３９】
図４９は、それぞれ図４６Ａの第１から第８の５２副搬送波ＲＵ４６４２から４６５８と同一の潜在的なパイロットトーン位置にパイロットトーン位置を有する第１から第８の５２副搬送波ＲＵ４９４２から４９５８を示す。
【０３４０】
図４９は、潜在的なパイロットトーン位置ｄ１、ｄ３、ｄ４、ｄ５、ｄ６、及びｄ８にパイロットトーン位置を有する第１の１０８副搬送波ＲＵ４９６２と、潜在的なパイロットトーン位置ｄ１１、ｄ１３、ｄ１４、ｄ１５、ｄ１６、及びｄ１８にパイロットトーン位置を有する第２の１０８副搬送波ＲＵ４９６４と、潜在的なパイロットトーン位置ｄ１９、ｄ２１、ｄ２２、ｄ２３、ｄ２４、及びｄ２６にパイロットトーン位置を有する第３の１０８副搬送波ＲＵ４９６６と、潜在的なパイロットトーン位置ｄ２９、ｄ３１、ｄ３２、ｄ３３、ｄ３４、及びｄ３６にパイロットトーン位置を有する第４の１０８副搬送波ＲＵ４９６８とを更に示す。
【０３４１】
図４９は、潜在的なパイロットトーン位置ｄ１、ｄ３、ｄ６、ｄ８、ｄ１１、ｄ１３、ｄ１６、及びｄ１８にパイロットトーン位置を有する第１の２４２副搬送波ＲＵ４９７２と、潜在的なパイロットトーン位置ｄ１９、ｄ２１、ｄ２４、ｄ２６、ｄ２９、ｄ３１、ｄ３４、及びｄ３６にパイロットトーン位置を有する第２の２４２副搬送波ＲＵ４９７４と、潜在的なパイロットトーン位置ｄ１、ｄ３、ｄ６、ｄ８、ｄ１１、ｄ１３、ｄ１６、ｄ１８、ｄ１９、ｄ２１、ｄ２４、ｄ２６、ｄ２９、ｄ３１、ｄ３４、及びｄ３６にパイロットトーン位置を有する４８４副搬送波ＲＵ４９７６とを更に示す。
【０３４２】
図４９の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図４９のパイロットトーン位置は、図４６Ａに関して上で説明された鏡面対称を示す。
【０３４３】
図５０は、４０ＭＨｚ帯域幅のケース１のパイロットトーン位置の第５のオプションを示す。一実施形態では、第５のオプションは、図４６Ｂの表１０に示された第１から第３６の潜在的なパイロットトーン位置ｄ１からｄ３６を使用することができるが、諸実施形態はこれに限定されない。
【０３４４】
図５０は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ５００２から５０４０を示す。
【０３４５】
図５０は、それぞれ図４６Ａの第１から第８の５２副搬送波ＲＵ４６４２から４６５８と同一の潜在的なパイロットトーン位置にパイロットトーン位置を有する第１から第８の５２副搬送波ＲＵ５０４２から５０５８を示す。
【０３４６】
図５０は、潜在的なパイロットトーン位置ｄ１、ｄ３、ｄ４、ｄ５、ｄ６、及びｄ８にパイロットトーン位置を有する第１の１０８副搬送波ＲＵ５０６２と、潜在的なパイロットトーン位置ｄ１１、ｄ１３、ｄ１４、ｄ１５、ｄ１６、及びｄ１８にパイロットトーン位置を有する第２の１０８副搬送波ＲＵ５０６４と、潜在的なパイロットトーン位置ｄ１９、ｄ２１、ｄ２２、ｄ２３、ｄ２４、及びｄ２６にパイロットトーン位置を有する第３の１０８副搬送波ＲＵ５０６６と、潜在的なパイロットトーン位置ｄ２９、ｄ３１、ｄ３２、ｄ３３、ｄ３４、及びｄ３６にパイロットトーン位置を有する第４の１０８副搬送波ＲＵ５０６８とを更に示す。
【０３４７】
図５０は、潜在的なパイロットトーン位置ｄ１、ｄ４、ｄ５、ｄ８、ｄ１１、ｄ１４、ｄ１５、及びｄ１８にパイロットトーン位置を有する第１の２４２副搬送波ＲＵ５０７２と、潜在的なパイロットトーン位置ｄ１９、ｄ２２、ｄ２３、ｄ２６、ｄ２９、ｄ３２、ｄ３３、及びｄ３６にパイロットトーン位置を有する第２の２４２副搬送波ＲＵ５０７４と、潜在的なパイロットトーン位置ｄ１、ｄ４、ｄ５、ｄ８、ｄ１１、ｄ１４、ｄ１５、ｄ１８、ｄ１９、ｄ２２、ｄ２３、ｄ２６、ｄ２９、ｄ３２、ｄ３３、及びｄ３６にパイロットトーン位置を有する４８４副搬送波ＲＵ５０７６とを更に示す。
【０３４８】
図５０の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図５０のパイロットトーン位置は、図４６Ａに関して上で説明された鏡面対称を示す。
【０３４９】
図５１は、４０ＭＨｚ帯域幅のケース１のパイロットトーン位置の第６のオプションを示す。一実施形態では、第６のオプションは、図４６Ｂの表１０に示された第１から第３６の潜在的なパイロットトーン位置ｄ１からｄ３６を使用することができるが、諸実施形態はこれに限定されない。
【０３５０】
図５１は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ５１０２から５１４０を示す。
【０３５１】
図５１は、それぞれ図４６Ａの第１から第８の５２副搬送波ＲＵ４６４２から４６５８と同一の潜在的なパイロットトーン位置にパイロットトーン位置を有する第１から第８の５２副搬送波ＲＵ５１４２から５１５８を示す。
【０３５２】
図５１は、潜在的なパイロットトーン位置ｄ１、ｄ２、ｄ４、ｄ５、ｄ７、及びｄ８にパイロットトーン位置を有する第１の１０８副搬送波ＲＵ５１６２と、潜在的なパイロットトーン位置ｄ１１、ｄ１２、ｄ１４、ｄ１５、ｄ１７、及びｄ１８にパイロットトーン位置を有する第２の１０８副搬送波ＲＵ５１６４と、潜在的なパイロットトーン位置ｄ１９、ｄ２０、ｄ２２、ｄ２３、ｄ２５、及びｄ２６にパイロットトーン位置を有する第３の１０８副搬送波ＲＵ５１６６と、潜在的なパイロットトーン位置ｄ２９、ｄ３０、ｄ３２、ｄ３３、ｄ３５、及びｄ３６にパイロットトーン位置を有する第４の１０８副搬送波ＲＵ５１６８とを更に示す。
【０３５３】
図５１は、潜在的なパイロットトーン位置ｄ１、ｄ３、ｄ４、ｄ７、ｄ１２、ｄ１５、ｄ１７、及びｄ１８にパイロットトーン位置を有する第１の２４２副搬送波ＲＵ５１７２と、潜在的なパイロットトーン位置ｄ１９、ｄ２０、ｄ２２、ｄ２５、ｄ３０、ｄ３３、ｄ３５、及びｄ３６にパイロットトーン位置を有する第２の２４２副搬送波ＲＵ５１７４と、潜在的なパイロットトーン位置ｄ１、ｄ３、ｄ４、ｄ７、ｄ１２、ｄ１５、ｄ１７、ｄ１８、ｄ１９、ｄ２０、ｄ２２、ｄ２５、ｄ３０、ｄ３３、ｄ３５、及びｄ３６にパイロットトーン位置を有する４８４副搬送波ＲＵ５１７６とを更に示す。
【０３５４】
図５１の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図５１のパイロットトーン位置は、図４６Ａに関して上で説明された鏡面対称を示す。
【０３５５】
図５２は、４０ＭＨｚ帯域幅のケース１のパイロットトーン位置の第７のオプションを示す。一実施形態では、第７のオプションは、図４６Ｂの表１０に示された第１から第３６の潜在的なパイロットトーン位置ｄ１からｄ３６を使用することができるが、諸実施形態はこれに限定されない。
【０３５６】
図５２は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ５２０２から５２４０を示す。
【０３５７】
図５２は、それぞれ図４６Ａの第１から第８の５２副搬送波ＲＵ４６４２から４６５８と同一の潜在的なパイロットトーン位置にパイロットトーン位置を有する第１から第８の５２副搬送波ＲＵ５２４２から５２５８を示す。
【０３５８】
図５２は、潜在的なパイロットトーン位置ｄ１、ｄ２、ｄ４、ｄ５、ｄ７、及びｄ８にパイロットトーン位置を有する第１の１０８副搬送波ＲＵ５２６２と、潜在的なパイロットトーン位置ｄ１１、ｄ１２、ｄ１４、ｄ１５、ｄ１７、及びｄ１８にパイロットトーン位置を有する第２の１０８副搬送波ＲＵ５２６４と、潜在的なパイロットトーン位置ｄ１９、ｄ２０、ｄ２２、ｄ２３、ｄ２５、及びｄ２６にパイロットトーン位置を有する第３の１０８副搬送波ＲＵ５２６６と、潜在的なパイロットトーン位置ｄ２９、ｄ３０、ｄ３２、ｄ３３、ｄ３５、及びｄ３６にパイロットトーン位置を有する第４の１０８副搬送波ＲＵ５２６８とを更に示す。
【０３５９】
図５２は、潜在的なパイロットトーン位置ｄ１、ｄ２、ｄ５、ｄ８、ｄ１１、ｄ１４、ｄ１７、及びｄ１８にパイロットトーン位置を有する第１の２４２副搬送波ＲＵ５２７２と、潜在的なパイロットトーン位置ｄ１９、ｄ２０、ｄ２３、ｄ２６、ｄ２９、ｄ３２、ｄ３５、及びｄ３６にパイロットトーン位置を有する第２の２４２副搬送波ＲＵ５２７４と、潜在的なパイロットトーン位置ｄ１、ｄ２、ｄ５、ｄ８、ｄ１１、ｄ１４、ｄ１７、ｄ１８、ｄ１９、ｄ２０、ｄ２３、ｄ２６、ｄ２９、ｄ３２、ｄ３５、及びｄ３６にパイロットトーン位置を有する４８４副搬送波ＲＵ５２７６とを更に示す。
【０３６０】
図５２の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図５２のパイロットトーン位置は、図４６Ａに関して上で説明された鏡面対称を示す。
【０３６１】
図５３は、４０ＭＨｚ帯域幅のケース１のパイロットトーン位置の第８のオプションを示す。一実施形態では、第８のオプションは、図４６Ｂの表１０に示された第１から第３６の潜在的なパイロットトーン位置ｄ１からｄ３６を使用することができるが、諸実施形態はこれに限定されない。
【０３６２】
図５３は、それぞれ図４６Ａの第１から第１８の２６副搬送波ＲＵ４６０２から４６４０と同一の潜在的なパイロットトーン位置にパイロットトーン位置を有する第１から第１８の２６副搬送波ＲＵ５３０２から５３４０を示す。
【０３６３】
図５３は、それぞれ図４６Ａの第１から第８の５２副搬送波ＲＵ４６４２から４６５８と同一の潜在的なパイロットトーン位置にパイロットトーン位置を有する第１から第８の５２副搬送波ＲＵ５３４２から５３５８を示す。
【０３６４】
図５３は、潜在的なパイロットトーン位置ｄ１、ｄ２、ｄ４、ｄ５、ｄ７、及びｄ８にパイロットトーン位置を有する第１の１０８副搬送波ＲＵ５３６２と、潜在的なパイロットトーン位置ｄ１１、ｄ１２、ｄ１４、ｄ１５、ｄ１７、及びｄ１８にパイロットトーン位置を有する第２の１０８副搬送波ＲＵ５３６４と、潜在的なパイロットトーン位置ｄ１９、ｄ２０、ｄ２２、ｄ２３、ｄ２５、及びｄ２６にパイロットトーン位置を有する第３の１０８副搬送波ＲＵ５３６６と、潜在的なパイロットトーン位置ｄ２９、ｄ３０、ｄ３２、ｄ３３、ｄ３５、及びｄ３６にパイロットトーン位置を有する第４の１０８副搬送波ＲＵ５３６８とを更に示す。
【０３６５】
図５３は、潜在的なパイロットトーン位置ｄ１、ｄ４、ｄ５、ｄ８、ｄ１１、ｄ１４、ｄ１５、及びｄ１８にパイロットトーン位置を有する第１の２４２副搬送波ＲＵ５３７２と、潜在的なパイロットトーン位置ｄ１９、ｄ２２、ｄ２３、ｄ２６、ｄ２９、ｄ３２、ｄ３３、及びｄ３６にパイロットトーン位置を有する第２の２４２副搬送波ＲＵ５３７４と、潜在的なパイロットトーン位置ｄ１、ｄ４、ｄ５、ｄ８、ｄ１１、ｄ１４、ｄ１５、ｄ１８、ｄ１９、ｄ２２、ｄ２３、ｄ２６、ｄ２９、ｄ３２、ｄ３３、及びｄ３６にパイロットトーン位置を有する４８４副搬送波ＲＵ５３７６とを更に示す。
【０３６６】
図５３の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図５３のパイロットトーン位置は、図４６Ａに関して上で説明された鏡面対称を示す。
【０３６７】
ケース２は、２６副搬送波ＲＵ、５２副搬送波ＲＵ、１０６又は１０８副搬送波ＲＵ、２４２副搬送波ＲＵ、４８４副搬送波ＲＵ、及び９９４又は９９６副搬送波ＲＵを有するＲＵ定義設計を実施し、連続する２６副搬送波ＲＵの対は、各２０ＭＨｚ帯域幅内の中央２６副搬送波ＲＵを除いて、５２副搬送波ＲＵと整列する（周波数方向に）。
【０３６８】
図５４Ａから５８では、潜在的なパイロットトーン位置が、図面を通って垂直に延びる点線によって示される。ＲＵごとの実際のパイロットトーンは、上を指す矢印によって示される。実線の上を指す矢印は、固定された位置を有するパイロットトーンを示す。点線の上を指す矢印は、２つの位置のうちの１つを有するパイロットトーンを示し、設計選択に従って、基準副搬送波の左の第１の位置及び基準副搬送波の右の第２の位置を含む。一実施形態では、基準副搬送波は、２６副搬送波ＲＵの１３副搬送波半分の中央副搬送波である。
【０３６９】
図５４Ａは、ケース２の２０ＭＨｚチャネル５４００のパイロットトーン位置の第１のオプションを示す。ＲＵごとのパイロットトーン位置は、第１から第１８の潜在的なパイロットトーン位置ｅ１からｅ１８から選択される。図５４Ｂは、表１１を示し、表１１は、一実施形態による、潜在的なパイロットトーン位置ｅ１からｅ１８のそれぞれの位置をリストする。
【０３７０】
図５４Ａは、潜在的なパイロットトーン位置ｅ１及びｅ２にパイロットトーン位置を有する第１の２６副搬送波ＲＵ５４０２と、潜在的なパイロットトーン位置ｅ３及びｅ４にパイロットトーン位置を有する第２の２６副搬送波ＲＵ５４０４と、潜在的なパイロットトーン位置ｅ５及びｅ６にパイロットトーン位置を有する第３の２６副搬送波ＲＵ５４０６と、潜在的なパイロットトーン位置ｅ７及びｅ８にパイロットトーン位置を有する第４の２６副搬送波ＲＵ５４０８と、潜在的なパイロットトーン位置ｅ９及びｅ１０にパイロットトーン位置を有する第５の（中央）２６副搬送波ＲＵ５４１０と、潜在的なパイロットトーン位置ｅ１１及びｅ１２にパイロットトーン位置を有する第６の２６副搬送波ＲＵ５４１２と、潜在的なパイロットトーン位置ｅ１３及びｅ１４にパイロットトーン位置を有する第７の２６副搬送波ＲＵ５４１４と、潜在的なパイロットトーン位置ｅ１５及びｅ１６にパイロットトーン位置を有する第８の２６副搬送波ＲＵ５４１６と、潜在的なパイロットトーン位置ｅ１７及びｅ１８にパイロットトーン位置を有する第９の２６副搬送波ＲＵ５４１８とを示す。
【０３７１】
図５４Ａは、潜在的なパイロットトーン位置ｅ１、ｅ２、ｅ３、及びｅ４にパイロットトーン位置を有する第１の５２副搬送波ＲＵ５４２２と、潜在的なパイロットトーン位置ｅ５、ｅ６、ｅ７、及びｅ８にパイロットトーン位置を有する第２の５２副搬送波ＲＵ５４２４と、潜在的なパイロットトーン位置ｅ１１、ｅ１２、ｅ１３、及びｅ１４にパイロットトーン位置を有する第３の５２副搬送波ＲＵ５４２６と、潜在的なパイロットトーン位置ｅ１５、ｅ１６、ｅ１７、及びｅ１８にパイロットトーン位置を有する第４の５２副搬送波ＲＵ５４２８とを更に示す。
【０３７２】
図５４Ａは、潜在的なパイロットトーン位置ｅ１、ｅ３、ｅ５、及びｅ７にパイロットトーン位置を有する第１の１０６副搬送波ＲＵ５４３２と、潜在的なパイロットトーン位置ｅ１２、ｅ１４、ｅ１６、及びｅ１８にパイロットトーン位置を有する第２の１０６副搬送波ＲＵ５４３４と、潜在的なパイロットトーン位置ｅ１、ｅ３、ｅ５、ｅ７、ｅ１２、ｅ１４、ｅ１６、及びｅ１８にパイロットトーン位置を有する２４２副搬送波ＲＵ５４３６とを更に示す。
【０３７３】
図５４Ａの５２副搬送波ＲＵ、１０６副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。
【０３７４】
更に、２０ＭＨｚチャネル５４００の下側１０ＭＨｚ内の各ＲＵは、２０ＭＨｚチャネル５４００の上側１０ＭＨｚの対応する鏡映されたＲＵ（すなわち、同一個数の副搬送波及び２０ＭＨｚチャネル５４００の中央からの同一のオフセットを有するＲＵ）と鏡面対称であるパイロットトーン位置を有する。たとえば、第１の２６副搬送波ＲＵ５４０２のパイロットトーン位置は、第９の２６副搬送波ＲＵ５４１８のパイロットトーン位置に対して鏡面対称になるように位置決めされ、第２の５２副搬送波ＲＵ５４２４のパイロットトーン位置は、第３の５２副搬送波ＲＵ５４２６のパイロットトーン位置に対して鏡面対称になるように位置決めされるなどである。
【０３７５】
図５５は、ケース２のパイロットトーン位置の第２のオプションを示す。一実施形態では、第２のオプションは、図５４Ｂの表１１に示された第１から第１８の潜在的なパイロットトーン位置ｅ１からｅ１８を使用することができるが、諸実施形態はこれに限定されない。
【０３７６】
図５５は、それぞれ潜在的なパイロットトーン位置ｅ１及びｅ２、ｅ３及びｅ４、ｅ５及びｅ６、並びにｅ７及びｅ８にパイロットトーン位置を有する第１、第２、第３、及び第４の２６副搬送波ＲＵ５５０２、５５０４、５５０６、及び５５０８と、潜在的なパイロットトーン位置ｅ９及びｅ１０にパイロットトーン位置を有する第５の（中央）２６副搬送波ＲＵ５５１０と、それぞれ潜在的なパイロットトーン位置ｅ１１及びｅ１２、ｅ１３及びｅ１４、ｅ１５及びｅ１６、並びにｅ１７及びｅ１８にパイロットトーン位置を有する第６、第７、第８、及び第９の２６副搬送波ＲＵ５５１２、５５１４、５５１６、及び５５１８とを示す。
【０３７７】
図５５は、それぞれ潜在的なパイロットトーン位置ｅ１、ｅ２、ｅ３、及びｅ４、潜在的なパイロットトーン位置ｅ５、ｅ６、ｅ７、及びｅ８、潜在的なパイロットトーン位置ｅ１１、ｅ１２、ｅ１３、及びｅ１４、並びに潜在的なパイロットトーン位置ｅ１５、ｅ１６、ｅ１７、及びｅ１８にパイロットトーン位置を有する第１、第２、第３、及び第４の５２副搬送波ＲＵ５５２２、５５２４、５５２６、及び５５２８を更に示す。
【０３７８】
図５５は、潜在的なパイロットトーン位置ｅ１、ｅ３、ｅ６、及びｅ８にパイロットトーン位置を有する第１の１０６副搬送波ＲＵ５５３２と、潜在的なパイロットトーン位置ｅ１１、ｅ１３、ｅ１６、及びｅ１８にパイロットトーン位置を有する第２の１０６副搬送波ＲＵ５５３４と、潜在的なパイロットトーン位置ｅ１、ｅ３、ｅ６、ｅ８、ｅ１１、ｅ１３、ｅ１６、及びｅ１８にパイロットトーン位置を有する２４２副搬送波ＲＵ５５３６とを更に示す。
【０３７９】
図５５の５２副搬送波ＲＵ、１０６副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図５５のパイロットトーン位置は、図５４Ａに関して上で説明された鏡面対称を示す。
【０３８０】
図５６は、ケース２のパイロットトーン位置の第３のオプションを示す。一実施形態では、第３のオプションは、図５４Ｂの表１１に示された第１から第１８の潜在的なパイロットトーン位置ｅ１からｅ１８を使用することができるが、諸実施形態はこれに限定されない。
【０３８１】
図５６は、それぞれ潜在的なパイロットトーン位置ｅ１及びｅ２、ｅ３及びｅ４、ｅ５及びｅ６、並びにｅ７及びｅ８にパイロットトーン位置を有する第１、第２、第３、及び第４の２６副搬送波ＲＵ５６０２、５６０４、５６０６、及び５６０８と、潜在的なパイロットトーン位置ｅ９及びｅ１０にパイロットトーン位置を有する第５の（中央）２６副搬送波ＲＵ５６１０と、それぞれ潜在的なパイロットトーン位置ｅ１１及びｅ１２、ｅ１３及びｅ１４、ｅ１５及びｅ１６、並びにｅ１７及びｅ１８にパイロットトーン位置を有する第６、第７、第８、及び第９の２６副搬送波ＲＵ５６１２、５６１４、５６１６、及び５６１８とを示す。
【０３８２】
図５６は、それぞれ潜在的なパイロットトーン位置ｅ１、ｅ２、ｅ３、及びｅ４、潜在的なパイロットトーン位置ｅ５、ｅ６、ｅ７、及びｅ８、潜在的なパイロットトーン位置ｅ１１、ｅ１２、ｅ１３、及びｅ１４、並びに潜在的なパイロットトーン位置ｅ１５、ｅ１６、ｅ１７、及びｅ１８にパイロットトーン位置を有する第１、第２、第３、及び第４の５２副搬送波ＲＵ５６２２、５６２４、５６２６、及び５６２８を更に示す。
【０３８３】
図５６は、潜在的なパイロットトーン位置ｅ２、ｅ４、ｅ６、及びｅ８にパイロットトーン位置を有する第１の１０６副搬送波ＲＵ５６３２と、潜在的なパイロットトーン位置ｅ１１、ｅ１３、ｅ１５、及びｅ１７にパイロットトーン位置を有する第２の１０６副搬送波ＲＵ５６３４と、潜在的なパイロットトーン位置ｅ２、ｅ４、ｅ６、ｅ８、ｅ１１、ｅ１３、ｅ１５、及びｅ１７にパイロットトーン位置を有する２４２副搬送波ＲＵ５６３６とを更に示す。
【０３８４】
図５６の５２副搬送波ＲＵ、１０６副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図５６のパイロットトーン位置は、図５４Ａに関して上で説明された鏡面対称を示す。
【０３８５】
図５４Ａ、５５、及び５６に示されたケース２のオプション１、２、及び３は、それぞれ、２０ＭＨｚ帯域幅の、１０８副搬送波ＲＵではなく１０６副搬送波ＲＵが使用されるときのパイロットトーン位置を表す。２６副搬送波ＲＵ内のパイロットトーン位置は、設計Ａセクションで説明される、提案されるパイロットトーン位置の実施形態とされ得る。
【０３８６】
より大きいサイズを有するリソースユニット（ＲＵ）は、アグリゲートされた２６副搬送波ＲＵのパイロットトーン位置と同一のパイロット周波数位置を有する。
【０３８７】
１０６副搬送波ＲＵは、それぞれ、そのＲＵ割振り内に４つのパイロットを有する。しかし、１０６副搬送波ＲＵに関して使用可能な潜在的に８つのパイロットトーン位置がある。図５４Ａ、５５、及び５６に示されたオプション１、２、及び３は、それぞれ、１０６副搬送波ＲＵ及び２４２副搬送波ＲＵのパイロットトーン位置に対する異なる代替案である。１０６副搬送波ＲＵ及び２４２副搬送波ＲＵについてのパイロットトーン位置は、周波数ダイバーシティが最大化され得るように（たとえば、パイロットの間の間隔が大きい）２６副搬送波ＲＵのパイロットトーン位置から生じる潜在的な位置のセットから選択される。ケース２では、１０６副搬送波ＲＵのエッジが、２６副搬送波ＲＵ及び５２副搬送波ＲＵに整列される。
【０３８８】
図５７は、ケース２のパイロットトーン位置の第４及び第５のオプションを示す。一実施形態では、第４及び第５のオプションは、それぞれ図５４Ｂの表１１に示された第１から第１８の潜在的なパイロットトーン位置ｅ１からｅ１８を使用することができるが、諸実施形態はこれに限定されない。
【０３８９】
第４及び第５のオプションは、それぞれ、２６副搬送波ＲＵ、５２副搬送波ＲＵ、及び１０８副搬送波ＲＵに関して同一のパイロットトーン位置を有する。オプション４のオプション４  ２４２副搬送波ＲＵ５７３６Ａのパイロットトーン位置は、オプション５のオプション５  ２４２副搬送波ＲＵ５７３６Ｂのパイロットトーン位置とは異なる。
【０３９０】
図５７は、それぞれ潜在的なパイロットトーン位置ｅ１及びｅ２、ｅ３及びｅ４、ｅ５及びｅ６、並びにｅ７及びｅ８にパイロットトーン位置を有する第１、第２、第３、及び第４の２６副搬送波ＲＵ５７０２、５７０４、５７０６、及び５７０８と、潜在的なパイロットトーン位置ｅ９及びｅ１０にパイロットトーン位置を有する第５の（中央）２６副搬送波ＲＵ５７１０と、それぞれ潜在的なパイロットトーン位置ｅ１１及びｅ１２、ｅ１３及びｅ１４、ｅ１５及びｅ１６、並びにｅ１７及びｅ１８にパイロットトーン位置を有する第６、第７、第８、及び第９の２６副搬送波ＲＵ５７１２、５７１４、５７１６、及び５７１８とを示す。
【０３９１】
図５７は、それぞれ潜在的なパイロットトーン位置ｅ１、ｅ２、ｅ３、及びｅ４、潜在的なパイロットトーン位置ｅ５、ｅ６、ｅ７、及びｅ８、潜在的なパイロットトーン位置ｅ１１、ｅ１２、ｅ１３、及びｅ１４、並びに潜在的なパイロットトーン位置ｅ１５、ｅ１６、ｅ１７、及びｅ１８にパイロットトーン位置を有する第１、第２、第３、及び第４の５２副搬送波ＲＵ５７２２、５７２４、５７２６、及び５７２８を更に示す。
【０３９２】
図５７は、潜在的なパイロットトーン位置ｅ１、ｅ３、ｅ４、ｅ５、ｅ６、及びｅ８にパイロットトーン位置を有する第１の１０８副搬送波ＲＵ５７３２と、潜在的なパイロットトーン位置ｅ１１、ｅ１３、ｅ１４、ｅ１５、ｅ１６、及びｅ１８にパイロットトーン位置を有する第２の１０８副搬送波ＲＵ５７３４とを更に示す。
【０３９３】
図５７は、潜在的なパイロットトーン位置ｅ１、ｅ３、ｅ６、ｅ８、ｅ１１、ｅ１３、ｅ１６、及びｅ１８にパイロットトーン位置を有するオプション４のオプション４  ２４２副搬送波ＲＵ５７３６Ａと、潜在的なパイロットトーン位置ｅ１、ｅ４、ｅ５、ｅ８、ｅ１１、ｅ１４、ｅ１５、及びｅ１８にパイロットトーン位置を有するオプション５のオプション５  ２４２副搬送波ＲＵ５７３６Ｂとを更に示す。
【０３９４】
図５７の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図５７のパイロットトーン位置は、図５４Ａに関して上で説明された鏡面対称を示す。
【０３９５】
図５８は、ケース２のパイロットトーン位置の第６のオプションを示す。一実施形態では、第６のオプションは、図５４Ｂの表１１に示された第１から第１８の潜在的なパイロットトーン位置ｅ１からｅ１８を使用することができるが、諸実施形態はこれに限定されない。
【０３９６】
図５８は、それぞれ潜在的なパイロットトーン位置ｅ１及びｅ２、ｅ３及びｅ４、ｅ５及びｅ６、並びにｅ７及びｅ８にパイロットトーン位置を有する第１、第２、第３、及び第４の２６副搬送波ＲＵ５８０２、５８０４、５８０６、及び５８０８と、潜在的なパイロットトーン位置ｅ９及びｅ１０にパイロットトーン位置を有する第５の（中央）２６副搬送波ＲＵ５８１０と、それぞれ潜在的なパイロットトーン位置ｅ１１及びｅ１２、ｅ１３及びｅ１４、ｅ１５及びｅ１６、並びにｅ１７及びｅ１８にパイロットトーン位置を有する第６、第７、第８、及び第９の２６副搬送波ＲＵ５８１２、５８１４、５８１６、及び５８１８とを示す。
【０３９７】
図５８は、それぞれ潜在的なパイロットトーン位置ｅ１、ｅ２、ｅ３、及びｅ４、潜在的なパイロットトーン位置ｅ５、ｅ６、ｅ７、及びｅ８、潜在的なパイロットトーン位置ｅ１１、ｅ１２、ｅ１３、及びｅ１４、並びに潜在的なパイロットトーン位置ｅ１５、ｅ１６、ｅ１７、及びｅ１８にパイロットトーン位置を有する第１、第２、第３、及び第４の５２副搬送波ＲＵ５８２２、５８２４、５８２６、及び５８２８を更に示す。
【０３９８】
図５８は、潜在的なパイロットトーン位置ｅ１、ｅ２、ｅ４、ｅ５、ｅ７、及びｅ８にパイロットトーン位置を有する第１の１０８副搬送波ＲＵ５８３２と、潜在的なパイロットトーン位置ｅ１１、ｅ１２、ｅ１４、ｅ１５、ｅ１７、及びｅ１８にパイロットトーン位置を有する第２の１０８副搬送波ＲＵ５８３４と、潜在的なパイロットトーン位置ｅ１、ｅ４、ｅ５、ｅ８、ｅ１１、ｅ１４、ｅ１５、及びｅ１８にパイロットトーン位置を有する２４２副搬送波ＲＵ５８３６とを更に示す。
【０３９９】
図５８の５２副搬送波ＲＵ、１０８副搬送波ＲＵ、及び２４２副搬送波ＲＵのそれぞれは、同一の帯域幅を占有するより少数の副搬送波を有するＲＵによって使用されるパイロットトーン位置の中から選択されたパイロットトーン位置を有する。更に、図５８のパイロットトーン位置は、図５４Ａに関して上で説明された鏡面対称を示す。
【０４００】
図５７及び５８に示された、ケース２のオプション４、５、及び６は、それぞれ、２０ＭＨｚ帯域幅の、１０６副搬送波ＲＵではなく１０８副搬送波ＲＵが使用されるときのパイロットトーン位置を表す。２６副搬送波ＲＵ内のパイロットトーン位置は、設計Ａセクションで説明される、提案されるパイロットトーン位置実施形態とされ得る。
【０４０１】
より大きいサイズを有するリソースユニット（ＲＵ）は、アグリゲートされた２６副搬送波ＲＵのパイロットトーン位置と同一のパイロット周波数位置を有する。１０８副搬送波ＲＵは、そのそれぞれのＲＵ割振り内に６つのパイロットを有し、２４２副搬送波ＲＵは、そのそれぞれのＲＵ割振り内に８つのパイロットを有する。しかし、１０８副搬送波ＲＵに関して使用可能な潜在的に８つの潜在的なパイロットトーン位置及び２４２副搬送波ＲＵに関して１８個の潜在的なパイロットトーン位置がある。
【０４０２】
オプション４、５、及び６は、１０８副搬送波ＲＵ及び２４２副搬送波ＲＵのパイロットトーン位置の異なる代替案である。１０８副搬送波ＲＵ及び２４２副搬送波ＲＵのパイロットトーン位置は、周波数ダイバーシティが最大化され得るように（たとえば、パイロットの間の間隔が大きい）２６副搬送波ＲＵのパイロットトーン位置から生じる潜在的な位置のセットから選択される。
【０４０３】
ケース２の４０、８０、及び１６０ＭＨｚ帯域幅のパイロットトーン位置は、２０ＭＨｚ帯域幅パイロットトーン位置の連結された（相対）パイロットトーン位置を使用して定義される。ケース１と同様に、４０ＭＨｚ帯域幅の左及び右の２０ＭＨｚ部分内の中央２６副搬送波ＲＵは、それぞれ、偶数又は奇数の２６副搬送波ＲＵによって置換される。８０ＭＨｚ帯域幅は、中央の単一の中央２６副搬送波ＲＵと共に、２つの連結された４０ＭＨｚパイロットトーン位置を使用する。図５９から６５は、ケース２の４０ＭＨｚ帯域幅のパイロットトーン位置の実施形態を示す。
【０４０４】
図５９から６５では、潜在的なパイロットトーン位置が、図面を通って垂直に延びる点線によって示される。ＲＵごとの実際のパイロットトーンは、上を指す矢印によって示される。実線の上を指す矢印は、固定された位置を有するパイロットトーンを示す。点線の上を指す矢印は、２つの位置のうちの１つを有するパイロットトーンを示し、設計選択に従って、基準副搬送波の左の第１の位置及び基準副搬送波の右の第２の位置を含む。一実施形態では、基準副搬送波は、２６副搬送波ＲＵの１３副搬送波半分の中央副搬送波である。
【０４０５】
図５９Ａは、４０ＭＨｚチャネル５９００に関するケース２のパイロットトーン位置の第１のオプションを示す。ＲＵごとのパイロットトーン位置は、第１から第３６の潜在的なパイロットトーン位置ｆ１からｆ３６から選択される。図５９Ｂは、表１２を示し、表１２は、一実施形態による潜在的なパイロットトーン位置ｆ１からｆ３６のそれぞれの位置をリストするが、諸実施形態はこれに限定されない。表１１内の潜在的なパイロットトーン位置ｆ１からｆ３６の順序は、左副表を下り、右副表を上って、潜在的なパイロットトーン位置ｆ１からｆ３６の鏡面対称をよりよく示す。したがって、パイロットトーン位置ｆ１からｆ３６は、ｆ１＝−ｆ３６、ｆ２＝−ｆ３５、ｆ３＝−ｆ３４、ｆ４＝−ｆ３３、ｆ５＝−ｆ３２、ｆ６＝−ｆ３１、ｆ７＝−ｆ３０、ｆ８＝−ｆ２９、ｆ９＝−ｆ２８、ｆ１０＝−ｆ２７、ｆ１１＝−ｆ２６、ｆ１２＝−ｆ２５、ｆ１３＝−ｆ２４、ｆ１４＝−ｆ２３、ｆ１５＝−ｆ２２、ｆ１６＝−ｆ２１、ｆ１７＝−ｆ２０、ｆ１８＝−ｆ１９（ｆ３６＞ｆ３５＞ｆ３４＞ｆ３３＞ｆ３２＞ｆ３１＞ｆ３０＞ｆ２９＞ｆ２８＞ｆ２７＞ｆ２６＞ｆ２５＞ｆ２４＞ｆ２３＞ｆ２２＞ｆ２１＞ｆ２０＞ｆ１９＞ｆ１８＞ｆ１７＞ｆ１６＞ｆ１５＞ｆ１４＞ｆ１３＞ｆ１２＞ｆ１１＞ｆ１０＞ｆ９＞ｆ８＞ｆ７＞ｆ６＞ｆ５＞ｆ４＞ｆ３＞ｆ２＞ｆ１）という関係を満足する。
【０４０６】
図５９Ａは、左側で、潜在的なパイロットトーン位置ｆ１及びｆ２にパイロットトーン位置を有する第１の２６副搬送波ＲＵ５９０２と、潜在的なパイロットトーン位置ｆ３及びｆ４にパイロットトーン位置を有する第２の２６副搬送波ＲＵ５９０４と、潜在的なパイロットトーン位置ｆ５及びｆ６にパイロットトーン位置を有する第３の２６副搬送波ＲＵ５９０６と、潜在的なパイロットトーン位置ｆ７及びｆ８にパイロットトーン位置を有する第４の２６副搬送波ＲＵ５９０８と、潜在的なパイロットトーン位置ｆ９及びｆ１０にパイロットトーン位置を有する第５の２６副搬送波ＲＵ５９１２と、潜在的なパイロットトーン位置ｆ１１及びｆ１２にパイロットトーン位置を有する第６の２６副搬送波ＲＵ５９１４と、潜在的なパイロットトーン位置ｆ１３及びｆ１４にパイロットトーン位置を有する第７の２６副搬送波ＲＵ５９１６と、潜在的なパイロットトーン位置ｆ１５及びｆ１６にパイロットトーン位置を有する第８の２６副搬送波ＲＵ５９１８と、潜在的なパイロットトーン位置ｆ１７及びｆ１８にパイロットトーン位置を有する第９の２６副搬送波ＲＵ５９２０とを示す。
【０４０７】
図５９Ａは、右側で、潜在的なパイロットトーン位置ｆ１９及びｆ２０にパイロットトーン位置を有する第１０の２６副搬送波ＲＵ５９２２と、潜在的なパイロットトーン位置ｆ２１及びｆ２２にパイロットトーン位置を有する第１１の２６副搬送波ＲＵ５９２４と、潜在的なパイロットトーン位置ｆ２３及びｆ２４にパイロットトーン位置を有する第１２の２６副搬送波ＲＵ５９２６と、潜在的なパイロットトーン位置ｆ２５及びｆ２６にパイロットトーン位置を有する第１３の２６副搬送波ＲＵ５９２８と、潜在的なパイロットトーン位置ｆ２７及びｆ２８にパイロットトーン位置を有する第１４の２６副搬送波ＲＵ５９３２と、潜在的なパイロットトーン位置ｆ２９及びｆ３０にパイロットトーン位置を有する第１５の２６副搬送波ＲＵ５９３４と、潜在的なパイロットトーン位置ｆ３１及びｆ３２にパイロットトーン位置を有する第１６の２６副搬送波ＲＵ５９３６と、潜在的なパイロットトーン位置ｆ３３及びｆ３４にパイロットトーン位置を有する第１７の２６副搬送波ＲＵ５９３８と、潜在的なパイロットトーン位置ｆ３５及びｆ３６にパイロットトーン位置を有する第１８の２６副搬送波ＲＵ５９４０とを示す。
【０４０８】
２６副搬送波ＲＵ５９０２から５９４０のそれぞれで、それぞれの第１及び第２のパイロットトーン位置は、それぞれの２６個の副搬送波によってカバーされる潜在的なパイロットトーン位置に対応する。
【０４０９】
図５９Ａは、左側で、潜在的なパイロットトーン位置ｆ１、ｆ２、ｆ３、及びｆ４にパイロットトーン位置を有する第１の５２副搬送波ＲＵ５９４２と、潜在的なパイロットトーン位置ｆ５、ｆ６、ｆ７、及びｆ８にパイロットトーン位置を有する第２の５２副搬送波ＲＵ５９４４と、潜在的なパイロットトーン位置ｆ１１、ｆ１２、ｆ１３、及びｆ１４にパイロットトーン位置を有する第３の５２副搬送波ＲＵ５９４６と、潜在的なパイロットトーン位置ｆ１５、ｆ１６、ｆ１７、及びｆ１８にパイロットトーン位置を有する第４の５２副搬送波ＲＵ５９４８とを更に示す。
【０４１０】
図５９Ａは、右側で、潜在的なパイロットトーン位置ｆ１９、ｆ２０、ｆ２１、及びｆ２２にパイロットトーン位置を有する第５の５２副搬送波ＲＵ５９５２と、潜在的なパイロットトーン位置ｆ２３、ｆ２４、ｆ２５、及びｆ２６にパイロットトーン位置を有する第６の５２副搬送波ＲＵ５９５４と、潜在的なパイロットトーン位置ｆ２９、ｆ３０、ｆ３１、及びｆ３２にパイロットトーン位置を有する第７の５２副搬送波ＲＵ５９５６と、潜在的なパイロットトーン位置ｆ３３、ｆ３４、ｆ３５、及びｆ３６にパイロットトーン位置を有する第８の５２副搬送波ＲＵ５９５８とを更に示す。
【０４１１】
５２副搬送波ＲＵ５９４２から５９５８のそれぞれで、それぞれの第１、第２、第３、及び第４のパイロットトーン位置は、それぞれの５２個の副搬送波によってカバーされる潜在的なパイロットトーン位置に対応する。
【０４１２】
図５９Ａは、潜在的なパイロットトーン位置ｆ１、ｆ３、ｆ６、及びｆ８にパイロットトーン位置を有する第１の１０６副搬送波ＲＵ５９６２と、潜在的なパイロットトーン位置ｆ１１、ｆ１３、ｆ１６、及びｆ１８にパイロットトーン位置を有する第２の１０６副搬送波ＲＵ５９６４と、潜在的なパイロットトーン位置ｆ１９、ｆ２１、ｆ２４、及びｆ２６にパイロットトーン位置を有する第３の１０６副搬送波ＲＵ５９６６と、潜在的なパイロットトーン位置ｆ２９、ｆ３１、ｆ３４、及びｆ３６にパイロットトーン位置を有する第４の１０６副搬送波ＲＵ５９６８とを更に示す。１０６副搬送波ＲＵ５９６２から５９６８のそれぞれでは、第１のパイロットトーン位置は、ＲＵによってカバーされる潜在的なパイロットトーン位置の中の最小インデックスに対応するインデックスを有し、第２のパイロットトーン位置は、第１のパイロットトーン位置から２つの潜在的なパイロットトーン位置だけ離れて間隔を置かれ、第３のパイロットトーン位置は、第２のパイロットトーン位置から３つの潜在的なパイロットトーン位置だけ離れて間隔を置かれ、第４のパイロットトーン位置は、第３のパイロットトーン位置から２つの潜在的なパイロットトーン位置だけ離れて間隔を置かれる。
【０４１３】
図５９Ａは、潜在的なパイロットトーン位置ｆ１、ｆ３、ｆ６、ｆ８、ｆ１１、ｆ１３、ｆ１６、及びｆ１８にパイロットトーン位置を有する第１の２４２副搬送波ＲＵ５９７２と、潜在的なパイロットトーン位置ｆ１９、ｆ２１、ｆ２４、ｆ２６、ｆ２９、ｆ３１、ｆ３４、及びｆ３６にパイロットトーン位置を有する第２の２４２副搬送波ＲＵ５９７４とを更に示す。第１及び第２の２４２副搬送波ＲＵ５９７２及び５９６４のそれぞれでは、第１のパイロットトーン位置は、２４２個の副搬送波によってカバーされる潜在的なパイロットトーン位置の中の最小インデックスを有し、第２のパイロットトーン位置は、第１のパイロットトーン位置から２つの潜在的なパイロットトーン位置だけ離れて間隔を置き、第３のパイロットトーン位置は、第２のパイロットトーン位置から３つの潜在的なパイロットトーン位置だけ離れて間隔を置き、第４のパイロットトーン位置は、第３のパイロットトーン位置から２つの潜在的なパイロットトーン位置だけ離れて間隔を置き、第５のパイロットトーン位置は、第４のパイロットトーン位置から３つの潜在的なパイロットトーン位置だけ離れて間隔を置き、第６のパイロットトーン位置は、第５のパイロットトーン位置から２つの潜在的なパイロットトーン位置だけ離れて間隔を置き、第７のパイロットトーン位置は、第６のパイロットトーン位置から３つの潜在的なパイロットトーン位置だけ離れて間隔を置き、第８のパイロットトーン位置は、第７のパイロットトーン位置から２つの潜在的なパイロットトーン位置だけ離れて間隔を置く。
【０４１４】
図５９Ａは、潜在的なパイロットトーン位置ｆ１、ｆ３、ｆ６、ｆ８、ｆ１１、ｆ１３、ｆ１６、ｆ１８、ｆ１９、ｆ２１、ｆ２４、ｆ２６、ｆ２９、ｆ３１、ｆ３４、及びｆ３６にパイロットトーン位置を有する４８４副搬送波ＲＵ５９７６を更に示す。４８４副搬送波ＲＵ５９７６は、２４２個の副搬送波によってカバーされる潜在的なパイロットトーン位置の中の最小インデックスを有する第１のパイロットトーン位置と、それぞれ第１、第２、第３、第４、第５、第６、第７、第８、第９、第１０、第１１、第１２、第１３、第１４、及び第１５のパイロットトーン位置から２つ、３つ、２つ、３つ、２つ、３つ、２つ、１つ、２つ、３つ、２つ、３つ、２つ、３つ、及び２つの潜在的なパイロットトーン位置だけ離れて間隔を置かれた第２、第３、第４、第５、第６、第７、第８、第９、第１０、第１１、第１２、第１３、第１４、第１５、及び第１６のパイロットトーン位置を有する。
【０４１５】
図５９Ａの５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。
【０４１６】
更に、４０ＭＨｚチャネル５９００の下側２０ＭＨｚ内の各ＲＵは、４０ＭＨｚチャネル５９００の上側２０ＭＨｚの対応する鏡映されたＲＵ（すなわち、同一個数の副搬送波及び４０ＭＨｚチャネル５９００の中央からの同一のオフセットを有するＲＵ）と鏡面対称であるパイロットトーン位置を有する。たとえば、第１の２６副搬送波ＲＵ５９０２のパイロットトーン位置は、第１８の２６副搬送波ＲＵ５９４０のパイロットトーン位置に対して鏡面対称になるように位置決めされ、第２の５２副搬送波ＲＵ５９４４のパイロットトーン位置は、第７の５２副搬送波ＲＵ５９５６のパイロットトーン位置に対して鏡面対称になるように位置決めされるなどである。
【０４１７】
図６０は、４０ＭＨｚ帯域幅に関するケース２のパイロットトーン位置の第２のオプションを示す。一実施形態では、第２のオプションは、図５９Ｂの表１２に示された第１から第３６の潜在的なパイロットトーン位置ｆ１からｆ３６を使用することができるが、諸実施形態はこれに限定されない。
【０４１８】
図６０は、それぞれ図５９Ａの第１から第１８の２６副搬送波ＲＵ５９０２から５９４０と同一の潜在的なパイロットトーン位置にパイロットトーン位置を有する第１から第１８の２６副搬送波ＲＵ６００２から６０４０を示す。
【０４１９】
図６０は、それぞれ図５９Ａの第１から第８の５２副搬送波ＲＵ５９４２から５９５８と同一の潜在的なパイロットトーン位置にパイロットトーン位置を有する第１から第８の５２副搬送波ＲＵ６０４２から６０５８を示す。
【０４２０】
図６０は、潜在的なパイロットトーン位置ｆ１、ｆ３、ｆ５、及びｆ７にパイロットトーン位置を有する第１の１０６副搬送波ＲＵ６０６２と、潜在的なパイロットトーン位置ｆ１１、ｆ１３、ｆ１５、及びｆ１７にパイロットトーン位置を有する第２の１０６副搬送波ＲＵ６０６４と、潜在的なパイロットトーン位置ｆ２０、ｆ２２、ｆ２４、及びｆ２６にパイロットトーン位置を有する第３の１０６副搬送波ＲＵ６０６６と、潜在的なパイロットトーン位置ｆ３０、ｆ３２、ｆ３４、及びｆ３６にパイロットトーン位置を有する第４の１０６副搬送波ＲＵ６０６８とを更に示す。
【０４２１】
図６０は、潜在的なパイロットトーン位置ｆ１、ｆ３、ｆ５、ｆ７、ｆ１１、ｆ１３、ｆ１５、及びｆ１７にパイロットトーン位置を有する第１の２４２副搬送波ＲＵ６０７２と、潜在的なパイロットトーン位置ｆ２０、ｆ２２、ｆ２４、ｆ２６、ｆ３０、ｆ３２、ｆ３４、及びｆ３６にパイロットトーン位置を有する第２の２４２副搬送波ＲＵ６０７４と、潜在的なパイロットトーン位置ｆ１、ｆ３、ｆ５、ｆ７、ｆ１１、ｆ１３、ｆ１５、ｆ１７、ｆ２０、ｆ２２、ｆ２４、ｆ２６、ｆ３０、ｆ３２、ｆ３４、及びｆ３６にパイロットトーン位置を有する４８４副搬送波ＲＵ６０７６とを更に示す。
【０４２２】
図６０の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図６０のパイロットトーン位置は、図５９Ａに関して上で説明された鏡面対称を示す。
【０４２３】
図６１は、４０ＭＨｚ帯域幅に関するケース２のパイロットトーン位置の第３のオプションを示す。一実施形態では、第３のオプションは、図５９Ｂの表１２に示された第１から第３６の潜在的なパイロットトーン位置ｆ１からｆ３６を使用することができるが、諸実施形態はこれに限定されない。
【０４２４】
図６１は、それぞれ図５９Ａの第１から第１８の２６副搬送波ＲＵ５９０２から５９４０と同一の潜在的なパイロットトーン位置にパイロットトーン位置を有する第１から第１８の２６副搬送波ＲＵ６１０２から６１４０を示す。
【０４２５】
図６１は、それぞれ図５９Ａの第１から第８の５２副搬送波ＲＵ５９４２から５９５８と同一の潜在的なパイロットトーン位置にパイロットトーン位置を有する第１から第８の５２副搬送波ＲＵ６１４２から６１５８を示す。
【０４２６】
図６１は、潜在的なパイロットトーン位置ｆ２、ｆ４、ｆ６、及びｆ８にパイロットトーン位置を有する第１の１０６副搬送波ＲＵ６１６２と、潜在的なパイロットトーン位置ｆ１２、ｆ１４、ｆ１６、及びｆ１８にパイロットトーン位置を有する第２の１０６副搬送波ＲＵ６１６４と、潜在的なパイロットトーン位置ｆ１９、ｆ２１、ｆ２３、及びｆ２５にパイロットトーン位置を有する第３の１０６副搬送波ＲＵ６１６６と、潜在的なパイロットトーン位置ｆ２９、ｆ３１、ｆ３３、及びｆ３５にパイロットトーン位置を有する第４の１０６副搬送波ＲＵ６１６８とを更に示す。
【０４２７】
図６１は、潜在的なパイロットトーン位置ｆ２、ｆ４、ｆ６、ｆ８、ｆ１２、ｆ１４、ｆ１６、及びｆ１８にパイロットトーン位置を有する第１の２４２副搬送波ＲＵ６１７２と、潜在的なパイロットトーン位置ｆ１９、ｆ２１、ｆ２３、ｆ２５、ｆ２９、ｆ３１、ｆ３３、及びｆ３５にパイロットトーン位置を有する第２の２４２副搬送波ＲＵ６１７４と、潜在的なパイロットトーン位置ｆ２、ｆ４、ｆ６、ｆ８、ｆ１２、ｆ１４、ｆ１６、ｆ１８、ｆ１９、ｆ２１、ｆ２３、ｆ２５、ｆ２９、ｆ３１、ｆ３３、及びｆ３５にパイロットトーン位置を有する４８４副搬送波ＲＵ６１７６とを更に示す。
【０４２８】
図６１の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図６１のパイロットトーン位置は、図５９Ａに関して上で説明された鏡面対称を示す。
【０４２９】
図６２は、４０ＭＨｚ帯域幅に関するケース２のパイロットトーン位置の第４のオプションを示す。一実施形態では、第４のオプションは、図５９Ｂの表１２に示された第１から第３６の潜在的なパイロットトーン位置ｆ１からｆ３６を使用することができるが、諸実施形態はこれに限定されない。
【０４３０】
図６２は、それぞれ図５９Ａの第１から第１８の２６副搬送波ＲＵ５９０２から５９４０と同一の潜在的なパイロットトーン位置にパイロットトーン位置を有する第１から第１８の２６副搬送波ＲＵ６２０２から６２４０を示す。
【０４３１】
図６２は、それぞれ図５９Ａの第１から第８の５２副搬送波ＲＵ５９４２から５９５８と同一の潜在的なパイロットトーン位置にパイロットトーン位置を有する第１から第８の５２副搬送波ＲＵ６２４２から６２５８を示す。
【０４３２】
図６２は、潜在的なパイロットトーン位置ｆ２、ｆ４、ｆ６、及びｆ８にパイロットトーン位置を有する第１の１０６副搬送波ＲＵ６２６２と、潜在的なパイロットトーン位置ｆ１１、ｆ１３、ｆ１５、及びｆ１７にパイロットトーン位置を有する第２の１０６副搬送波ＲＵ６２６４と、潜在的なパイロットトーン位置ｆ２０、ｆ２２、ｆ２４、及びｆ２６にパイロットトーン位置を有する第３の１０６副搬送波ＲＵ６２６６と、潜在的なパイロットトーン位置ｆ２９、ｆ３１、ｆ３３、及びｆ３５にパイロットトーン位置を有する第４の１０６副搬送波ＲＵ６２６８とを更に示す。
【０４３３】
図６２は、潜在的なパイロットトーン位置ｆ２、ｆ４、ｆ６、ｆ８、ｆ１１、ｆ１３、ｆ１５、及びｆ１７にパイロットトーン位置を有する第１の２４２副搬送波ＲＵ６２７２と、潜在的なパイロットトーン位置ｆ２０、ｆ２２、ｆ２４、ｆ２６、ｆ２９、ｆ３１、ｆ３３、及びｆ３５にパイロットトーン位置を有する第２の２４２副搬送波ＲＵ６２７４と、潜在的なパイロットトーン位置ｆ２、ｆ４、ｆ６、ｆ８、ｆ１１、ｆ１３、ｆ１５、ｆ１７、ｆ２０、ｆ２２、ｆ２４、ｆ２６、ｆ２９、ｆ３１、ｆ３３、及びｆ３５にパイロットトーン位置を有する４８４副搬送波ＲＵ６２７６とを更に示す。
【０４３４】
図６２の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図６２のパイロットトーン位置は、図５９Ａに関して上で説明された鏡面対称を示す。
【０４３５】
図６３は、４０ＭＨｚ帯域幅に関するケース２のパイロットトーン位置の第５のオプションを示す。一実施形態では、第５のオプションは、図４６Ｂの表１２に示された第１から第３６の潜在的なパイロットトーン位置ｆ１からｆ３６を使用することができるが、諸実施形態はこれに限定されない。
【０４３６】
図６３は、それぞれ図５９Ａの第１から第１８の２６副搬送波ＲＵ５９０２から５９４０と同一の潜在的なパイロットトーン位置にパイロットトーン位置を有する第１から第１８の２６副搬送波ＲＵ６３０２から６３４０を示す。
【０４３７】
図６３は、それぞれ図５９Ａの第１から第８の５２副搬送波ＲＵ５９４２から５９５８と同一の潜在的なパイロットトーン位置にパイロットトーン位置を有する第１から第８の５２副搬送波ＲＵ６３４２から６３５８を示す。
【０４３８】
図６３は、潜在的なパイロットトーン位置ｆ１、ｆ３、ｆ４、ｆ５、ｆ６、及びｆ８にパイロットトーン位置を有する第１の１０８副搬送波ＲＵ６３６２と、潜在的なパイロットトーン位置ｆ１１、ｆ１３、ｆ１４、ｆ１５、ｆ１６、及びｆ１８にパイロットトーン位置を有する第２の１０８副搬送波ＲＵ６３６４と、潜在的なパイロットトーン位置ｆ１９、ｆ２１、ｆ２２、ｆ２３、ｆ２４、及びｆ２６にパイロットトーン位置を有する第３の１０８副搬送波ＲＵ６３６６と、潜在的なパイロットトーン位置ｆ２９、ｆ３１、ｆ３２、ｆ３３、ｆ３４、及びｆ３６にパイロットトーン位置を有する第４の１０８副搬送波ＲＵ６３６８とを更に示す。
【０４３９】
図６３は、潜在的なパイロットトーン位置ｆ１、ｆ３、ｆ６、ｆ８、ｆ１１、ｆ１３、ｆ１６、及びｆ１８にパイロットトーン位置を有する第１の２４２副搬送波ＲＵ６３７２と、潜在的なパイロットトーン位置ｆ１９、ｆ２１、ｆ２４、ｆ２６、ｆ２９、ｆ３１、ｆ３４、及びｆ３６にパイロットトーン位置を有する第２の２４２副搬送波ＲＵ６３７４と、潜在的なパイロットトーン位置ｆ１、ｆ３、ｆ６、ｆ８、ｆ１１、ｆ１３、ｆ１６、ｆ１８、ｆ１９、ｆ２１、ｆ２４、ｆ２６、ｆ２９、ｆ３１、ｆ３４、及びｆ３６にパイロットトーン位置を有する４８４副搬送波ＲＵ６３７６とを更に示す。
【０４４０】
図６３の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図６３のパイロットトーン位置は、図５９Ａに関して上で説明された鏡面対称を示す。
【０４４１】
図６４は、４０ＭＨｚ帯域幅に関するケース２のパイロットトーン位置の第６のオプションを示す。一実施形態では、第６のオプションは、図５９Ｂの表１２に示された第１から第３６の潜在的なパイロットトーン位置ｆ１からｆ３６を使用することができるが、諸実施形態はこれに限定されない。
【０４４２】
図６４は、それぞれ図５９Ａの第１から第１８の２６副搬送波ＲＵ５９０２から５９４０と同一の潜在的なパイロットトーン位置にパイロットトーン位置を有する第１から第１８の２６副搬送波ＲＵ６４０２から６４４０を示す。
【０４４３】
図６４は、それぞれ図５９Ａの第１から第８の５２副搬送波ＲＵ５９４２から５９５８と同一の潜在的なパイロットトーン位置にパイロットトーン位置を有する第１から第８の５２副搬送波ＲＵ６４４２から６４５８を示す。
【０４４４】
図６４は、潜在的なパイロットトーン位置ｆ１、ｆ３、ｆ４、ｆ５、ｆ６、及びｆ８にパイロットトーン位置を有する第１の１０８副搬送波ＲＵ６４６２と、潜在的なパイロットトーン位置ｆ１１、ｆ１３、ｆ１４、ｆ１５、ｆ１６、及びｆ１８にパイロットトーン位置を有する第２の１０８副搬送波ＲＵ６４６４と、潜在的なパイロットトーン位置ｆ１９、ｆ２１、ｆ２２、ｆ２３、ｆ２４、及びｆ２６にパイロットトーン位置を有する第３の１０８副搬送波ＲＵ６４６６と、潜在的なパイロットトーン位置ｆ２９、ｆ３１、ｆ３２、ｆ３３、ｆ３４、及びｆ３６にパイロットトーン位置を有する第４の１０８副搬送波ＲＵ６４６８とを更に示す。
【０４４５】
図６４は、潜在的なパイロットトーン位置ｆ１、ｆ４、ｆ５、ｆ８、ｆ１１、ｆ１４、ｆ１５、及びｆ１８にパイロットトーン位置を有する第１の２４２副搬送波ＲＵ６４７２と、潜在的なパイロットトーン位置ｆ１９、ｆ２２、ｆ２３、ｆ２６、ｆ２９、ｆ３２、ｆ３３、及びｆ３６にパイロットトーン位置を有する第２の２４２副搬送波ＲＵ６４７４と、潜在的なパイロットトーン位置ｆ１、ｆ４、ｆ５、ｆ８、ｆ１１、ｆ１４、ｆ１５、ｆ１８、ｆ１９、ｆ２２、ｆ２３、ｆ２６、ｆ２９、ｆ３２、ｆ３３、及びｆ３６にパイロットトーン位置を有する４８４副搬送波ＲＵ６４７６とを更に示す。
【０４４６】
図６４の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図６４のパイロットトーン位置は、図５９Ａに関して上で説明された鏡面対称を示す。
【０４４７】
図６５は、４０ＭＨｚ帯域幅に関するケース２のパイロットトーン位置の第７のオプションを示す。一実施形態では、第７のオプションは、図５９Ｂの表１２に示された第１から第３６の潜在的なパイロットトーン位置ｆ１からｆ３６を使用することができるが、諸実施形態はこれに限定されない。
【０４４８】
図６５は、それぞれ図５９Ａの第１から第１８の２６副搬送波ＲＵ５９０２から５９４０と同一の潜在的なパイロットトーン位置にパイロットトーン位置を有する第１から第１８の２６副搬送波ＲＵ６５０２から６５４０を示す。
【０４４９】
図６５は、それぞれ図５９Ａの第１から第８の５２副搬送波ＲＵ５９４２から５９５８と同一の潜在的なパイロットトーン位置にパイロットトーン位置を有する第１から第８の５２副搬送波ＲＵ６５４２から６５５８を示す。
【０４５０】
図６５は、潜在的なパイロットトーン位置ｆ１、ｆ２、ｆ４、ｆ５、ｆ７、及びｆ８にパイロットトーン位置を有する第１の１０８副搬送波ＲＵ６５６２と、潜在的なパイロットトーン位置ｆ１１、ｆ１２、ｆ１４、ｆ１５、ｆ１７、及びｆ１８にパイロットトーン位置を有する第２の１０８副搬送波ＲＵ６５６４と、潜在的なパイロットトーン位置ｆ１９、ｆ２０、ｆ２２、ｆ２３、ｆ２５、及びｆ２６にパイロットトーン位置を有する第３の１０８副搬送波ＲＵ６５６６と、潜在的なパイロットトーン位置ｆ２９、ｆ３０、ｆ３２、ｆ３３、ｆ３５、及びｆ３６にパイロットトーン位置を有する第４の１０８副搬送波ＲＵ６５６８とを更に示す。
【０４５１】
図６５は、潜在的なパイロットトーン位置ｆ１、ｆ４、ｆ５、ｆ８、ｆ１１、ｆ１４、ｆ１５、及びｆ１８にパイロットトーン位置を有する第１の２４２副搬送波ＲＵ６５７２と、潜在的なパイロットトーン位置ｆ１９、ｆ２２、ｆ２３、ｆ２６、ｆ２９、ｆ３２、ｆ３３、及びｆ３６にパイロットトーン位置を有する第２の２４２副搬送波ＲＵ６５７４と、潜在的なパイロットトーン位置ｆ１、ｆ４、ｆ５、ｆ８、ｆ１１、ｆ１４、ｆ１５、ｆ１８、ｆ１９、ｆ２２、ｆ２３、ｆ２６、ｆ２９、ｆ３２、ｆ３３、及びｆ３６にパイロットトーン位置を有する４８４副搬送波ＲＵ６５７６とを更に示す。
【０４５２】
図６５の５２副搬送波ＲＵ、１０６副搬送波ＲＵ、２４２副搬送波ＲＵ、及び４８４副搬送波ＲＵのそれぞれは、同一の帯域幅を占有するより少数の副搬送波を有するＲＵによって使用されるパイロットトーン位置の中から選択されたパイロットトーン位置を有する。更に、図６５のパイロットトーン位置は、図５９Ａに関して上で説明された鏡面対称を示す。
【０４５３】
図６６から７８は、異なるケース及びオプションに関する５２副搬送波ＲＵ内の相対パイロットトーン位置の例の実施形態を表す。図６６から７８に示されたパイロットトーン位置は、設計ＡとＢとの両方で使用され得るが、５２副搬送波ＲＵの入れ子になったパイロットトーン位置（すなわち、設計Ｂ）の例を表すために描かれている。
【０４５４】
図６６から７８では、水平軸に沿ったハッシュマークが、２Ｘ  ＨＥ−ＬＴＦのエネルギーを有する副搬送波にそれぞれ対応しない副搬送波に対応する。水平軸に沿った上を指す矢印は、２Ｘ  ＨＥ−ＬＴＦのエネルギーを有する副搬送波に対応する副搬送波にそれぞれ対応する。
【０４５５】
図６６は、諸実施形態による、ケース１のパイロットトーン位置のオプションを示す。図６６は、基準副搬送波インデックスｆ０が偶数又は奇数のどちらであるのかに従って、２つの実施形態を示すものと解釈され得る。
【０４５６】
図６６は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ６６１０を含む第１の実施形態を示し、基準副搬送波インデックスｆ０は、２×Ｎと等しい値を有し、ここでＮは整数である。図６６は、５２副搬送波ＲＵ６６１０によって占有される複数の副搬送波を占有し、第１の実施形態ではそれぞれ偶数ＲＵ及び奇数ＲＵである、第１の２６副搬送波ＲＵ６６００Ａ及び第２の２６副搬送波ＲＵ６６００Ｂのパイロットトーン位置をも示す。
【０４５７】
図６６は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ６６１０を含む第２の実施形態を示し、基準副搬送波インデックスｆ０は、２×Ｎ＋１と等しい値を有し、ここでＮは整数である。図６６は、５２副搬送波ＲＵ６６１０によって占有される複数の副搬送波を占有し、第２の実施形態ではそれぞれ奇数ＲＵ及び偶数ＲＵである、第１の２６副搬送波ＲＵ６６００Ａ及び第２の２６副搬送波ＲＵ６６００Ｂのパイロットトーン位置をも示す。
【０４５８】
図６６では、５２副搬送波ＲＵ６６１０の最小インデックスを有する副搬送波は、第１の２６副搬送波ＲＵ６６００Ａの最小インデックスを有する副搬送波に整列される。ヌル副搬送波又は予約済み副搬送波６６２０が、第１の２６副搬送波ＲＵ６６００Ａと第２の２６副搬送波ＲＵ６６００Ｂとの間に配置される。
【０４５９】
第１の２６副搬送波ＲＵ６６００Ａは、第１及び第２のパイロットトーン位置６６０２及び６６０４を含む。第１のパイロットトーン位置６６０２は、第１の２６副搬送波ＲＵ６６００Ａの最小インデックスを有する副搬送波から６副搬送波離れて間隔を置いた副搬送波に対応する。第２のパイロットトーン位置６６０４は、第１のパイロットトーン位置６６０２から１２副搬送波によって分離され、第１の２６副搬送波ＲＵ６６００Ａの最大インデックスを有する副搬送波から６副搬送波離れて間隔を置いた副搬送波に対応する。
【０４６０】
第２の２６副搬送波ＲＵ６６００Ｂは、第３及び第４のパイロットトーン位置６６０６及び６６０８を含む。第３のパイロットトーン位置６６０６は、第２の２６副搬送波ＲＵ６６００Ｂの最小インデックスを有する副搬送波から６副搬送波離れて間隔を置いた副搬送波に対応する。第４のパイロットトーン位置６６０８は、第３のパイロットトーン位置６６０６から１２副搬送波によって分離され、第２の２６副搬送波ＲＵ６６００Ｂの最大インデックスを有する副搬送波から６副搬送波離れて間隔を置いた副搬送波に対応する。
【０４６１】
５２副搬送波ＲＵ６６１０は、第５、第６、第７、及び第８のパイロットトーン位置６６１２、６６１４、６６１６、及び６６１８を含む。５２副搬送波ＲＵ６６１０の第５、第６、第７、及び第８のパイロットトーン位置６６１２、６６１４、６６１６、及び６６１８は、それぞれ、第１及び第２の２６副搬送波ＲＵ６６００Ａ及び６６００Ｂの第１、第２、第３、及び第４のパイロットトーン位置６６０２、６６０４、６６０６、及び６６０８に対応する。
【０４６２】
第５のパイロットトーン位置６６１２は、５２副搬送波ＲＵ６６１０の最小インデックスを有する副搬送波から６副搬送波離れて間隔を置いた副搬送波に対応する。第６のパイロットトーン位置６６１４は、第５のパイロットトーン位置６６１２から１２副搬送波によって分離された副搬送波に対応する。第７のパイロットトーン位置６６１６は、第６のパイロットトーン位置６６１４から１３副搬送波によって分離された副搬送波に対応する。第８のパイロットトーン位置６６１８は、第７のパイロットトーン位置６６１６から１２副搬送波によって分離され、５２副搬送波ＲＵ６６１０の最大インデックスを有する副搬送波から５副搬送波離れて間隔を置かれた副搬送波に対応する。
【０４６３】
図６６は、第１の２６副搬送波ＲＵ６６００Ａ（奇数又は偶数とされ得る）と第２の２６副搬送波ＲＵ６６００Ｂ（それぞれ偶数又は奇数とされ得る）との間の鏡面対称パイロットトーン位置を示す。図６６は、５２副搬送波ＲＵ６６１０が第１及び第２のＲＵ６６００Ａ及び６６００Ｂと同一のパイロットトーン位置を使用する入れ子になった設計をも示すが、諸実施形態はこれに限定されない。
【０４６４】
図６７は、諸実施形態による、ケース１のパイロットトーン位置の別のオプションを示す。図６７は、基準副搬送波インデックスｆ０が偶数又は奇数のどちらであるのかに従って、２つの実施形態を示すものと解釈され得る。
【０４６５】
図６７は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ６７１０を含む第１の実施形態を示し、基準副搬送波インデックスｆ０は、２×Ｎと等しい値を有し、ここでＮは整数である。図６７は、５２副搬送波ＲＵ６７１０によって占有される複数の副搬送波を占有し、第１の実施形態ではそれぞれ奇数ＲＵ及び偶数ＲＵである、第１の２６副搬送波ＲＵ６７００Ａ及び第２の２６副搬送波ＲＵ６７００Ｂのパイロットトーン位置をも示す。
【０４６６】
図６７は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ６７１０を含む第２の実施形態を示し、基準副搬送波インデックスｆ０は、２×Ｎ＋１と等しい値を有し、ここでＮは整数である。図６７は、５２副搬送波ＲＵ６７１０によって占有される複数の副搬送波を占有し、第２の実施形態ではそれぞれ偶数ＲＵ及び奇数ＲＵである、第１の２６副搬送波ＲＵ６７００Ａ及び第２の２６副搬送波ＲＵ６７００Ｂのパイロットトーン位置をも示す。
【０４６７】
図６７では、５２副搬送波ＲＵ６７１０の最大インデックスを有する副搬送波は、第２の２６副搬送波ＲＵ６７００Ｂの最大インデックスを有する副搬送波に整列される。ヌル副搬送波又は予約済み副搬送波６７２０が、第１の２６副搬送波ＲＵ６７００Ａと第２の２６副搬送波ＲＵ６７００Ｂとの間に配置される。
【０４６８】
第１の２６副搬送波ＲＵ６７００Ａは、第１及び第２のパイロットトーン位置６７０２及び６７０４を含む。第１のパイロットトーン位置６７０２は、第１の２６副搬送波ＲＵ６７００Ａの最小インデックスを有する副搬送波から６副搬送波離れて間隔を置いた副搬送波に対応する。第２のパイロットトーン位置６７０４は、第１のパイロットトーン位置６７０２から１２副搬送波によって分離され、第１の２６副搬送波ＲＵ６７００Ａの最大インデックスを有する副搬送波から６副搬送波離れて間隔を置いた副搬送波に対応する。
【０４６９】
第２の２６副搬送波ＲＵ６７００Ｂは、第３及び第４のパイロットトーン位置６７０６及び６７０８を含む。第３のパイロットトーン位置６７０６は、第２の２６副搬送波ＲＵ６７００Ｂの最小インデックスを有する副搬送波から６副搬送波離れて間隔を置かれた副搬送波に対応する。第４のパイロットトーン位置６７０８は、第１のパイロットトーン位置６７０６から１２副搬送波によって分離され、第２の２６副搬送波ＲＵ６７００Ｂの最大インデックスを有する副搬送波から６副搬送波離れて間隔を置かれた副搬送波に対応する。
【０４７０】
５２副搬送波ＲＵ６７１０は、第５、第６、第７、及び第８のパイロットトーン位置６７１２、６７１４、６７１６、及び６７１８を含む。５２副搬送波ＲＵ６７１０の第５、第６、第７、及び第８のパイロットトーン位置６７１２、６７１４、６７１６、及び６７１８は、それぞれ、第１及び第２の２６副搬送波ＲＵ６７００Ａ及び６７００Ｂの第１、第２、第３、及び第４のパイロットトーン位置６７０２、６７０４、６７０６、及び６７０８に対応する。
【０４７１】
第５のパイロットトーン位置６７１２は、５２副搬送波ＲＵ６７１０の最小インデックスを有する副搬送波から５副搬送波離れて間隔を置いた副搬送波に対応する。第６のパイロットトーン位置６７１４は、第５のパイロットトーン位置６７１２から１２副搬送波によって分離された副搬送波に対応する。第７のパイロットトーン位置６７１６は、第６のパイロットトーン位置６７１４から１３副搬送波によって分離された副搬送波に対応する。第８のパイロットトーン位置６７１８は、第７のパイロットトーン位置６７１６から１２副搬送波によって分離され、５２副搬送波ＲＵ６７１０の最大インデックスを有する副搬送波から６副搬送波離れて間隔を置いた副搬送波に対応する。
【０４７２】
図６７は、第１の２６副搬送波ＲＵ６７００Ａ（奇数又は偶数とされ得る）と第２の２６副搬送波ＲＵ６７００Ｂ（それぞれ偶数又は奇数とされ得る）との間の鏡面対称パイロットトーン位置を示す。図６７は、５２副搬送波ＲＵ６７１０が第１及び第２のＲＵ６７００Ａ及び６７００Ｂと同一のパイロットトーン位置を使用する入れ子になった設計をも示すが、諸実施形態はこれに限定されない。
【０４７３】
図６８は、諸実施形態による、ケース１のパイロットトーン位置の別のオプションを示す。図６８は、基準副搬送波インデックスｆ０が偶数又は奇数のどちらであるのかに従って、２つの実施形態を示すものと解釈され得る。
【０４７４】
図６８は、偶数ＲＵであり、２ｘＬＴＦ設計のＨＥ−ＬＴＦシーケンスの奇数マッピングと共に使用され得るものなどのパイロットトーン位置を有する５２副搬送波ＲＵ６８１０を含む第１の実施形態を示し、基準副搬送波インデックスｆ０は、２×Ｎと等しい値を有し、ここでＮは整数である。図６８は、５２副搬送波ＲＵ６８１０によって占有される複数の副搬送波を占有し、第１の実施形態ではそれぞれ偶数ＲＵ及び奇数ＲＵである、第１の２６副搬送波ＲＵ６８００Ａ及び第２の２６副搬送波ＲＵ６８００Ｂのパイロットトーン位置をも示す。
【０４７５】
図６８は、奇数ＲＵであり、２ｘＬＴＦ設計のＨＥ−ＬＴＦシーケンスの偶数マッピングと共に使用され得るものなどのパイロットトーン位置を有する５２副搬送波ＲＵ６８１０を含む第２の実施形態を示しているものともされ得、基準副搬送波インデックスｆ０は、２×Ｎ＋１と等しい値を有し、ここでＮは整数である。図６８は、５２副搬送波ＲＵ６８１０によって占有される複数の副搬送波を占有し、第２の実施形態ではそれぞれ奇数ＲＵ及び偶数ＲＵである、第１の２６副搬送波ＲＵ６８００Ａ及び第２の２６副搬送波ＲＵ６８００Ｂのパイロットトーン位置をも示す。
【０４７６】
図６８では、５２副搬送波ＲＵ６８１０の最小インデックスを有する副搬送波は、第１の２６副搬送波ＲＵ６８００Ａの最小インデックスを有する副搬送波に整列される。ヌル副搬送波又は予約済み副搬送波６８２０が、第１の２６副搬送波ＲＵ６８００Ａと第２の２６副搬送波ＲＵ６８００Ｂとの間に配置される。
【０４７７】
第１の２６副搬送波ＲＵ６８００Ａは、第１及び第２のパイロットトーン位置６８０２及び６８０４を含む。第１のパイロットトーン位置６８０２は、第１の２６副搬送波ＲＵ６８００Ａの最小インデックスを有する副搬送波から６副搬送波離れて間隔を置いた副搬送波に対応する。第２のパイロットトーン位置６８０４は、第１のパイロットトーン位置６８０２から１２副搬送波によって分離され、第１の２６副搬送波ＲＵ６８００Ａの最大インデックスを有する副搬送波から６副搬送波離れて間隔を置いた副搬送波に対応する。
【０４７８】
第２の２６副搬送波ＲＵ６８００Ｂは、第３及び第４のパイロットトーン位置６８０６及び６８０８を含む。第３のパイロットトーン位置６８０６は、第２の２６副搬送波ＲＵ６８００Ｂの最小インデックスを有する副搬送波から６副搬送波離れて間隔を置いた副搬送波に対応する。第４のパイロットトーン位置６８０８は、第１のパイロットトーン位置６８０６から１２副搬送波によって分離され、第２の２６副搬送波ＲＵ６８００Ｂの最大インデックスを有する副搬送波から６副搬送波離れて間隔を置いた副搬送波に対応する。
【０４７９】
５２副搬送波ＲＵ６８１０は、第５、第６、第７、及び第８のパイロットトーン位置６８１２、６８１４、６８１６、及び６８１８を含む。５２副搬送波ＲＵ６８１０の第５、第６、第７、及び第８のパイロットトーン位置６８１２、６８１４、６８１６、及び６８１８は、それぞれ、第１及び第２の２６副搬送波ＲＵ６８００Ａ及び６８００Ｂの第１、第２、第３、及び第４のパイロットトーン位置６８０２、６８０４、６８０６、及び６８０８に対応する。
【０４８０】
第５のパイロットトーン位置６８１２は、５２副搬送波ＲＵ６８１０の最小インデックスを有する副搬送波から６副搬送波離れて間隔を置いた副搬送波に対応する。第６のパイロットトーン位置６８１４は、第５のパイロットトーン位置６８１２から１２副搬送波によって分離された副搬送波に対応する。第７のパイロットトーン位置６８１６は、第６のパイロットトーン位置６８１４から１３副搬送波によって分離された副搬送波に対応する。第８のパイロットトーン位置６８１８は、第７のパイロットトーン位置６８１６から１２副搬送波によって分離され、５２副搬送波ＲＵ６８１０の最大インデックスを有する副搬送波から５副搬送波離れて間隔を置いた副搬送波に対応する。
【０４８１】
図６８は、第１の２６副搬送波ＲＵ６８００Ａ（奇数又は偶数とされ得る）と第２の２６副搬送波ＲＵ６８００Ｂ（それぞれ偶数又は奇数とされ得る）との間の鏡面対称パイロットトーン位置を示す。図６８は、５２副搬送波ＲＵ６８１０が第１及び第２のＲＵ６８００Ａ及び６８００Ｂと同一のパイロットトーン位置を使用する入れ子になった設計をも示すが、諸実施形態はこれに限定されない。
【０４８２】
図６９は、諸実施形態による、ケース１のパイロットトーン位置の別のオプションを示す。図６９は、基準副搬送波インデックスｆ０が偶数又は奇数のどちらであるのかに従って、２つの実施形態を示すものと解釈され得る。
【０４８３】
図６９は、偶数ＲＵであり、２ｘＬＴＦ設計のＨＥ−ＬＴＦシーケンスの奇数マッピングと共に使用され得るものなどのパイロットトーン位置を有する５２副搬送波ＲＵ６９１０を含む第１の実施形態を示し、基準副搬送波インデックスｆ０は、２×Ｎと等しい値を有し、ここでＮは整数である。図６９は、５２副搬送波ＲＵ６９１０によって占有される複数の副搬送波を占有し、第１の実施形態ではそれぞれ奇数ＲＵ及び偶数ＲＵである、第１の２６副搬送波ＲＵ６９００Ａ及び第２の２６副搬送波ＲＵ６９００Ｂのパイロットトーン位置をも示す。
【０４８４】
図６９は、奇数ＲＵであり、２ｘＬＴＦ設計のＨＥ−ＬＴＦシーケンスの偶数マッピングと共に使用され得るものなどのパイロットトーン位置を有する５２副搬送波ＲＵ６９１０を含む第２の実施形態を示し、基準副搬送波インデックスｆ０は、２×Ｎ＋１と等しい値を有し、ここでＮは整数である。図６９は、５２副搬送波ＲＵ６９１０によって占有される複数の副搬送波を占有し、第２の実施形態ではそれぞれ偶数ＲＵ及び奇数ＲＵである、第１の２６副搬送波ＲＵ６９００Ａ及び第２の２６副搬送波ＲＵ６９００Ｂのパイロットトーン位置をも示す。
【０４８５】
図６９では、５２副搬送波ＲＵ６９１０の最大インデックスを有する副搬送波は、第２の２６副搬送波ＲＵ６９００Ｂの最大インデックスを有する副搬送波に整列される。ヌル副搬送波又は予約済み副搬送波６９２０が、第１の２６副搬送波ＲＵ６９００Ａと第２の２６副搬送波ＲＵ６９００Ｂとの間に配置される。
【０４８６】
第１の２６副搬送波ＲＵ６９００Ａは、第１及び第２のパイロットトーン位置６９０２及び６９０４を含む。第１のパイロットトーン位置６９０２は、第１の２６副搬送波ＲＵ６９００Ａの最小インデックスを有する副搬送波から６副搬送波離れて間隔を置いた副搬送波に対応する。第２のパイロットトーン位置６９０４は、第１のパイロットトーン位置６９０２から１２副搬送波によって分離され、第１の２６副搬送波ＲＵ６９００Ａの最大インデックスを有する副搬送波から６副搬送波離れて間隔を置いた副搬送波に対応する。
【０４８７】
第２の２６副搬送波ＲＵ６９００Ｂは、第３及び第４のパイロットトーン位置６９０６及び６９０８を含む。第３のパイロットトーン位置６９０６は、第２の２６副搬送波ＲＵ６９００Ｂの最小インデックスを有する副搬送波から６副搬送波離れて間隔を置いた副搬送波に対応する。第４のパイロットトーン位置６９０８は、第１のパイロットトーン位置６９０６から１２副搬送波によって分離され、第２の２６副搬送波ＲＵ６９００Ｂの最大インデックスを有する副搬送波から６副搬送波離れて間隔を置いた副搬送波に対応する。
【０４８８】
５２副搬送波ＲＵ６９１０は、第５、第６、第７、及び第８のパイロットトーン位置６９１２、６９１４、６９１６、及び６９１８を含む。５２副搬送波ＲＵ６９１０の第５、第６、第７、及び第８のパイロットトーン位置６９１２、６９１４、６９１６、及び６９１８は、それぞれ、及び第１及び第２の２６副搬送波ＲＵ６９００Ａ及び６９００Ｂの第１、第２、第３、及び第４のパイロットトーン位置６９０２、６９０４、６９０６、及び６９０８に対応する。
【０４８９】
第５のパイロットトーン位置６９１２は、５２副搬送波ＲＵ６９１０の最小インデックスを有する副搬送波から５副搬送波離れて間隔を置いた副搬送波に対応する。第６のパイロットトーン位置６９１４は、第５のパイロットトーン位置６９１２から１２副搬送波によって分離された副搬送波に対応する。第７のパイロットトーン位置６９１６は、第６のパイロットトーン位置６９１４から１３副搬送波によって分離された副搬送波に対応する。第８のパイロットトーン位置６９１８は、第７のパイロットトーン位置６９１６から１２副搬送波によって分離され、５２副搬送波ＲＵ６９１０の最大インデックスを有する副搬送波から６副搬送波離れて間隔を置いた副搬送波に対応する。
【０４９０】
図６９は、第１の２６副搬送波ＲＵ６９００Ａ（奇数又は偶数とされ得る）と第２の２６副搬送波ＲＵ６９００Ｂ（それぞれ偶数又は奇数とされ得る）との間の鏡面対称パイロットトーン位置を示す。図６９は、５２副搬送波ＲＵ６９１０が第１及び第２のＲＵ６９００Ａ及び６９００Ｂと同一のパイロットトーン位置を使用する入れ子になった設計をも示すが、諸実施形態はこれに限定されない。
【０４９１】
図７０は、諸実施形態による、ケース１のパイロットトーン位置の別のオプションを示す。図７０は、基準副搬送波インデックスｆ０が偶数又は奇数のどちらであるのかに従って、２つの実施形態を示すものと解釈され得る。
【０４９２】
図７０は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ７０１０を含む第１の実施形態を示し、基準副搬送波インデックスｆ０は、２×Ｎと等しい値を有し、ここでＮは整数である。図７０は、５２副搬送波ＲＵ７０１０によって占有される複数の副搬送波を占有し、第１の実施形態ではそれぞれ奇数ＲＵ及び偶数ＲＵである、第１の２６副搬送波ＲＵ７０００Ａ及び第２の２６副搬送波ＲＵ７０００Ｂのパイロットトーン位置をも示す。
【０４９３】
図７０は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ７０１０を含む第２の実施形態を示し、基準副搬送波インデックスｆ０は、２×Ｎ＋１と等しい値を有し、ここでＮは整数である。図７０は、５２副搬送波ＲＵ７０１０によって占有される複数の副搬送波を占有し、第２の実施形態ではそれぞれ偶数ＲＵ及び奇数ＲＵである、第１の２６副搬送波ＲＵ７０００Ａ及び第２の２６副搬送波ＲＵ７０００Ｂのパイロットトーン位置をも示す。
【０４９４】
図７０では、５２副搬送波ＲＵ７０１０の最大インデックスを有する副搬送波は、第２の２６副搬送波ＲＵ７０００Ｂの最大インデックスを有する副搬送波に整列される。ヌル副搬送波又は予約済み副搬送波７０２０が、第１の２６副搬送波ＲＵ７０００Ａと第２の２６副搬送波ＲＵ７０００Ｂとの間に配置される。
【０４９５】
第１の２６副搬送波ＲＵ７０００Ａは、第１及び第２のパイロットトーン位置７００２及び７００４を含む。第１のパイロットトーン位置７００２は、第１の２６副搬送波ＲＵ７０００Ａの最小インデックスを有する副搬送波から５副搬送波離れて間隔を置いた副搬送波に対応する。第２のパイロットトーン位置７００４は、第１のパイロットトーン位置７００２から１３副搬送波によって分離され、第１の２６副搬送波ＲＵ７０００Ａの最大インデックスを有する副搬送波から６副搬送波離れて間隔を置いた副搬送波に対応する。
【０４９６】
第２の２６副搬送波ＲＵ７０００Ｂは、第３及び第４のパイロットトーン位置７００６及び７００８を含む。第３のパイロットトーン位置７００６は、第２の２６副搬送波ＲＵ７０００Ｂの最小インデックスを有する副搬送波から６副搬送波離れて間隔を置いた副搬送波に対応する。第４のパイロットトーン位置７００８は、第１のパイロットトーン位置７００６から１３副搬送波によって分離され、第２の２６副搬送波ＲＵ７０００Ｂの最大インデックスを有する副搬送波から５副搬送波離れて間隔を置いた副搬送波に対応する。
【０４９７】
５２副搬送波ＲＵ７０１０は、第５、第６、第７、及び第８のパイロットトーン位置７０１２、７０１４、７０１６、及び７０１８を含む。５２副搬送波ＲＵ７０１０の第５、第６、第７、及び第８のパイロットトーン位置７０１２、７０１４、７０１６、及び７０１８は、それぞれ、及び第１及び第２の２６副搬送波ＲＵ７０００Ａ及び７０００Ｂの第１、第２、第３、及び第４のパイロットトーン位置７００２、７００４、７００６、及び７００８に対応する。
【０４９８】
第５のパイロットトーン位置７０１２は、５２副搬送波ＲＵ７０１０の最小インデックスを有する副搬送波から４副搬送波離れて間隔を置いた副搬送波に対応する。第６のパイロットトーン位置７０１４は、第５のパイロットトーン位置７０１２から１３副搬送波によって分離された副搬送波に対応する。第７のパイロットトーン位置７０１４は、第６のパイロットトーン位置７０１２から１３副搬送波によって分離された副搬送波に対応する。第８のパイロットトーン位置７０１８は、第７のパイロットトーン位置７０１６から１３副搬送波によって分離され、５２副搬送波ＲＵ７０１０の最大インデックスを有する副搬送波から５副搬送波離れて間隔を置いた副搬送波に対応する。
【０４９９】
図７０は、第１の２６副搬送波ＲＵ７０００Ａ（奇数又は偶数とされ得る）と第２の２６副搬送波ＲＵ７０００Ｂ（それぞれ偶数又は奇数とされ得る）との間の鏡面対称パイロットトーン位置を示す。図７０は、５２副搬送波ＲＵ７０１０が第１及び第２のＲＵ７０００Ａ及び７０００Ｂと同一のパイロットトーン位置を使用する入れ子になった設計をも示すが、諸実施形態はこれに限定されない。
【０５００】
図７１は、諸実施形態による、ケース１のパイロットトーン位置の別のオプションを示す。図７１は、基準副搬送波インデックスｆ０が偶数又は奇数のどちらであるのかに従って、２つの実施形態を示すものと解釈され得る。
【０５０１】
図７１は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ７１１０を含む第１の実施形態を示し、基準副搬送波インデックスｆ０は、２×Ｎと等しい値を有し、ここでＮは整数である。図７１は、５２副搬送波ＲＵ７１１０によって占有される複数の副搬送波を占有し、第１の実施形態ではそれぞれ偶数ＲＵ及び奇数ＲＵである、第１の２６副搬送波ＲＵ７１００Ａ及び第２の２６副搬送波ＲＵ７１００Ｂのパイロットトーン位置をも示す。
【０５０２】
図７１は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ７１１０を含む第２の実施形態を示し、基準副搬送波インデックスｆ０は、２×Ｎ＋１と等しい値を有し、ここでＮは整数である。図７１は、５２副搬送波ＲＵ７１１０によって占有される複数の副搬送波を占有し、第２の実施形態ではそれぞれ奇数ＲＵ及び偶数ＲＵである、第１の２６副搬送波ＲＵ７１００Ａ及び第２の２６副搬送波ＲＵ７１００Ｂのパイロットトーン位置をも示す。
【０５０３】
図７１では、５２副搬送波ＲＵ７１１０の最小インデックスを有する副搬送波は、第１の２６副搬送波ＲＵ７１００Ａの最小インデックスを有する副搬送波に整列される。ヌル副搬送波又は予約済み副搬送波７１２０が、第１の２６副搬送波ＲＵ７１００Ａと第２の２６副搬送波ＲＵ７１００Ｂとの間に配置される。
【０５０４】
第１の２６副搬送波ＲＵ７１００Ａは、第１及び第２のパイロットトーン位置７１０２及び７１０４を含む。第１のパイロットトーン位置７１０２は、第１の２６副搬送波ＲＵ７１００Ａの最小インデックスを有する副搬送波から６副搬送波離れて間隔を置いた副搬送波に対応する。第２のパイロットトーン位置７１０４は、第１のパイロットトーン位置７１０２から１３副搬送波によって分離され、第１の２６副搬送波ＲＵ７１００Ａの最大インデックスを有する副搬送波から５副搬送波離れて間隔を置いた副搬送波に対応する。
【０５０５】
第２の２６副搬送波ＲＵ７１００Ｂは、第３及び第４のパイロットトーン位置７１０６及び７１０８を含む。第３のパイロットトーン位置７１０６は、第２の２６副搬送波ＲＵ７１００Ｂの最小インデックスを有する副搬送波から５副搬送波離れて間隔を置いた副搬送波に対応する。第４のパイロットトーン位置７１０８は、第１のパイロットトーン位置７１０６から１３副搬送波によって分離され、第２の２６副搬送波ＲＵ７１００Ｂの最大インデックスを有する副搬送波から６副搬送波離れて間隔を置いた副搬送波に対応する。
【０５０６】
５２副搬送波ＲＵ７１１０は、第５、第６、第７、及び第８のパイロットトーン位置７１１２、７１１４、７１１６、及び７１１８を含む。５２副搬送波ＲＵ７１１０の第５、第６、第７、及び第８のパイロットトーン位置７１１２、７１１４、７１１６、及び７１１８は、それぞれ、第１及び第２の２６副搬送波ＲＵ７１００Ａ及び７１００Ｂの第１、第２、第３、及び第４のパイロットトーン位置７１０２、７１０４、７１０６、及び７１０８に対応する。
【０５０７】
第５のパイロットトーン位置７１１２は、５２副搬送波ＲＵ７１１０の最小インデックスを有する副搬送波から６副搬送波離れて間隔を置いた副搬送波に対応する。第６のパイロットトーン位置７１１４は、第５のパイロットトーン位置７１１２から１３副搬送波によって分離された副搬送波に対応する。第７のパイロットトーン位置７１１６は、第６のパイロットトーン位置７１１４から１１副搬送波によって分離された副搬送波に対応する。第８のパイロットトーン位置７１１８は、第７のパイロットトーン位置７１１６から１３副搬送波によって分離され、５２副搬送波ＲＵ７１１０の最大インデックスを有する副搬送波から５副搬送波離れて間隔を置いた副搬送波に対応する。
【０５０８】
図７１は、第１の２６副搬送波ＲＵ７１００Ａ（奇数又は偶数とされ得る）と第２の２６副搬送波ＲＵ７１００Ｂ（それぞれ偶数又は奇数とされ得る）との間の鏡面対称パイロットトーン位置を示す。図７１は、５２副搬送波ＲＵ７１１０が第１及び第２のＲＵ７１００Ａ及び７１００Ｂと同一のパイロットトーン位置を使用する入れ子になった設計をも示すが、諸実施形態はこれに限定されない。
【０５０９】
図７２は、諸実施形態による、ケース１のパイロットトーン位置の別のオプションを示す。図７２は、基準副搬送波インデックスｆ０が偶数又は奇数のどちらであるのかに従って、２つの実施形態を示すものと解釈され得る。
【０５１０】
図７２は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ７２１０を含む第１の実施形態を示し、基準副搬送波インデックスｆ０は、２×Ｎと等しい値を有し、ここでＮは整数である。図７２は、５２副搬送波ＲＵ７２１０によって占有される複数の副搬送波を占有し、第１の実施形態ではそれぞれ奇数ＲＵ及び偶数ＲＵである、第１の２６副搬送波ＲＵ７２００Ａ及び第２の２６副搬送波ＲＵ７２００Ｂのパイロットトーン位置をも示す。
【０５１１】
図７２は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ７２１０を含む第２の実施形態を示し、基準副搬送波インデックスｆ０は、２×Ｎ＋１と等しい値を有し、ここでＮは整数である。図７２は、５２副搬送波ＲＵ７２１０によって占有される複数の副搬送波を占有し、第２の実施形態ではそれぞれ偶数ＲＵ及び奇数ＲＵである、第１の２６副搬送波ＲＵ７２００Ａ及び第２の２６副搬送波ＲＵ７２００Ｂのパイロットトーン位置をも示す。
【０５１２】
図７２では、５２副搬送波ＲＵ７２１０の最大インデックスを有する副搬送波は、第２の２６副搬送波ＲＵ７２００Ｂの最大インデックスを有する副搬送波に整列される。ヌル副搬送波又は予約済み副搬送波７２２０が、第１の２６副搬送波ＲＵ７２００Ａと第２の２６副搬送波ＲＵ７２００Ｂとの間に配置される。
【０５１３】
第１の２６副搬送波ＲＵ７２００Ａは、第１及び第２のパイロットトーン位置７２０２及び７２０４を含む。第１のパイロットトーン位置７２０２は、第１の２６副搬送波ＲＵ７２００Ａの最小インデックスを有する副搬送波から７副搬送波離れて間隔を置いた副搬送波に対応する。第２のパイロットトーン位置７２０４は、第１のパイロットトーン位置７２０２から１１副搬送波によって分離され、第１の２６副搬送波ＲＵ７２００Ａの最大インデックスを有する副搬送波から６副搬送波離れて間隔を置いた副搬送波に対応する。
【０５１４】
第２の２６副搬送波ＲＵ７２００Ｂは、第３及び第４のパイロットトーン位置７２０６及び７２０８を含む。第３のパイロットトーン位置７２０６は、第２の２６副搬送波ＲＵ７２００Ｂの最小インデックスを有する副搬送波から６副搬送波離れて間隔を置いた副搬送波に対応する。第４のパイロットトーン位置７２０８は、第１のパイロットトーン位置７２０６から１１副搬送波によって分離され、第２の２６副搬送波ＲＵ７２００Ｂの最大インデックスを有する副搬送波から７副搬送波離れて間隔を置いた副搬送波に対応する。
【０５１５】
５２副搬送波ＲＵ７２１０は、第５、第６、第７、及び第８のパイロットトーン位置７２１２、７２１４、７２１６、及び７２１８を含む。５２副搬送波ＲＵ７２１０の第５、第６、第７、及び第８のパイロットトーン位置７２１２、７２１４、７２１６、及び７２１８は、それぞれ、第１及び第２の２６副搬送波ＲＵ７２００Ａ及び７２００Ｂの第１、第２、第３、及び第４のパイロットトーン位置７２０２、７２０４、７２０６、及び７２０８に対応する。
【０５１６】
第５のパイロットトーン位置７２１２は、５２副搬送波ＲＵ７２１０の最小インデックスを有する副搬送波から６副搬送波離れて間隔を置いた副搬送波に対応する。第６のパイロットトーン位置７２１４は、第５のパイロットトーン位置７２１２から１１副搬送波によって分離された副搬送波に対応する。第７のパイロットトーン位置７２１６は、第６のパイロットトーン位置７２１４から１３副搬送波によって分離された副搬送波に対応する。第８のパイロットトーン位置７２１８は、第７のパイロットトーン位置７２１６から１１副搬送波によって分離され、５２副搬送波ＲＵ７２１０の最大インデックスを有する副搬送波から７副搬送波離れて間隔を置いた副搬送波に対応する。
【０５１７】
図７２は、第１の２６副搬送波ＲＵ７２００Ａ（奇数又は偶数とされ得る）と第２の２６副搬送波ＲＵ７２００Ｂ（それぞれ偶数又は奇数とされ得る）との間の鏡面対称パイロットトーン位置を示す。図７２は、５２副搬送波ＲＵ７２１０が第１及び第２のＲＵ７２００Ａ及び７２００Ｂと同一のパイロットトーン位置を使用する入れ子になった設計をも示すが、諸実施形態はこれに限定されない。
【０５１８】
図７３は、諸実施形態による、ケース２のパイロットトーン位置の別のオプションを示す。図７３は、基準副搬送波インデックスｆ０が偶数又は奇数のどちらであるのかに従って、２つの実施形態を示すものと解釈され得る。
【０５１９】
図７３は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ７３１０を含む第１の実施形態を示し、基準副搬送波インデックスｆ０は、２×Ｎと等しい値を有し、ここでＮは整数である。図７３は、５２副搬送波ＲＵ７３１０によって占有される複数の副搬送波を占有し、第１の実施形態では偶数ＲＵである、第１の２６副搬送波ＲＵ７３００Ａ及び第２の２６副搬送波ＲＵ７３００Ｂのパイロットトーン位置をも示す。
【０５２０】
図７３は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ７３１０を含む第２の実施形態を示し、基準副搬送波インデックスｆ０は、２×Ｎ＋１と等しい値を有し、ここでＮは整数である。図７３は、５２副搬送波ＲＵ７３１０によって占有される複数の副搬送波を占有し、第２の実施形態では奇数ＲＵである、第１の２６副搬送波ＲＵ７３００Ａ及び第２の２６副搬送波ＲＵ７３００Ｂのパイロットトーン位置をも示す。
【０５２１】
図７３では、５２副搬送波ＲＵ７３１０の最小インデックスを有する副搬送波は、第１の２６副搬送波ＲＵ７３００Ａの最小インデックスを有する副搬送波に整列され、５２副搬送波ＲＵ７３１０の最大インデックスを有する副搬送波は、第２の２６副搬送波ＲＵ７３００Ｂの最大インデックスを有する副搬送波に整列される。
【０５２２】
第１の２６副搬送波ＲＵ７３００Ａは、第１及び第２のパイロットトーン位置７３０２及び７３０４を含む。第１のパイロットトーン位置７３０２は、第１の２６副搬送波ＲＵ７３００Ａの最小インデックスを有する副搬送波から６副搬送波離れて間隔を置いた副搬送波に対応する。第２のパイロットトーン位置７３０４は、第１のパイロットトーン位置７３０２から１２副搬送波によって分離され、第１の２６副搬送波ＲＵ７３００Ａの最大インデックスを有する副搬送波から６副搬送波離れて間隔を置いた副搬送波に対応する。
【０５２３】
第２の２６副搬送波ＲＵ７３００Ｂは、第３及び第４のパイロットトーン位置７３０６及び７３０８を含む。第３のパイロットトーン位置７３０６は、第２の２６副搬送波ＲＵ７３００Ｂの最小インデックスを有する副搬送波から６副搬送波離れて間隔を置いた副搬送波に対応する。第４のパイロットトーン位置７３０８は、第１のパイロットトーン位置７３０６から１２副搬送波によって分離され、第２の２６副搬送波ＲＵ７３００Ｂの最大インデックスを有する副搬送波から６副搬送波離れて間隔を置いた副搬送波に対応する。
【０５２４】
５２副搬送波ＲＵ７３１０は、第５、第６、第７、及び第８のパイロットトーン位置７３１２、７３１４、７３１６、及び７３１８を含む。５２副搬送波ＲＵ７３１０の第５、第６、第７、及び第８のパイロットトーン位置７３１２、７３１４、７３１６、及び７３１８は、それぞれ、第１及び第２の２６副搬送波ＲＵ７３００Ａ及び７３００Ｂの第１、第２、第３、及び第４のパイロットトーン位置７３０２、７３０４、７３０６、及び７３０８に対応する。
【０５２５】
第５のパイロットトーン位置７３１２は、５２副搬送波ＲＵ７３１０の最小インデックスを有する副搬送波から６副搬送波離れて間隔を置いた副搬送波に対応する。第６のパイロットトーン位置７３１４は、第５のパイロットトーン位置７３１２から１２副搬送波によって分離された副搬送波に対応する。第７のパイロットトーン位置７３１６は、第６のパイロットトーン位置７３１４から１２副搬送波によって分離された副搬送波に対応する。第８のパイロットトーン位置７３１８は、第７のパイロットトーン位置７３１６から１２副搬送波によって分離され、５２副搬送波ＲＵ７３１０の最大インデックスを有する副搬送波から６副搬送波離れて間隔を置いた副搬送波に対応する。
【０５２６】
図７３は、５２副搬送波ＲＵ７３１０が第１及び第２のＲＵ７３００Ａ及び７３００Ｂと同一のパイロットトーン位置を使用する入れ子になった設計を示すが、諸実施形態はこれに限定されない。
【０５２７】
図７４は、諸実施形態による、ケース２のパイロットトーン位置の別のオプションを示す。図７４は、基準副搬送波インデックスｆ０が偶数又は奇数のどちらであるのかに従って、２つの実施形態を示すものと解釈され得る。
【０５２８】
図７４は、偶数ＲＵであり、２ｘＬＴＦ設計のＨＥ−ＬＴＦシーケンスの奇数マッピングと共に使用され得るものなどのパイロットトーン位置を有する５２副搬送波ＲＵ７４１０を含む第１の実施形態を示し、基準副搬送波インデックスｆ０は、２×Ｎと等しい値を有し、ここでＮは整数である。図７４は、５２副搬送波ＲＵ７４１０によって占有される複数の副搬送波を占有し、第１の実施形態では偶数ＲＵである、第１の２６副搬送波ＲＵ７４００Ａ及び第２の２６副搬送波ＲＵ７４００Ｂのパイロットトーン位置をも示す。
【０５２９】
図７４は、奇数ＲＵであり、２ｘＬＴＦ設計のＨＥ−ＬＴＦシーケンスの偶数マッピングと共に使用され得るものなどのパイロットトーン位置を有する５２副搬送波ＲＵ７４１０を含む第２の実施形態を示し、基準副搬送波インデックスｆ０は、２×Ｎ＋１と等しい値を有し、ここでＮは整数である。図７４は、５２副搬送波ＲＵ７４１０によって占有される複数の副搬送波を占有し、第２の実施形態では奇数ＲＵである、第１の２６副搬送波ＲＵ７４００Ａ及び第２の２６副搬送波ＲＵ７４００Ｂのパイロットトーン位置をも示す。
【０５３０】
図７４では、５２副搬送波ＲＵ７４１０の最小インデックスを有する副搬送波は、第１の２６副搬送波ＲＵ７４００Ａの最小インデックスを有する副搬送波に整列され、５２副搬送波ＲＵ７４１０の最大インデックスを有する副搬送波は、第２の２６副搬送波ＲＵ７４００Ｂの最大インデックスを有する副搬送波に整列される。
【０５３１】
第１の２６副搬送波ＲＵ７４００Ａは、第１及び第２のパイロットトーン位置７４０２及び７４０４を含む。第１のパイロットトーン位置７４０２は、第１の２６副搬送波ＲＵ７４００Ａの最小インデックスを有する副搬送波から６副搬送波離れて間隔を置いた副搬送波に対応する。第２のパイロットトーン位置７４０４は、第１のパイロットトーン位置７４０２から１２副搬送波によって分離され、第１の２６副搬送波ＲＵ７４００Ａの最大インデックスを有する副搬送波から６副搬送波離れて間隔を置いた副搬送波に対応する。
【０５３２】
第２の２６副搬送波ＲＵ７４００Ｂは、第３及び第４のパイロットトーン位置７４０６及び７４０８を含む。第３のパイロットトーン位置７４０６は、第２の２６副搬送波ＲＵ７４００Ｂの最小インデックスを有する副搬送波から６副搬送波離れて間隔を置いた副搬送波に対応する。第４のパイロットトーン位置７４０８は、第１のパイロットトーン位置７４０６から１２副搬送波によって分離され、第２の２６副搬送波ＲＵ７４００Ｂの最大インデックスを有する副搬送波から６副搬送波離れて間隔を置いた副搬送波に対応する。
【０５３３】
５２副搬送波ＲＵ７４１０は、第５、第６、第７、及び第８のパイロットトーン位置７４１２、７４１４、７４１６、及び７４１８を含む。５２副搬送波ＲＵ７４１０の第５、第６、第７、及び第８のパイロットトーン位置７４１２、７４１４、７４１６、及び７４１８は、それぞれ、第１及び第２の２６副搬送波ＲＵ７４００Ａ及び７４００Ｂの第１、第２、第３、及び第４のパイロットトーン位置７４０２、７４０４、７４０６、及び７４０８に対応する。
【０５３４】
第５のパイロットトーン位置７４１２は、５２副搬送波ＲＵ７４１０の最小インデックスを有する副搬送波から６副搬送波離れて間隔を置いた副搬送波に対応する。第６のパイロットトーン位置７４１４は、第５のパイロットトーン位置７４１２から１２副搬送波によって分離された副搬送波に対応する。第７のパイロットトーン位置７４１６は、第６のパイロットトーン位置７４１４から１２副搬送波によって分離された副搬送波に対応する。第８のパイロットトーン位置７４１８は、第７のパイロットトーン位置７４１６から１２副搬送波によって分離され、５２副搬送波ＲＵ７４１０の最大インデックスを有する副搬送波から６副搬送波離れて間隔を置いた副搬送波に対応する。
【０５３５】
図７４は、５２副搬送波ＲＵ７４１０が第１及び第２のＲＵ７４００Ａ及び７４００Ｂと同一のパイロットトーン位置を使用する入れ子になった設計を示すが、諸実施形態はこれに限定されない。
【０５３６】
図７５は、諸実施形態による、ケース２のパイロットトーン位置の別のオプションを示す。図７５は、基準副搬送波インデックスｆ０が偶数又は奇数のどちらであるのかに従って、２つの実施形態を示すものと解釈され得る。
【０５３７】
図７５は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ７５１０を含む第１の実施形態を示し、基準副搬送波インデックスｆ０は、２×Ｎと等しい値を有し、ここでＮは整数である。図７５は、５２副搬送波ＲＵ７５１０によって占有される複数の副搬送波を占有し、第１の実施形態では偶数ＲＵである、第１の２６副搬送波ＲＵ７５００Ａ及び第２の２６副搬送波ＲＵ７５００Ｂのパイロットトーン位置をも示す。
【０５３８】
図７５は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ７５１０を含む第２の実施形態を示し、基準副搬送波インデックスｆ０は、２×Ｎ＋１と等しい値を有し、ここでＮは整数である。図７５は、５２副搬送波ＲＵ７５１０によって占有される複数の副搬送波を占有し、第２の実施形態では奇数ＲＵである、第１の２６副搬送波ＲＵ７５００Ａ及び第２の２６副搬送波ＲＵ７５００Ｂのパイロットトーン位置をも示す。
【０５３９】
図７５では、５２副搬送波ＲＵ７５１０の最小インデックスを有する副搬送波は、第１の２６副搬送波ＲＵ７５００Ａの最小インデックスを有する副搬送波に整列され、５２副搬送波ＲＵ７５１０の最大インデックスを有する副搬送波は、第２の２６副搬送波ＲＵ７５００Ｂの最大インデックスを有する副搬送波に整列される。
【０５４０】
第１の２６副搬送波ＲＵ７５００Ａは、第１及び第２のパイロットトーン位置７５０２及び７５０４を含む。第１のパイロットトーン位置７５０２は、第１の２６副搬送波ＲＵ７５００Ａの最小インデックスを有する副搬送波から６副搬送波離れて間隔を置いた副搬送波に対応する。第２のパイロットトーン位置７５０４は、第１のパイロットトーン位置７５０２から１１副搬送波によって分離され、第１の２６副搬送波ＲＵ７５００Ａの最大インデックスを有する副搬送波から７副搬送波離れて間隔を置いた副搬送波に対応する。
【０５４１】
第２の２６副搬送波ＲＵ７５００Ｂは、第３及び第４のパイロットトーン位置７５０６及び７５０８を含む。第３のパイロットトーン位置７５０６は、第２の２６副搬送波ＲＵ７５００Ｂの最小インデックスを有する副搬送波から６副搬送波離れて間隔を置いた副搬送波に対応する。第４のパイロットトーン位置７５０８は、第１のパイロットトーン位置７５０６から１１副搬送波によって分離され、第２の２６副搬送波ＲＵ７５００Ｂの最大インデックスを有する副搬送波から７副搬送波離れて間隔を置いた副搬送波に対応する。
【０５４２】
５２副搬送波ＲＵ７５１０は、第５、第６、第７、及び第８のパイロットトーン位置７５１２、７５１４、７５１６、及び７５１８を含む。５２副搬送波ＲＵ７５１０の第５、第６、第７、及び第８のパイロットトーン位置７５１２、７５１４、７５１６、及び７５１８は、それぞれ、第１及び第２の２６副搬送波ＲＵ７５００Ａ及び７５００Ｂの第１、第２、第３、及び第４のパイロットトーン位置７５０２、７５０４、７５０６、及び７５０８に対応する。
【０５４３】
第５のパイロットトーン位置７５１２は、５２副搬送波ＲＵ７５１０の最小インデックスを有する副搬送波から６副搬送波離れて間隔を置いた副搬送波に対応する。第６のパイロットトーン位置７５１４は、第５のパイロットトーン位置７５１２から１１副搬送波によって分離された副搬送波に対応する。第７のパイロットトーン位置７５１６は、第６のパイロットトーン位置７５１４から１３副搬送波によって分離された副搬送波に対応する。第８のパイロットトーン位置７５１８は、第７のパイロットトーン位置７５１６から１１副搬送波によって分離され、５２副搬送波ＲＵ７５１０の最大インデックスを有する副搬送波から７副搬送波離れて間隔を置いた副搬送波に対応する。
【０５４４】
図７５は、５２副搬送波ＲＵ７５１０が第１及び第２のＲＵ７５００Ａ及び７５００Ｂと同一のパイロットトーン位置を使用する入れ子になった設計を示すが、諸実施形態はこれに限定されない。
【０５４５】
図７６は、諸実施形態による、ケース２のパイロットトーン位置の別のオプションを示す。図７６は、基準副搬送波インデックスｆ０が偶数又は奇数のどちらであるのかに従って、２つの実施形態を示すものと解釈され得る。
【０５４６】
図７６は、偶数ＲＵであり、２ｘＬＴＦ設計のＨＥ−ＬＴＦシーケンスの奇数マッピングと共に使用され得るものなどのパイロットトーン位置を有する５２副搬送波ＲＵ７６１０を含む第１の実施形態を示し、基準副搬送波インデックスｆ０は、２×Ｎと等しい値を有し、ここでＮは整数である。図７６は、５２副搬送波ＲＵ７６１０によって占有される複数の副搬送波を占有し、第１の実施形態では偶数ＲＵである、第１の２６副搬送波ＲＵ７６００Ａ及び第２の２６副搬送波ＲＵ７６００Ｂのパイロットトーン位置をも示す。
【０５４７】
図７６は、奇数ＲＵであり、２ｘＬＴＦ設計のＨＥ−ＬＴＦシーケンスの偶数マッピングと共に使用され得るものなどのパイロットトーン位置を有する５２副搬送波ＲＵ７６１０を含む第２の実施形態を示し、基準副搬送波インデックスｆ０は、２×Ｎ＋１と等しい値を有し、ここでＮは整数である。図７６は、５２副搬送波ＲＵ７６１０によって占有される複数の副搬送波を占有し、第２の実施形態では奇数ＲＵである、第１の２６副搬送波ＲＵ７６００Ａ及び第２の２６副搬送波ＲＵ７６００Ｂのパイロットトーン位置をも示す。
【０５４８】
図７６では、５２副搬送波ＲＵ７６１０の最小インデックスを有する副搬送波は、第１の２６副搬送波ＲＵ７６００Ａの最小インデックスを有する副搬送波に整列され、５２副搬送波ＲＵ７６１０の最大インデックスを有する副搬送波は、第２の２６副搬送波ＲＵ７６００Ｂの最大インデックスを有する副搬送波に整列される。
【０５４９】
第１の２６副搬送波ＲＵ７６００Ａは、第１及び第２のパイロットトーン位置７６０２及び７６０４を含む。第１のパイロットトーン位置７６０２は、第１の２６副搬送波ＲＵ７６００Ａの最小インデックスを有する副搬送波から７副搬送波離れて間隔を置いた副搬送波に対応する。第２のパイロットトーン位置７６０４は、第１のパイロットトーン位置７６０２から１１副搬送波によって分離され、第１の２６副搬送波ＲＵ７６００Ａの最大インデックスを有する副搬送波から６副搬送波離れて間隔を置いた副搬送波に対応する。
【０５５０】
第２の２６副搬送波ＲＵ７６００Ｂは、第３及び第４のパイロットトーン位置７６０６及び７６０８を含む。第３のパイロットトーン位置７６０６は、第２の２６副搬送波ＲＵ７６００Ｂの最小インデックスを有する副搬送波から７副搬送波離れて間隔を置いた副搬送波に対応する。第４のパイロットトーン位置７６０８は、第１のパイロットトーン位置７６０６から１１副搬送波によって分離され、第２の２６副搬送波ＲＵ７６００Ｂの最大インデックスを有する副搬送波から６副搬送波離れて間隔を置いた副搬送波に対応する。
【０５５１】
５２副搬送波ＲＵ７６１０は、第５、第６、第７、及び第８のパイロットトーン位置７６１２、７６１４、７６１６、及び７６１８を含む。５２副搬送波ＲＵ７６１０の第５、第６、第７、及び第８のパイロットトーン位置７６１２、７６１４、７６１６、及び７６１８は、それぞれ、第１及び第２の２６副搬送波ＲＵ７６００Ａ及び７６００Ｂの第１、第２、第３、及び第４のパイロットトーン位置７６０２、７６０４、７６０６、及び７６０８に対応する。
【０５５２】
第５のパイロットトーン位置７６１２は、５２副搬送波ＲＵ７６１０の最小インデックスを有する副搬送波から７副搬送波離れて間隔を置いた副搬送波に対応する。第６のパイロットトーン位置７６１４は、第５のパイロットトーン位置７６１２から１１副搬送波によって分離された副搬送波に対応する。第７のパイロットトーン位置７６１６は、第６のパイロットトーン位置７６１４から１３副搬送波によって分離された副搬送波に対応する。第８のパイロットトーン位置７６１８は、第７のパイロットトーン位置７６１６から１１副搬送波によって分離され、５２副搬送波ＲＵ７６１０の最大インデックスを有する副搬送波から６副搬送波離れて間隔を置いた副搬送波に対応する。
【０５５３】
図７６は、５２副搬送波ＲＵ７６１０が第１及び第２のＲＵ７６００Ａ及び７６００Ｂと同一のパイロットトーン位置を使用する入れ子になった設計を示すが、諸実施形態はこれに限定されない。
【０５５４】
図７７は、諸実施形態による、ケース２のパイロットトーン位置の別のオプションを示す。図７７は、基準副搬送波インデックスｆ０が偶数又は奇数のどちらであるのかに従って、２つの実施形態を示すものと解釈され得る。
【０５５５】
図７７は、偶数ＲＵであり、２ｘＬＴＦ設計のＨＥ−ＬＴＦシーケンスの偶数マッピングと共に使用され得るものなどのパイロットトーン位置を有する５２副搬送波ＲＵ７７１０を含む第１の実施形態を示し、基準副搬送波インデックスｆ０は、２×Ｎと等しい値を有し、ここでＮは整数である。図７７は、５２副搬送波ＲＵ７７１０によって占有される複数の副搬送波を占有し、第１の実施形態では偶数ＲＵである、第１の２６副搬送波ＲＵ７７００Ａ及び第２の２６副搬送波ＲＵ７７００Ｂのパイロットトーン位置をも示す。
【０５５６】
図７７は、奇数ＲＵであり、２ｘＬＴＦ設計のＨＥ−ＬＴＦシーケンスの奇数マッピングと共に使用され得るものなどのパイロットトーン位置を有する５２副搬送波ＲＵ７７１０を含む第２の実施形態を示し、基準副搬送波インデックスｆ０は、２×Ｎ＋１と等しい値を有し、ここでＮは整数である。図７７は、５２副搬送波ＲＵ７７１０によって占有される複数の副搬送波を占有し、第２の実施形態では奇数ＲＵである、第１の２６副搬送波ＲＵ７７００Ａ及び第２の２６副搬送波ＲＵ７７００Ｂのパイロットトーン位置をも示す。
【０５５７】
図７７では、５２副搬送波ＲＵ７７１０の最小インデックスを有する副搬送波は、第１の２６副搬送波ＲＵ７７００Ａの最小インデックスを有する副搬送波に整列され、５２副搬送波ＲＵ７７１０の最大インデックスを有する副搬送波は、第２の２６副搬送波ＲＵ７７００Ｂの最大インデックスを有する副搬送波に整列される。
【０５５８】
第１の２６副搬送波ＲＵ７７００Ａは、第１及び第２のパイロットトーン位置７７０２及び７７０４を含む。第１のパイロットトーン位置７７０２は、第１の２６副搬送波ＲＵ７７００Ａの最小インデックスを有する副搬送波から６副搬送波離れて間隔を置いた副搬送波に対応する。第２のパイロットトーン位置７７０４は、第１のパイロットトーン位置７７０２から１３副搬送波によって分離され、第１の２６副搬送波ＲＵ７７００Ａの最大インデックスを有する副搬送波から５副搬送波離れて間隔を置いた副搬送波に対応する。
【０５５９】
第２の２６副搬送波ＲＵ７７００Ｂは、第３及び第４のパイロットトーン位置７７０６及び７７０８を含む。第３のパイロットトーン位置７７０６は、第２の２６副搬送波ＲＵ７７００Ｂの最小インデックスを有する副搬送波から６副搬送波離れて間隔を置いた副搬送波に対応する。第４のパイロットトーン位置７７０８は、第１のパイロットトーン位置７７０６から１３副搬送波によって分離され、第２の２６副搬送波ＲＵ７７００Ｂの最大インデックスを有する副搬送波から５副搬送波離れて間隔を置いた副搬送波に対応する。
【０５６０】
５２副搬送波ＲＵ７７１０は、第５、第６、第７、及び第８のパイロットトーン位置７７１２、７７１４、７７１６、及び７７１８を含む。５２副搬送波ＲＵ７７１０の第５、第６、第７、及び第８のパイロットトーン位置７７１２、７７１４、７７１６、及び７７１８は、それぞれ、第１及び第２の２６副搬送波ＲＵ７７００Ａ及び７７００Ｂの第１、第２、第３、及び第４のパイロットトーン位置７７０２、７７０４、７７０６、及び７７０８に対応する。
【０５６１】
第５のパイロットトーン位置７７１２は、５２副搬送波ＲＵ７７１０の最小インデックスを有する副搬送波から６副搬送波離れて間隔を置いた副搬送波に対応する。第６のパイロットトーン位置７７１４は、第５のパイロットトーン位置７７１２から１３副搬送波によって分離された副搬送波に対応する。第７のパイロットトーン位置７７１６は、第６のパイロットトーン位置７７１４から１１副搬送波によって分離された副搬送波に対応する。第８のパイロットトーン位置７７１８は、第７のパイロットトーン位置７７１６から１３副搬送波によって分離され、５２副搬送波ＲＵ７７１０の最大インデックスを有する副搬送波から５副搬送波離れて間隔を置いた副搬送波に対応する。
【０５６２】
図７７は、５２副搬送波ＲＵ７７１０が第１及び第２のＲＵ７７００Ａ及び７７００Ｂと同一のパイロットトーン位置を使用する入れ子になった設計を示すが、諸実施形態はこれに限定されない。
【０５６３】
図７８は、諸実施形態による、ケース２のパイロットトーン位置の別のオプションを示す。図７８は、基準副搬送波インデックスｆ０が偶数又は奇数のどちらであるのかに従って、２つの実施形態を示すものと解釈され得る。
【０５６４】
図７８は、偶数ＲＵであり、２ｘＬＴＦ設計のＨＥ−ＬＴＦシーケンスの奇数マッピングと共に使用され得るものなどのパイロットトーン位置を有する５２副搬送波ＲＵ７８１０を含む第１の実施形態を示し、基準副搬送波インデックスｆ０は、２×Ｎと等しい値を有し、ここでＮは整数である。図７８は、５２副搬送波ＲＵ７８１０によって占有される複数の副搬送波を占有し、第１の実施形態では偶数ＲＵである、第１の２６副搬送波ＲＵ７８００Ａ及び第２の２６副搬送波ＲＵ７８００Ｂのパイロットトーン位置をも示す。
【０５６５】
図７８は、奇数ＲＵであり、２ｘＬＴＦ設計のＨＥ−ＬＴＦシーケンスの偶数マッピングと共に使用され得るものなどのパイロットトーン位置を有する５２副搬送波ＲＵ７８１０を含む第２の実施形態を示し、基準副搬送波インデックスｆ０は、２×Ｎ＋１と等しい値を有し、ここでＮは整数である。図７８は、５２副搬送波ＲＵ７８１０によって占有される複数の副搬送波を占有し、第２の実施形態では奇数ＲＵである、第１の２６副搬送波ＲＵ７８００Ａ及び第２の２６副搬送波ＲＵ７８００Ｂのパイロットトーン位置をも示す。
【０５６６】
図７８では、５２副搬送波ＲＵ７８１０の最小インデックスを有する副搬送波は、第１の２６副搬送波ＲＵ７８００Ａの最小インデックスを有する副搬送波に整列され、５２副搬送波ＲＵ７８１０の最大インデックスを有する副搬送波は、第２の２６副搬送波ＲＵ７８００Ｂの最大インデックスを有する副搬送波に整列される。
【０５６７】
第１の２６副搬送波ＲＵ７８００Ａは、第１及び第２のパイロットトーン位置７８０２及び７８０４を含む。第１のパイロットトーン位置７８０２は、第１の２６副搬送波ＲＵ７８００Ａの最小インデックスを有する副搬送波から５副搬送波離れて間隔を置いた副搬送波に対応する。第２のパイロットトーン位置７８０４は、第１のパイロットトーン位置７８０２から１３副搬送波によって分離され、第１の２６副搬送波ＲＵ７８００Ａの最大インデックスを有する副搬送波から６副搬送波離れて間隔を置いた副搬送波に対応する。
【０５６８】
第２の２６副搬送波ＲＵ７８００Ｂは、第３及び第４のパイロットトーン位置７８０６及び７８０８を含む。第３のパイロットトーン位置７８０６は、第２の２６副搬送波ＲＵ７８００Ｂの最小インデックスを有する副搬送波から５副搬送波離れて間隔を置いた副搬送波に対応する。第４のパイロットトーン位置７８０８は、第１のパイロットトーン位置７８０６から１３副搬送波によって分離され、第２の２６副搬送波ＲＵ７８００Ｂの最大インデックスを有する副搬送波から６副搬送波離れて間隔を置いた副搬送波に対応する。
【０５６９】
５２副搬送波ＲＵ７８１０は、第５、第６、第７、及び第８のパイロットトーン位置７８１２、７８１４、７８１６、及び７８１８を含む。５２副搬送波ＲＵ７８１０の第５、第６、第７、及び第８のパイロットトーン位置７８１２、７８１４、７８１６、及び７８１８は、それぞれ、第１及び第２の２６副搬送波ＲＵ７８００Ａ及び７８００Ｂの第１、第２、第３、及び第４のパイロットトーン位置７８０２、７８０４、７８０６、及び７８０８に対応する。
【０５７０】
第５のパイロットトーン位置７８１２は、５２副搬送波ＲＵ７８１０の最小インデックスを有する副搬送波から５副搬送波離れて間隔を置いた副搬送波に対応する。第６のパイロットトーン位置７８１４は、第５のパイロットトーン位置７８１２から１３副搬送波によって分離された副搬送波に対応する。第７のパイロットトーン位置７８１４は、第６のパイロットトーン位置７８１２から１１副搬送波によって分離された副搬送波に対応する。第８のパイロットトーン位置７８１８は、第７のパイロットトーン位置７８１６から１３副搬送波によって分離され、５２副搬送波ＲＵ７８１０の最大インデックスを有する副搬送波から６副搬送波離れて間隔を置いた副搬送波に対応する。
【０５７１】
図７８は、５２副搬送波ＲＵ７８１０が第１及び第２のＲＵ７８００Ａ及び７８００Ｂと同一のパイロットトーン位置を使用する入れ子になった設計を示すが、諸実施形態はこれに限定されない。
【０５７２】
諸実施形態は、ＯＦＤＭＡ送信の割り振られたリソース内にパイロット信号を含むフレームを送信し、受信するプロセスであって、周波数ダイバーシティ利得を最大にし、搬送波周波数オフセット追跡性能を改善するパイロットの位置が選択される、プロセスを含む。
【０５７３】
図７９は、一実施形態による、無線ネットワーク内でフレームを送信するプロセス７９００を示す。プロセス７９００は、フレームを送信するように構成された無線デバイスによって実行され得る。
【０５７４】
Ｓ７９０２では、フレームのリソースユニット（ＲＵ）が決定される。一実施形態では、ＲＵは、直交周波数分割多元接続（ＯＦＤＭＡ）フレームのペイロード部分のＲＵである。
【０５７５】
Ｓ７９０４では、パイロットが、奇数２６副搬送波ＲＵのそれぞれの最低副搬送波に対する相対的な位置の第１のセットにおいて、フレームの１つ又は複数の奇数２６副搬送波ＲＵ内に含められる。奇数ＲＵは、最低副搬送波が奇数インデックスを有するＲＵである。
【０５７６】
Ｓ７９０６では、パイロットが、偶数２６副搬送波ＲＵのそれぞれの最低副搬送波に対する相対的な位置の第２のセットにおいて、フレームの１つ又は複数の偶数２６副搬送波ＲＵ内に含められる。偶数ＲＵは、最低副搬送波が偶数インデックスを有するＲＵである。
【０５７７】
一実施形態では、位置の第１のセットは、位置の第２のセットとは異なる。一実施形態では、位置の第１のセットは、位置の第２のセットの鏡像である。
【０５７８】
Ｓ７９０８では、パイロットが、中央２６副搬送波ＲＵのそれぞれの最低副搬送波に対する相対的な位置の第３のセットにおいて、フレームの中央２６副搬送波ＲＵ内に含められる。中央ＲＵは、ＲＵを含むサブチャネルの少なくとも１つの真ん中の非ＤＣ副搬送波を含むＲＵである。
【０５７９】
一実施形態では、位置の第１のセットは、位置の第３のセットとは異なり、位置の第２のセットは、位置の第３のセットとは異なる。
【０５８０】
Ｓ７９１０では、無線デバイスがフレームを送信する。
【０５８１】
図８０は、一実施形態による、無線ネットワーク内でフレームを送信する別のプロセス８０００を示す。プロセス８０００は、フレームを送信するように構成された無線デバイスによって実行され得る。
【０５８２】
Ｓ８００２では、フレームのリソースユニット（ＲＵ）が決定される。一実施形態では、ＲＵは、直交周波数分割多元接続（ＯＦＤＭＡ）フレームのペイロード部分のＲＵである。
【０５８３】
Ｓ８００４では、パイロットが、５２副搬送波ＲＵのそれぞれの最低副搬送波に対する相対的な位置の第１のセットにおいて、フレームの第１の複数のＲＵの１つ又は複数の５２副搬送波ＲＵ内に含められる。一実施形態では、第１の複数のＲＵは、偶数ＲＵである。
【０５８４】
Ｓ８００６では、パイロットが、５２副搬送波ＲＵのそれぞれの最低副搬送波に対する相対的な位置の第２のセットにおいて、フレームの第２の複数のＲＵの１つ又は複数の５２副搬送波ＲＵ内に含められる。一実施形態では、第２の複数のＲＵは、奇数ＲＵである。
【０５８５】
一実施形態では、位置の第１のセットは、位置の第２のセットとは異なる。一実施形態では、位置の第１のセットは、位置の第２のセットの鏡像である。
【０５８６】
Ｓ８０１０では、無線デバイスがフレームを送信する。
【０５８７】
図８１は、一実施形態による、無線ネットワーク内でフレームを送信するプロセス８１００を示す。プロセス８１００は、フレームを送信するように構成された無線デバイスによって実行され得る。
【０５８８】
Ｓ８１０２では、プロセス８１００は、高効率ロングトレーニングフィールド（ＨＥ−ＬＴＦ）シンボルについてのリソースユニット（ＲＵ）内に第１の複数のパイロットを挿入する。プロセス８１００は、ｉ）ＲＵのサイズ、ｉｉ）ＲＵの最低副搬送波が奇数番号のインデックス又は偶数番号のインデックスのどちらを有するのか、及びｉｉｉ）ＲＵが中央ＲＵであるかどうかに基づいて、第１の複数のパイロットのそれぞれの位置を決定する。
【０５８９】
Ｓ８１０４では、プロセス８１００は、データシンボルについてのリソースユニット（ＲＵ）内に第２の複数のパイロットを挿入する。プロセス８１００は、ｉ）ＲＵのサイズ、ｉｉ）ＲＵの最低副搬送波が奇数番号のインデックス又は偶数番号のインデックスのどちらを有するのか、及びｉｉｉ）ＲＵが中央ＲＵであるかどうかに基づいて、第２の複数のパイロットのそれぞれの位置を決定する。
【０５９０】
Ｓ８１０６では、プロセス８１００は、フレームを送信する。フレームは、ＨＥ−ＬＴＦシンボル及びデータシンボルを含む。
【０５９１】
図８２は、一実施形態による、パイロットを挿入するサブプロセス８２００を示す。サブプロセス８２００は、図８１のプロセス８１００のＳ８１０２、Ｓ８１０４、又はその両方に含められ得る。
【０５９２】
Ｓ８２０２では、サブプロセス８２００は、ＲＵが２６副搬送波又は５２副搬送波のどちらを含むのかを決定する。ＲＵが５２副搬送波を含むときに、Ｓ８２０２では、サブプロセス８２００はＳ８０２４に進む。そうではなく、ＲＵが２６副搬送波を含むときに、Ｓ８２０２では、サブプロセス８２００はＳ８２１０に進む。
【０５９３】
Ｓ８２０４では、サブプロセス８２００は、ＲＵの最低副搬送波が奇数インデックス（すなわち、ＲＵが奇数ＲＵである）又は偶数インデックス（すなわち、ＲＵが偶数ＲＵである）のどちらを有するのかを決定する。ＲＵが奇数ＲＵであるときに、Ｓ８２０４では、サブプロセス８２００はＳ８２０６に進む。そうではなく、ＲＵが偶数ＲＵであるときに、Ｓ８２０４では、サブプロセス８２００はＳ８２０８に進む。
【０５９４】
Ｓ８２０６では、サブプロセス８２００は、それぞれ所定の位置の第１のセットにあるシンボルに複数のパイロットを挿入する。
【０５９５】
Ｓ８２０８では、サブプロセス８２００は、それぞれ所定の位置の第２のセットにあるシンボルに複数のパイロットを挿入する。
【０５９６】
Ｓ８２１０では、サブプロセス８２００は、ＲＵが中央ＲＵを有するかどうかを決定する。ＲＵが中央ＲＵであるときに、Ｓ８２１０では、サブプロセス８２００はＳ８２１４に進む。そうではない場合には、Ｓ８２１０で、サブプロセス８２００はＳ８２１２に進む。
【０５９７】
Ｓ８２１２では、サブプロセス８２００は、ＲＵの最低副搬送波が奇数インデックス（すなわち、ＲＵが奇数ＲＵである）又は偶数インデックス（すなわち、ＲＵが偶数ＲＵである）のどちらを有するのかを決定する。ＲＵが奇数ＲＵであるときに、Ｓ８２１２では、サブプロセス８２００はＳ８２１６に進む。そうではなく、ＲＵが偶数ＲＵであるときに、Ｓ８２１２では、サブプロセス８２００はＳ８２１８に進む。
【０５９８】
Ｓ８２１４では、サブプロセス８２００は、それぞれ所定の位置の第３のセットにあるシンボルに複数のパイロットを挿入する。
【０５９９】
Ｓ８２１６では、サブプロセス８２００は、それぞれ所定の位置の第４のセットにあるシンボルに複数のパイロットを挿入する。
【０６００】
Ｓ８２１８では、サブプロセス８２００は、それぞれ所定の位置の第５のセットにあるシンボルに複数のパイロットを挿入する。
【０６０１】
一実施形態では、所定の位置の第１のセット、第２のセット、第３のセット、第４のセット、及び第５のセットのそれぞれは、所定の位置の他のすべての第１のセット、第２のセット、第３のセット、第４のセット、及び第５のセットとは異なる。
【０６０２】
図８３は、一実施形態による、無線ネットワーク内でフレームを受信するプロセス８３００を示す。プロセス８３００は、フレームを受信するように構成された無線デバイスによって実行され得る。
【０６０３】
Ｓ８３０２では、プロセス８３００は、フレームを受信する。このフレームは、高効率ロングトレーニングフィールド（ＨＥ−ＬＴＦ）シンボル及びデータシンボルを含む。
【０６０４】
Ｓ８３０４では、プロセス８３００は、フレームのＨＥ−ＬＴＦシンボルについてのリソースユニット（ＲＵ）から第１の複数のパイロットを入手する。プロセス８３００は、ｉ）ＲＵのサイズ、ｉｉ）ＲＵの最低副搬送波が奇数番号のインデックス又は偶数番号のインデックスのどちらを有するのか、及びｉｉｉ）ＲＵが中央ＲＵであるかどうかに基づいて、第１の複数のパイロットのそれぞれの位置を決定する。
【０６０５】
Ｓ８３０６では、プロセス８３００は、フレームのデータシンボルについてのリソースユニット（ＲＵ）から第２の複数のパイロットを入手する。プロセス８３００は、ｉ）ＲＵのサイズ、ｉｉ）ＲＵの最低副搬送波が奇数番号のインデックス又は偶数番号のインデックスのどちらを有するのか、及びｉｉｉ）ＲＵが中央ＲＵであるかどうかに基づいて、第２の複数のパイロットのそれぞれの位置を決定する。
【０６０６】
Ｓ８３０８では、プロセス８３００は、ＨＥ−ＬＴＦシンボルを処理する。
【０６０７】
Ｓ８３１０では、プロセス８３００は、データシンボルを処理する。
【０６０８】
図８４は、一実施形態による、パイロットを入手するサブプロセス８４００を示す。サブプロセス８４００は、図８３のプロセス８３００のＳ８３０４、Ｓ８３０６、又はその両方に含められ得る。
【０６０９】
Ｓ８４０２では、サブプロセス８４００は、ＲＵが２６副搬送波又は５２副搬送波のどちらを含むのかを決定する。ＲＵが５２副搬送波を含むときには、Ｓ８４０２では、サブプロセス８４００はＳ８４０４に進む。そうではなく、ＲＵが２６副搬送波を含むときには、Ｓ８４０２では、サブプロセス８４００はＳ８４１０に進む。
【０６１０】
Ｓ８４０４では、サブプロセス８４００は、ＲＵの最低副搬送波が奇数インデックス（すなわち、ＲＵが奇数ＲＵである）又は偶数インデックス（すなわち、ＲＵが偶数ＲＵである）のどちらを有するのかを決定する。ＲＵが奇数ＲＵであるときに、Ｓ８４０４では、サブプロセス８４００はＳ８４０６に進む。そうではなく、ＲＵが偶数ＲＵであるときに、Ｓ８４０４では、サブプロセス８４００はＳ８４０８に進む。
【０６１１】
Ｓ８４０６では、サブプロセス８４００は、それぞれＲＵのシンボル内の所定の位置の第１のセットから複数のパイロットを入手する。
【０６１２】
Ｓ８４０８では、サブプロセス８４００は、それぞれシンボル内の所定の位置の第２のセットから複数のパイロットを入手する。
【０６１３】
Ｓ８４１０では、サブプロセス８４００は、ＲＵが中央ＲＵを有するかどうかを決定する。ＲＵが中央ＲＵであるときに、Ｓ８４１０では、サブプロセス８４００はＳ８４１４に進む。そうではない場合には、Ｓ８４１０で、サブプロセス８４００はＳ８４１２に進む。
【０６１４】
Ｓ８４１２では、サブプロセス８４００は、ＲＵの最低副搬送波が奇数インデックス（すなわち、ＲＵが奇数ＲＵである）又は偶数インデックス（すなわち、ＲＵが偶数ＲＵである）のどちらを有するのかを決定する。ＲＵが奇数ＲＵであるときに、Ｓ８４１２では、サブプロセス８４００はＳ８４１６に進む。そうではなく、ＲＵが偶数ＲＵであるときに、Ｓ８４１２では、サブプロセス８４００はＳ８４１８に進む。
【０６１５】
Ｓ８４１４では、サブプロセス８４００は、それぞれシンボル内の所定の位置の第３のセットから複数のパイロットを入手する。
【０６１６】
Ｓ８４１６では、サブプロセス８４００は、それぞれシンボル内の所定の位置の第４のセットから複数のパイロットを入手する。
【０６１７】
Ｓ８４１８では、サブプロセス８４００は、それぞれシンボル内の所定の位置の第５のセットから複数のパイロットを入手する。
【０６１８】
一実施形態では、所定の位置の第１のセット、第２のセット、第３のセット、第４のセット、及び第５のセットのそれぞれは、所定の位置の他のすべての第１のセット、第２のセット、第３のセット、第４のセット、及び第５のセットとは異なる。
【０６１９】
上の説明及び図面は、ＩＥＥＥ  ８０２．１１ａｘ修正案のＨＥ受信器、ＨＥフレーム、ＨＥ  ＰＰＤＵ、ＨＥ−ＳＩＧフィールド等に適用されるが、ＩＥＥＥ  ８０２．１１の次の修正案の受信器、フレーム、ＰＰＤＵ、ＳＩＧフィールド等にも適用され得る。
【０６２０】
本開示のさらなる態様は、以下の句のうちの１つ又は複数に関する。
【０６２１】
一実施形態では、フレームを送信するための無線デバイスの方法は、リソースユニット内の複数のパイロットトーン位置においてパイロットを提供することと、リソースユニットを含むフレームを送信することとを含む。フレームは、複数の潜在的なパイロットトーン位置を有する。複数のパイロットトーン位置は、複数の潜在的なパイロットトーン位置のサブセットである。潜在的なパイロットトーン位置の半分は、フレームのＤＣトーンの前後で潜在的なパイロットトーン位置の他方の半分と鏡面対称である。
【０６２２】
一実施形態では、リソースユニットが１０６副搬送波を有するときに、複数のパイロットトーン位置は、１）１０６副搬送波によってカバーされる潜在的なパイロットトーン位置の中で最小のインデックスを有する第１のパイロットトーン位置と、２）第１のパイロットトーン位置から２つの潜在的なパイロットトーン位置だけ離れて間隔を置いた第２のパイロットトーン位置と、３）第２のパイロットトーン位置から３つの潜在的なパイロットトーン位置だけ離れて間隔を置いた第３のパイロットトーン位置と、４）第３のパイロットトーン位置から２つの潜在的なパイロットトーン位置だけ離れて間隔を置いた第４のパイロットトーン位置とを含む。
【０６２３】
一実施形態では、リソースユニットが２４２副搬送波を有するときに、複数のパイロットトーン位置は、１）２４２副搬送波によってカバーされる潜在的なパイロットトーン位置の中で最小のインデックスを有する第１のパイロットトーン位置と、２）第１のパイロットトーン位置から２つの潜在的なパイロットトーン位置だけ離れて間隔を置いた第２のパイロットトーン位置と、３）第２のパイロットトーン位置から３つの潜在的なパイロットトーン位置だけ離れて間隔を置いた第３のパイロットトーン位置と、４）第３のパイロットトーン位置から２つの潜在的なパイロットトーン位置だけ離れて間隔を置いた第４のパイロットトーン位置と、５）第４のパイロットトーン位置から３つの潜在的なパイロットトーン位置だけ離れて間隔を置いた第５のパイロットトーン位置と、６）第５のパイロットトーン位置から２つの潜在的なパイロットトーン位置だけ離れて間隔を置いた第６のパイロットトーン位置と、７）第６のパイロットトーン位置から３つの潜在的なパイロットトーン位置だけ離れて間隔を置いた第７のパイロットトーン位置と、８）第７のパイロットトーン位置から２つの潜在的なパイロットトーン位置だけ離れて間隔を置いた第８のパイロットトーン位置とを含む。
【０６２４】
一実施形態では、リソースユニットが５２副搬送波を有するときに、複数のパイロットトーン位置は、５２副搬送波によってカバーされる潜在的なパイロットトーン位置に対応する、第１のパイロットトーン位置、第２のパイロットトーン位置、第３のパイロットトーン位置、及び第４のパイロットトーン位置を含む。
【０６２５】
一実施形態では、５２副搬送波リソースユニットの最小のインデックスを有する副搬送波が、偶数インデックスを有するときに、第１のパイロットトーン位置は、リソースユニットの最小のインデックスを有する副搬送波から６副搬送波離れて間隔を置いた、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、リソースユニットの最大のインデックスを有する副搬送波から５副搬送波離れて間隔を置く。５２副搬送波リソースユニットの最小のインデックスを有する副搬送波が、奇数インデックスを有するときに、第１のパイロットトーン位置は、リソースユニットの最小のインデックスを有する副搬送波から５副搬送波離れて間隔を置いた、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、リソースユニットの最大のインデックスを有する副搬送波から６副搬送波離れて間隔を置く。
【０６２６】
一実施形態では、ＲＵが２６副搬送波を有するときに、複数のパイロットトーン位置は、２６副搬送波によってカバーされる潜在的なパイロットトーン位置に対応する第１のパイロットトーン位置及び第２のパイロットトーン位置を含む。
【０６２７】
一実施形態では、２６副搬送波リソースユニットの最小のインデックスを有する副搬送波が、偶数インデックスを有するときに、第１のパイロットトーン位置は、リソースユニットの最小のインデックスを有する副搬送波から６副搬送波離れて間隔を置いた、第２のパイロットトーン位置は、第１のパイロットトーン位置から１３副搬送波によって分離され、リソースユニットの最大のインデックスを有する副搬送波から５副搬送波離れて間隔を置く。２６副搬送波リソースユニットの最小のインデックスを有する副搬送波が、奇数インデックスを有するときに、第１のパイロットトーン位置は、リソースユニットの最小のインデックスを有する副搬送波から５副搬送波離れて間隔を置き、第２のパイロットトーン位置は、第１のパイロットトーン位置から１３副搬送波によって分離され、リソースユニットの最大のインデックスを有する副搬送波から６副搬送波離れて間隔を置置く。
【０６２８】
一実施形態では、２６副搬送波リソースユニットが、ＤＣトーンによって１３個の正のインデックスを有する副搬送波及び１３個の負のインデックスを有する副搬送波に分割される中央リソースユニットであるときに、第１のパイロットトーン位置は、２６副搬送波リソースユニットの最小のインデックスを有する副搬送波から６副搬送波離れて間隔を置き、１３個の負のインデックスを有する副搬送波の最大のインデックスを有する副搬送波から６副搬送波離れて間隔を置き、第２のパイロットトーン位置は、１３個の正のインデックスを有する副搬送波の最小のインデックスを有する副搬送波から６副搬送波離れて間隔を置き、２６副搬送波リソースユニットの最大のインデックスを有する副搬送波から６副搬送波離れて間隔を置置く。２６副搬送波リソースユニットが、中央リソースユニットではなく、２６副搬送波リソースユニットの最小のインデックスを有する副搬送波が、偶数インデックスを有するときに、第１のパイロットトーン位置は、２６副搬送波リソースユニットの最小のインデックスを有する副搬送波から６副搬送波離れて間隔を置き、第２のパイロットトーン位置は、第１のパイロットトーン位置から１３副搬送波によって分離され、２６副搬送波リソースユニットの最大のインデックスを有する副搬送波から５副搬送波離れて間隔を置く。２６副搬送波リソースユニットが、中央リソースユニットではなく、２６副搬送波リソースユニットの最小のインデックスを有する副搬送波が、奇数インデックスを有するときに、第１のパイロットトーン位置は、２６副搬送波リソースユニットの最小のインデックスを有する副搬送波から５副搬送波離れて間隔を置き、第２のパイロットトーン位置は、第１のパイロットトーン位置から１３副搬送波によって分離され、２６副搬送波リソースユニットの最大のインデックスを有する副搬送波から６副搬送波離れて間隔を置く。
【０６２９】
一実施形態では、フレームは、２０ＭＨｚチャネル上で送信され、潜在的なパイロットトーン位置の総数は、１８である。
【０６３０】
一実施形態では、フレームは、４０ＭＨｚチャネル上で送信され、潜在的なパイロットトーン位置の総数は、３６である。
【０６３１】
一実施形態では、フレームを受信するための無線デバイスの方法は、複数のパイロットトーン位置に含まれるパイロットを含むリソースユニットを含むフレームを受信することと、パイロットを処理することとを含む。フレームは、複数の潜在的なパイロットトーン位置を有する。潜在的なパイロットトーン位置の半分は、潜在的なパイロットトーン位置の他方の半分と鏡面対称である。
【０６３２】
一実施形態では、リソースユニットが１０６副搬送波を有するときに、複数のパイロットトーン位置は、１）１０６副搬送波によってカバーされる潜在的なパイロットトーン位置の中で最小のインデックスを有する第１のパイロットトーン位置と、２）第１のパイロットトーン位置から２つの潜在的なパイロットトーン位置離れて間隔を置いた第２のパイロットトーン位置と、３）第２のパイロットトーン位置から３つの潜在的なパイロットトーン位置離れて間隔を置いた第３のパイロットトーン位置と、４）第３のパイロットトーン位置から２つの潜在的なパイロットトーン位置離れて間隔を置いた第４のパイロットトーン位置とを含む。
【０６３３】
一実施形態では、リソースユニットが２４２副搬送波を有するときに、複数のパイロットトーン位置は、１）２４２副搬送波によってカバーされる潜在的なパイロットトーン位置の中で最小のインデックスを有する第１のパイロットトーン位置と、２）第１のパイロットトーン位置から２つの潜在的なパイロットトーン位置離れて間隔を置いた第２のパイロットトーン位置と、３）第２のパイロットトーン位置から３つの潜在的なパイロットトーン位置離れて間隔を置いた第３のパイロットトーン位置と、４）第３のパイロットトーン位置から２つの潜在的なパイロットトーン位置離れて間隔を置いた第４のパイロットトーン位置と、５）第４のパイロットトーン位置から３つの潜在的なパイロットトーン位置離れて間隔を置いた第５のパイロットトーン位置と、６）第５のパイロットトーン位置から２つの潜在的なパイロットトーン位置離れて間隔を置いた第６のパイロットトーン位置と、７）第６のパイロットトーン位置から３つの潜在的なパイロットトーン位置離れて間隔を置いた第７のパイロットトーン位置と、８）第７のパイロットトーン位置から２つの潜在的なパイロットトーン位置離れて間隔を置いた第８のパイロットトーン位置とを含む。
【０６３４】
一実施形態では、リソースユニットが５２副搬送波を有するときに、複数のパイロットトーン位置は、５２副搬送波によってカバーされる潜在的なパイロットトーン位置に対応する、第１のパイロットトーン位置、第２のパイロットトーン位置、第３のパイロットトーン位置、及び第４のパイロットトーン位置を含む。
【０６３５】
一実施形態では、５２副搬送波リソースユニットの最小のインデックスを有する副搬送波が、偶数インデックスを有するときに、第１のパイロットトーン位置は、５２副搬送波リソースユニットの最小のインデックスを有する副搬送波から６副搬送波離れて間隔を置き、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、５２副搬送波リソースユニットの最大のインデックスを有する副搬送波から５副搬送波離れて間隔を置く。５２副搬送波リソースユニットの最小のインデックスを有する副搬送波が、奇数インデックスを有するときに、第１のパイロットトーン位置は、５２副搬送波リソースユニットの最小のインデックスを有する副搬送波から５副搬送波離れて間隔を置き、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、５２副搬送波リソースユニットの最大のインデックスを有する副搬送波から６副搬送波離れて間隔を置く。
【０６３６】
一実施形態では、リソースユニットが２６副搬送波を有するときに、複数のパイロットトーン位置は、２６副搬送波によってカバーされる潜在的なパイロットトーン位置に対応する第１のパイロットトーン位置及び第２のパイロットトーン位置を含む。
【０６３７】
一実施形態では、２６副搬送波リソースユニットの最小のインデックスを有する副搬送波が、偶数インデックスを有するときに、第１のパイロットトーン位置は、２６副搬送波リソースユニットの最小のインデックスを有する副搬送波から６副搬送波離れて間隔を置き、第２のパイロットトーン位置は、第１のパイロットトーン位置から１３副搬送波によって分離され、２６副搬送波リソースユニットの最大のインデックスを有する副搬送波から５副搬送波離れて間隔を置く。２６副搬送波リソースユニットの最小のインデックスを有する副搬送波が、奇数インデックスを有するときに、第１のパイロットトーン位置は、２６副搬送波リソースユニットの最小のインデックスを有する副搬送波から５副搬送波離れて間隔を置き、第２のパイロットトーン位置は、第１のパイロットトーン位置から１３副搬送波によって分離され、２６副搬送波リソースユニットの最大のインデックスを有する副搬送波から６副搬送波離れて間隔を置く。
【０６３８】
一実施形態では、２６副搬送波リソースユニットが、ＤＣトーンによって１３個の正のインデックスを有する副搬送波及び１３個の負のインデックスを有する副搬送波に分割される中央リソースユニットであるときに、第１のパイロットトーン位置は、２６副搬送波リソースユニットの最小のインデックスを有する副搬送波から６副搬送波離れて間隔を置き、１３個の負のインデックスを有する副搬送波の最大のインデックスを有する副搬送波から６副搬送波離れて間隔を置き、第２のパイロットトーン位置は、１３個の正のインデックスを有する副搬送波の最小のインデックスを有する副搬送波から６副搬送波離れて間隔を置き、２６副搬送波リソースユニットの最大のインデックスを有する副搬送波から６副搬送波離れて間隔を置く。２６副搬送波リソースユニットが、中央リソースユニットではなく、２６副搬送波リソースユニットの最小のインデックスを有する副搬送波が、偶数インデックスを有するときに、第１のパイロットトーン位置は、２６副搬送波リソースユニットの最小のインデックスを有する副搬送波から６副搬送波離れて間隔を置き、第２のパイロットトーン位置は、第１のパイロットトーン位置から１３副搬送波によって分離され、２６副搬送波リソースユニットの最大のインデックスを有する副搬送波から５副搬送波離れて間隔を置く。リソースユニットが、中央リソースユニットではなく、２６副搬送波リソースユニットの最小のインデックスを有する副搬送波が、奇数インデックスを有するときに、第１のパイロットトーン位置は、２６副搬送波リソースユニットの最小のインデックスを有する副搬送波から５副搬送波離れて間隔を置き、第２のパイロットトーン位置は、第１のパイロットトーン位置から１３副搬送波によって分離され、２６副搬送波リソースユニットの最大のインデックスを有する副搬送波から６副搬送波離れて間隔を置く。
【０６３９】
一実施形態では、フレームは、２０ＭＨｚチャネル上で送信され、潜在的なパイロットトーン位置の総数は、１８である。
【０６４０】
一実施形態では、フレームは、４０ＭＨｚチャネル上で送信され、潜在的なパイロットトーン位置の総数は、３６である。
【０６４１】
一実施形態では、潜在的なパイロットトーン位置は、所与の帯域幅上で２６副搬送波ＲＵごとに使用されるパイロットトーン位置のアグリゲーションである。
【０６４２】
諸実施形態は、２０ＭＨｚチャネル上で送信され、入れ子になったパイロット構造を有するフレームを含む。
【０６４３】
一実施形態では、フレームを送信するための無線デバイスの方法は、リソースユニット（ＲＵ）内でパイロットを提供することと、２０ＭＨｚチャネル上でＲＵを含むフレームを送信することとを含む。フレームは、副搬送波インデックスに対応する１８個の潜在的なパイロットトーン位置ｃ１からｃ１８を有する。それぞれの副搬送波インデックスに関して、ｃ１８＞ｃ１７＞ｃ１６＞ｃ１５＞ｃ１４＞ｃ１３＞ｃ１２＞ｃ１１＞ｃ１０＞ｃ９＞ｃ８＞ｃ７＞ｃ６＞ｃ５＞ｃ４＞ｃ３＞ｃ２＞ｃ１である。
【０６４４】
一実施形態では、それぞれの副搬送波インデックスに関して、ｃ１＝−ｃ１８、ｃ２＝−ｃ１７、ｃ３＝−ｃ１６、ｃ４＝−ｃ１５、ｃ５＝−ｃ１４、ｃ６＝−ｃ１３、ｃ７＝−ｃ１２、ｃ８＝−ｃ１１、及びｃ９＝−ｃ１０である。
【０６４５】
一実施形態では、ＲＵが５２個の正のインデックスを有する副搬送波の第１のセットを有するときに、パイロットは、潜在的なパイロットトーン位置ｃ１１、ｃ１２、ｃ１３、及びｃ１４に含まれる。ＲＵが５２個の正のインデックスを有する副搬送波の第２のセットを有するときに、パイロットは、潜在的なパイロットトーン位置ｃ１５、ｃ１６、ｃ１７、及びｃ１８に含まれる。
【０６４６】
一実施形態では、ＲＵが、５２個の正のインデックスを有する副搬送波の第１のセット及び５２個の正のインデックスを有する副搬送波の第２のセットを含む１０６個の正のインデックスを有する副搬送波を有するときに、パイロットは、潜在的なパイロットトーン位置ｃ１１、ｃ１３、ｃ１６、及びｃ１８に含まれる。
【０６４７】
一実施形態では、ＲＵが、２６個の正のインデックスを有する副搬送波の第１のセットを有するときに、パイロットは、潜在的なパイロットトーン位置ｃ１１及びｃ１２に含まれる。ＲＵが、２６個の正のインデックスを有する副搬送波の第２のセットを有するときに、パイロットは、潜在的なパイロットトーン位置ｃ１３及びｃ１４に含まれる。ＲＵが、２６個の正のインデックスを有する副搬送波の第３のセットを有するときに、パイロットは、潜在的なパイロットトーン位置ｃ１５及びｃ１６に含まれる。ＲＵが、２６個の正のインデックスを有する副搬送波の第４のセットを有するときに、パイロットは、潜在的なパイロットトーン位置ｃ１７及びｃ１８に含まれる。
【０６４８】
一実施形態では、ＲＵが、５２個の負のインデックスを有する副搬送波の第１のセットを有するときに、パイロットは、潜在的なパイロットトーン位置ｃ１、ｃ２、ｃ３、及びｃ４に含まれる。ＲＵが、５２個の負のインデックスを有する副搬送波の第２のセットを有するときに、パイロットは、潜在的なパイロットトーン位置ｃ５、ｃ６、ｃ７、及びｃ８に含まれる。
【０６４９】
一実施形態では、ＲＵが、５２個の負のインデックスを有する副搬送波の第１のセット及び５２個の負のインデックスを有する副搬送波の第２のセットを含む１０６個の負のインデックスを有する副搬送波を有するときに、パイロットは、潜在的なパイロットトーン位置ｃ１、ｃ３、ｃ６、及びｃ８に含まれる。
【０６５０】
一実施形態では、ＲＵが、２６個の負のインデックスを有する副搬送波の第１のセットを有するときに、パイロットは、潜在的なパイロットトーン位置ｃ１及びｃ２に含まれる。ＲＵが、２６個の負のインデックスを有する副搬送波の第２のセットを有するときに、パイロットは、潜在的なパイロットトーン位置ｃ３及びｃ４に含まれる。ＲＵが、２６個の負のインデックスを有する副搬送波の第３のセットを有するときに、パイロットは、潜在的なパイロットトーン位置ｃ５及びｃ６に含まれる。ＲＵが、２６個の負のインデックスを有する副搬送波の第４のセットを有するときに、パイロットは、潜在的なパイロットトーン位置ｃ７及びｃ８に含まれる。
【０６５１】
一実施形態では、ＲＵが、ＤＣトーンによって１３個の正のインデックスを有する副搬送波及び１３個の負のインデックスを有する副搬送波に分割される２６副搬送波を有するときに、パイロットは、潜在的なパイロットトーン位置ｃ９及びｃ１０に含まれる。
【０６５２】
一実施形態では、ＲＵが、ＤＣトーンによって１２１個の正のインデックスを有する副搬送波及び１２１個の負のインデックスを有する副搬送波に分割される２４２副搬送波のセットを有するときに、パイロットは、潜在的なパイロットトーン位置ｃ１、ｃ３、ｃ６、ｃ８、ｃ１１、ｃ１３、ｃ１６、及びｃ１８に含まれる。
【０６５３】
一実施形態では、フレームを受信するための無線デバイスの方法は、２０ＭＨｚチャネル上で、パイロットを含むリソースユニットを含むフレームを受信することと、リソースユニット内のパイロットを処理することとを含む。フレームは、副搬送波インデックスに対応する１８個の潜在的なパイロットトーン位置ｃ１からｃ１８を有する。それぞれの副搬送波インデックスに関して、ｃ１８＞ｃ１７＞ｃ１６＞ｃ１５＞ｃ１４＞ｃ１３＞ｃ１２＞ｃ１１＞ｃ１０＞ｃ９＞ｃ８＞ｃ７＞ｃ６＞ｃ５＞ｃ４＞ｃ３＞ｃ２＞ｃ１である。
【０６５４】
一実施形態では、それぞれの副搬送波インデックスに関して、ｃ１＝−ｃ１８、ｃ２＝−ｃ１７、ｃ３＝−ｃ１６、ｃ４＝−ｃ１５、ｃ５＝−ｃ１４、ｃ６＝−ｃ１３、ｃ７＝−ｃ１２、ｃ８＝−ｃ１１、及びｃ９＝−ｃ１０である。
【０６５５】
一実施形態では、ＲＵが５２個の正のインデックスを有する副搬送波の第１のセットを有するときに、パイロットは、潜在的なパイロットトーン位置ｃ１１、ｃ１２、ｃ１３、及びｃ１４に含まれる。ＲＵが５２個の正のインデックスを有する副搬送波の第２のセットを有するときに、パイロットは、潜在的なパイロットトーン位置ｃ１５、ｃ１６、ｃ１７、及びｃ１８に含まれる。
【０６５６】
一実施形態では、ＲＵが、１０６個の正のインデックスを有する副搬送波を有するときに、パイロットは、潜在的なパイロットトーン位置ｃ１１、ｃ１３、ｃ１６、及びｃ１８に含まれる。
【０６５７】
一実施形態では、ＲＵが、２６個の正のインデックスを有する副搬送波の第１のセットを有するときに、パイロットは、潜在的なパイロットトーン位置ｃ１１及びｃ１２に含まれる。ＲＵが、２６個の正のインデックスを有する副搬送波の第２のセットを有するときに、パイロットは、潜在的なパイロットトーン位置ｃ１３及びｃ１４に含まれる。ＲＵが、２６個の正のインデックスを有する副搬送波の第３のセットを有するときに、パイロットは、潜在的なパイロットトーン位置ｃ１５及びｃ１６に含まれる。ＲＵが、２６個の正のインデックスを有する副搬送波の第４のセットを有するときに、パイロットは、潜在的なパイロットトーン位置ｃ１７及びｃ１８に含まれる。
【０６５８】
一実施形態では、ＲＵが、５２個の負のインデックスを有する副搬送波の第１のセットを有するときに、パイロットは、潜在的なパイロットトーン位置ｃ１、ｃ２、ｃ３、及びｃ４に含まれる。ＲＵが、５２個の負のインデックスを有する副搬送波の第２のセットを有するときに、パイロットは、潜在的なパイロットトーン位置ｃ５、ｃ６、ｃ７、及びｃ８に含まれる。
【０６５９】
一実施形態では、ＲＵが、１０６個の負のインデックスを有する副搬送波を有するときに、パイロットは、潜在的なパイロットトーン位置ｃ１、ｃ３、ｃ６、及びｃ８に含まれる。
【０６６０】
一実施形態では、ＲＵが、２６個の負のインデックスを有する副搬送波の第１のセットを有するときに、パイロットは、潜在的なパイロットトーン位置ｃ１及びｃ２に含まれる。ＲＵが、２６個の負のインデックスを有する副搬送波の第２のセットを有するときに、パイロットは、潜在的なパイロットトーン位置ｃ３及びｃ４に含まれる。ＲＵが、２６個の負のインデックスを有する副搬送波の第３のセットを有するときに、パイロットは、潜在的なパイロットトーン位置ｃ５及びｃ６に含まれる。ＲＵが、２６個の負のインデックスを有する副搬送波の第４のセットを有するときに、パイロットは、潜在的なパイロットトーン位置ｃ７及びｃ８に含まれる。
【０６６１】
一実施形態では、ＲＵが、ＤＣトーンによって１３個の正のインデックスを有する副搬送波及び１３個の負のインデックスを有する副搬送波に分割される２６副搬送波を有するときに、パイロットは、潜在的なパイロットトーン位置ｃ９及びｃ１０に含まれる。
【０６６２】
一実施形態では、ＲＵが、ＤＣトーンによって１２１個の正のインデックスを有する副搬送波及び１２１個の負のインデックスを有する副搬送波に分割される２４２副搬送波のセットを有するときに、パイロットは、潜在的なパイロットトーン位置ｃ１、ｃ３、ｃ６、ｃ８、ｃ１１、ｃ１３、ｃ１６、及びｃ１８に含まれる。
【０６６３】
諸実施形態は、４０ＭＨｚチャネル上で送信され、入れ子になったパイロット構造を有するフレームを含む。
【０６６４】
一実施形態では、フレームを送信するための無線デバイスの方法は、リソースユニット内でパイロットを提供することと、４０ＭＨｚチャネル上でリソースユニット（ＲＵ）を含むフレームを送信することとを含む。フレームは、副搬送波インデックスに対応する３６個の潜在的なパイロットトーン位置ｆ１からｆ３６を有する。それぞれのインデックスに関して、ｆ３６＞ｆ３５＞ｆ３４＞ｆ３３＞ｆ３２＞ｆ３１＞ｆ３０＞ｆ２９＞ｆ２８＞ｆ２７＞ｆ２６＞ｆ２５＞ｆ２４＞ｆ２３＞ｆ２２＞ｆ２１＞ｆ２０＞ｆ１９＞ｆ１８＞ｆ１７＞ｆ１６＞ｆ１５＞ｆ１４＞ｆ１３＞ｆ１２＞ｆ１１＞ｆ１０＞ｆ９＞ｆ８＞ｆ７＞ｆ６＞ｆ５＞ｆ４＞ｆ３＞ｆ２＞ｆ１である。
【０６６５】
一実施形態では、それぞれのインデックスに関して、ｆ１＝−ｆ３６、ｆ２＝−ｆ３５、ｆ３＝−ｆ３４、ｆ４＝−ｆ３３、ｆ５＝−ｆ３２、ｆ６＝−ｆ３１、ｆ７＝−ｆ３０、ｆ８＝−ｆ２９、ｆ９＝−ｆ２８、ｆ１０＝−ｆ２７、ｆ１１＝−ｆ２６、ｆ１２＝−ｆ２５、ｆ１３＝−ｆ２４、ｆ１４＝−ｆ２３、ｆ１５＝−ｆ２２、ｆ１６＝−ｆ２１、ｆ１７＝−ｆ２０、及びｆ１８＝−ｆ１９である。
【０６６６】
一実施形態では、ＲＵが５２個の正のインデックスを有する副搬送波の第１のセットを有するときに、パイロットは、潜在的なパイロットトーン位置ｆ１９、ｆ２０、ｆ２１、及びｆ２２に含まれる。ＲＵが５２個の正のインデックスを有する副搬送波の第２のセットを有するときに、パイロットは、潜在的なパイロットトーン位置ｆ２３、ｆ２４、ｆ２５、及びｆ２６に含まれる。ＲＵが５２個の正のインデックスを有する副搬送波の第３のセットを有するときに、パイロットは、潜在的なパイロットトーン位置ｆ２９、ｆ３０、ｆ３１、及びｆ３２に含まれる。ＲＵが５２個の正のインデックスを有する副搬送波の第４のセットを有するときに、パイロットは、潜在的なパイロットトーン位置ｆ３３、ｆ３４、ｆ３５、及びｆ３６に含まれる。
【０６６７】
一実施形態では、ＲＵが、１０６個の正のインデックスを有する副搬送波の第１のセットを有するときに、パイロットは、潜在的なパイロットトーン位置ｆ１９、ｃ２１、ｃ２４、及びｃ２６に含まれる。ＲＵが、１０６個の正のインデックスを有する副搬送波の第２のセットを有するときに、パイロットは、潜在的なパイロットトーン位置ｃ２９、ｃ３１、ｃ３４、及びｃ３６に含まれる。
【０６６８】
一実施形態では、ＲＵが、２６個の正のインデックスを有する副搬送波の第１のセットを有するときに、パイロットは、潜在的なパイロットトーン位置ｆ１９及びｆ２０に含まれる。ＲＵが、２６個の正のインデックスを有する副搬送波の第２のセットを有するときに、パイロットは、潜在的なパイロットトーン位置ｆ２１及びｆ２２に含まれる。ＲＵが、２６個の正のインデックスを有する副搬送波の第３のセットを有するときに、パイロットは、潜在的なパイロットトーン位置ｆ２３及びｆ２４に含まれる。ＲＵが、２６個の正のインデックスを有する副搬送波の第４のセットを有するときに、パイロットは、潜在的なパイロットトーン位置ｆ２５及びｆ２６に含まれる。ＲＵが、２６個の正のインデックスを有する副搬送波の第５のセットを有するときに、パイロットは、潜在的なパイロットトーン位置ｆ２７及びｆ２８に含まれる。ＲＵが、２６個の正のインデックスを有する副搬送波の第６のセットを有するときに、パイロットは、潜在的なパイロットトーン位置ｆ２９及びｆ３０に含まれる。ＲＵが、２６個の正のインデックスを有する副搬送波の第７のセットを有するときに、パイロットは、潜在的なパイロットトーン位置ｆ３１及びｆ３２に含まれる。ＲＵが、２６個の正のインデックスを有する副搬送波の第８のセットを有するときに、パイロットは、潜在的なパイロットトーン位置ｆ３３及びｆ３４に含まれる。ＲＵが、２６個の正のインデックスを有する副搬送波の第９のセットを有するときに、パイロットは、潜在的なパイロットトーン位置ｆ３５及びｆ３６に含まれる。
【０６６９】
一実施形態では、ＲＵが、１０６個の負のインデックスを有する副搬送波の第１のセットを有するときに、パイロットは、潜在的なパイロットトーン位置ｆ１、ｆ３、ｆ６、及びｆ８に含まれる。ＲＵが、１０６個の負のインデックスを有する副搬送波の第２のセットを有するときに、パイロットは、潜在的なパイロットトーン位置ｆ１１、ｆ１３、ｆ１６、及びｆ１８に含まれる。
【０６７０】
一実施形態では、ＲＵが、５２個の負のインデックスを有する副搬送波の第１のセットを有するときに、パイロットは、潜在的なパイロットトーン位置ｆ１、ｆ２、ｆ３、及びｆ４に含まれる。ＲＵが、５２個の負のインデックスを有する副搬送波の第２のセットを有するときに、パイロットは、潜在的なパイロットトーン位置ｆ５、ｆ６、ｆ７、及びｆ８に含まれる。ＲＵが、５２個の負のインデックスを有する副搬送波の第３のセットを有するときに、パイロットは、潜在的なパイロットトーン位置ｆ１１、ｆ１２、ｆ１３、及びｆ１４に含まれる。ＲＵが、５２個の負のインデックスを有する副搬送波の第４のセットを有するときに、パイロットは、潜在的なパイロットトーン位置ｆ１５、ｆ１６、ｆ１７、及びｆ１８に含まれる。
【０６７１】
一実施形態では、ＲＵが、２６個の負のインデックスを有する副搬送波の第１のセットを有するときに、パイロットは、潜在的なパイロットトーン位置ｆ１及びｆ２に含まれる。ＲＵが、２６個の負のインデックスを有する副搬送波の第２のセットを有するときに、パイロットは、潜在的なパイロットトーン位置ｆ３及びｆ４に含まれる。ＲＵが、２６個の負のインデックスを有する副搬送波の第３のセットを有するときに、パイロットは、潜在的なパイロットトーン位置ｆ５及びｆ６に含まれる。ＲＵが、２６個の負のインデックスを有する副搬送波の第４のセットを有するときに、パイロットは、潜在的なパイロットトーン位置ｆ７及びｆ８に含まれる。ＲＵが、２６個の負のインデックスを有する副搬送波の第５のセットを有するときに、パイロットは、潜在的なパイロットトーン位置ｆ９及びｆ１０に含まれる。ＲＵが、２６個の負のインデックスを有する副搬送波の第６のセットを有するときに、パイロットは、潜在的なパイロットトーン位置ｆ１１及びｆ１２に含まれる。ＲＵが、２６個の負のインデックスを有する副搬送波の第７のセットを有するときに、パイロットは、潜在的なパイロットトーン位置ｆ１３及びｆ１４に含まれる。ＲＵが、２６個の負のインデックスを有する副搬送波の第８のセットを有するときに、パイロットは、潜在的なパイロットトーン位置ｆ１５及びｆ１６に含まれる。ＲＵが、２６個の負のインデックスを有する副搬送波の第９のセットを有するときに、パイロットは、潜在的なパイロットトーン位置ｆ１７及びｆ１８に含まれる。
【０６７２】
一実施形態では、ＲＵが、２４２個の正のインデックスを有する副搬送波を有するときに、パイロットは、潜在的なパイロットトーン位置ｆ１９、ｆ２１、ｆ２４、ｆ２６、ｆ２９、ｆ３１、ｆ３４、及びｆ３６に含まれる。ＲＵが、２４２個の負のインデックスを有する副搬送波を有するときに、パイロットは、潜在的なパイロットトーン位置ｆ１、ｆ３、ｆ６、ｆ８、ｆ１１、ｆ１３、ｆ１６、及びｆ１８に含まれる。
【０６７３】
一実施形態では、ＲＵが、ＤＣトーンによって２４２個の正のインデックスを有する副搬送波及び２４２個の負のインデックスを有する副搬送波に分割される４８４副搬送波を有するときに、パイロットは、潜在的なパイロットトーン位置ｆ１、ｆ３、ｆ６、ｆ８、ｆ１１、ｆ１３、ｆ１６、ｆ１８、ｆ１９、ｆ２１、ｆ２４、ｆ２６、ｆ２９、ｆ３１、ｆ３４、及びｆ３６に含まれる。
【０６７４】
一実施形態では、フレームを受信するための無線デバイスの方法は、４０ＭＨｚチャネル上で、パイロットを含むリソースユニットを含むフレームを受信することと、リソースユニット内のパイロットを処理することとを含む。フレームは、副搬送波インデックスに対応する３６個の潜在的なパイロットトーン位置ｆ１からｆ３６を有する。それぞれの副搬送波インデックスに関して、ｆ３６＞ｆ３５＞ｆ３４＞ｆ３３＞ｆ３２＞ｆ３１＞ｆ３０＞ｆ２９＞ｆ２８＞ｆ２７＞ｆ２６＞ｆ２５＞ｆ２４＞ｆ２３＞ｆ２２＞ｆ２１＞ｆ２０＞ｆ１９＞ｆ１８＞ｆ１７＞ｆ１６＞ｆ１５＞ｆ１４＞ｆ１３＞ｆ１２＞ｆ１１＞ｆ１０＞ｆ９＞ｆ８＞ｆ７＞ｆ６＞ｆ５＞ｆ４＞ｆ３＞ｆ２＞ｆ１である。
【０６７５】
一実施形態では、それぞれの副搬送波インデックスに関して、ｆ１＝−ｆ３６、ｆ２＝−ｆ３５、ｆ３＝−ｆ３４、ｆ４＝−ｆ３３、ｆ５＝−ｆ３２、ｆ６＝−ｆ３１、ｆ７＝−ｆ３０、ｆ８＝−ｆ２９、ｆ９＝−ｆ２８、ｆ１０＝−ｆ２７、ｆ１１＝−ｆ２６、ｆ１２＝−ｆ２５、ｆ１３＝−ｆ２４、ｆ１４＝−ｆ２３、ｆ１５＝−ｆ２２、ｆ１６＝−ｆ２１、ｆ１７＝−ｆ２０、及びｆ１８＝−ｆ１９である。
【０６７６】
一実施形態では、ＲＵが、５２個の正のインデックスを有する副搬送波の第１のセットを有するときに、パイロットは、潜在的なパイロットトーン位置ｆ１９、ｆ２０、ｆ２１、及びｆ２２に含まれる。ＲＵが、５２個の正のインデックスを有する副搬送波の第２のセットを有するときに、パイロットは、潜在的なパイロットトーン位置ｆ２３、ｆ２４、ｆ２５、及びｆ２６に含まれる。ＲＵが、５２個の正のインデックスを有する副搬送波の第３のセットを有するときに、パイロットは、潜在的なパイロットトーン位置ｆ２９、ｆ３０、ｆ３１、及びｆ３２に含まれる。ＲＵが、５２個の正のインデックスを有する副搬送波の第４のセットを有するときに、パイロットは、潜在的なパイロットトーン位置ｆ３３、ｆ３４、ｆ３５、及びｆ３６に含まれる。
【０６７７】
一実施形態では、ＲＵが、１０６個の正のインデックスを有する副搬送波の第１のセットを有するときに、パイロットは、潜在的なパイロットトーン位置ｆ１９、ｆ２１、ｆ２４、及びｆ２６に含まれる。ＲＵが、１０６個の正のインデックスを有する副搬送波の第２のセットを有するときに、パイロットは、潜在的なパイロットトーン位置ｆ２９、ｆ３１、ｆ３４、及びｆ３６に含まれる。
【０６７８】
一実施形態では、ＲＵが、２６個の正のインデックスを有する副搬送波の第１のセットを有するときに、パイロットは、潜在的なパイロットトーン位置ｆ１９及びｆ２０に含まれる。ＲＵが、２６個の正のインデックスを有する副搬送波の第２のセットを有するときに、パイロットは、潜在的なパイロットトーン位置ｆ２１及びｆ２２に含まれる。ＲＵが、２６個の正のインデックスを有する副搬送波の第３のセットを有するときに、パイロットは、潜在的なパイロットトーン位置ｆ２３及びｆ２４に含まれる。ＲＵが、２６個の正のインデックスを有する副搬送波の第４のセットを有するときに、パイロットは、潜在的なパイロットトーン位置ｆ２５及びｆ２６に含まれる。ＲＵが、２６個の正のインデックスを有する副搬送波の第５のセットを有するときに、パイロットは、潜在的なパイロットトーン位置ｆ２７及びｆ２８に含まれる。ＲＵが、２６個の正のインデックスを有する副搬送波の第６のセットを有するときに、パイロットは、潜在的なパイロットトーン位置ｆ２９及びｆ３０に含まれる。ＲＵが、２６個の正のインデックスを有する副搬送波の第７のセットを有するときに、パイロットは、潜在的なパイロットトーン位置ｆ３１及びｆ３２に含まれる。ＲＵが、２６個の正のインデックスを有する副搬送波の第８のセットを有するときに、パイロットは、潜在的なパイロットトーン位置ｆ３３及びｆ３４に含まれる。ＲＵが、２６個の正のインデックスを有する副搬送波の第９のセットを有するときに、パイロットは、潜在的なパイロットトーン位置ｆ３５及びｆ３６に含まれる。
【０６７９】
一実施形態では、ＲＵが、１０６個の負のインデックスを有する副搬送波の第１のセットを有するときに、パイロットは、潜在的なパイロットトーン位置ｆ１、ｆ３、ｆ６、及びｆ８に含まれる。ＲＵが、１０６個の負のインデックスを有する副搬送波の第２のセットを有するときに、パイロットは、潜在的なパイロットトーン位置ｆ１１、ｆ１３、ｆ１６、及びｆ１８に含まれる。
【０６８０】
一実施形態では、ＲＵが、５２個の負のインデックスを有する副搬送波の第１のセットを有するときに、パイロットは、潜在的なパイロットトーン位置ｆ１、ｆ２、ｆ３、及びｆ４に含まれる。ＲＵが、５２個の負のインデックスを有する副搬送波の第２のセットを有するときに、パイロットは、潜在的なパイロットトーン位置ｆ５、ｆ６、ｆ７、及びｆ８に含まれる。ＲＵが、５２個の負のインデックスを有する副搬送波の第３のセットを有するときに、パイロットは、潜在的なパイロットトーン位置ｆ１１、ｆ１２、ｆ１３、及びｆ１４に含まれる。ＲＵが、５２個の負のインデックスを有する副搬送波の第４のセットを有するときに、パイロットは、潜在的なパイロットトーン位置ｆ１５、ｆ１６、ｆ１７、及びｆ１８に含まれる。
【０６８１】
一実施形態では、ＲＵが、２６個の負のインデックスを有する副搬送波の第１のセットを有するときに、パイロットは、潜在的なパイロットトーン位置ｆ１及びｆ２に含まれる。ＲＵが、２６個の負のインデックスを有する副搬送波の第２のセットを有するときに、パイロットは、潜在的なパイロットトーン位置ｆ３及びｆ４に含まれる。ＲＵが、２６個の負のインデックスを有する副搬送波の第３のセットを有するときに、パイロットは、潜在的なパイロットトーン位置ｆ５及びｆ６に含まれる。ＲＵが、２６個の負のインデックスを有する副搬送波の第４のセットを有するときに、パイロットは、潜在的なパイロットトーン位置ｆ７及びｆ８に含まれる。ＲＵが、２６個の負のインデックスを有する副搬送波の第５のセットを有するときに、パイロットは、潜在的なパイロットトーン位置ｆ９及びｆ１０に含まれる。ＲＵが、２６個の負のインデックスを有する副搬送波の第６のセットを有するときに、パイロットは、潜在的なパイロットトーン位置ｆ１１及びｆ１２に含まれる。ＲＵが、２６個の負のインデックスを有する副搬送波の第７のセットを有するときに、パイロットは、潜在的なパイロットトーン位置ｆ１３及びｆ１４に含まれる。ＲＵが、２６個の負のインデックスを有する副搬送波の第８のセットを有するときに、パイロットは、潜在的なパイロットトーン位置ｆ１５及びｆ１６に含まれる。ＲＵが、２６個の負のインデックスを有する副搬送波の第９のセットを有するときに、パイロットは、潜在的なパイロットトーン位置ｆ１７及びｆ１８に含まれる。
【０６８２】
一実施形態では、ＲＵが、２４２個の正のインデックスを有する副搬送波を有するときに、パイロットは、潜在的なパイロットトーン位置ｆ１９、ｆ２１、ｆ２４、ｆ２６、ｆ２９、ｆ３１、ｆ３４、及びｆ３６に含まれる。ＲＵが、２４２個の負のインデックスを有する副搬送波を有するときに、パイロットは、潜在的なパイロットトーン位置ｆ１、ｆ３、ｆ６、ｆ８、ｆ１１、ｆ１３、ｆ１６、及びｆ１８に含まれる。
【０６８３】
一実施形態では、ＲＵが、ＤＣトーンによって２４２個の正のインデックスを有する副搬送波及び２４２個の負のインデックスを有する副搬送波に分割される４８４副搬送波を有するときに、パイロットは、潜在的なパイロットトーン位置ｆ１、ｆ３、ｆ６、ｆ８、ｆ１１、ｆ１３、ｆ１６、ｆ１８、ｆ１９、ｆ２１、ｆ２４、ｆ２６、ｆ２９、ｆ３１、ｆ３４、及びｆ３６に含まれる。
【０６８４】
諸実施形態は、２６サブチャネルリソースユニットと５２サブチャネルリソースユニットとの間の入れ子になったパイロット構造を有するフレームを更に含む。
【０６８５】
一実施形態では、フレームを送信するための無線デバイスの方法は、リソースユニット内でパイロットを提供することと、リソースユニットを含むフレームを送信することとを含む。リソースユニットが、その最小インデックス番号がｆ０である５２副搬送波を有するときに、パイロットは、それぞれ第１のパイロットトーン位置、第２のパイロットトーン位置、第３のパイロットトーン位置、及び第４のパイロットトーン位置に含まれる。リソースユニットが、その最小インデックス番号がｆ０である２６副搬送波を有するときに、パイロットは、それぞれ第５のパイロットトーン位置及び第６のパイロットトーン位置に含まれる。第５のパイロットトーン位置は、第１のパイロットトーン位置と同一であり、第６のパイロットトーン位置は、第２のパイロットトーン位置と同一である。
【０６８６】
一実施形態では、リソースユニットが、その最小インデックス番号が（ｆ０＋２６）と等しい２６副搬送波を有するときに、パイロットは、それぞれ第７のパイロットトーン位置及び第８のパイロットトーン位置に含まれる。第７のパイロットトーン位置は、第３のパイロットトーン位置と同一であり、第８のパイロットトーン位置は、第４のパイロットトーン位置と同一である。
【０６８７】
一実施形態では、リソースユニットが、その最小インデックス番号がｆ０と等しく、偶数である５２副搬送波を有するときに、第１のパイロットトーン位置は、リソースユニットの最小のインデックスを有する副搬送波から６副搬送波離れて間隔を置き、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、リソースユニットの最大のインデックスを有する副搬送波から５副搬送波離れて間隔を置く。
【０６８８】
一実施形態では、リソースユニットが、その最小インデックス番号がｆ０と等しく、奇数である５２副搬送波を有するときに、第１のパイロットトーン位置は、リソースユニットの最小のインデックスを有する副搬送波から５副搬送波離れて間隔を置き、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、リソースユニットの最大のインデックスを有する副搬送波から６副搬送波離れて間隔を置く。
【０６８９】
一実施形態では、リソースユニットが、その最小インデックス番号がｆ０と等しく、偶数である２６副搬送波を有するときに、第５のパイロットトーン位置は、リソースユニットの最小のインデックスを有する副搬送波から６副搬送波離れて間隔を置き、第６のパイロットトーン位置は、第５のパイロットトーン位置から１３副搬送波によって分離され、リソースユニットの最大のインデックスを有する副搬送波から５副搬送波離れて間隔を置く。
【０６９０】
一実施形態では、リソースユニットが、その最小インデックス番号がｆ０と等しく、奇数である２６副搬送波を有するときに、第５のパイロットトーン位置は、リソースユニットの最小のインデックスを有する副搬送波から５副搬送波離れて間隔を置き、第６のパイロットトーン位置は、第５のパイロットトーン位置から１３副搬送波によって分離され、リソースユニットの最大のインデックスを有する副搬送波から６副搬送波離れて間隔を置く。
【０６９１】
一実施形態では、リソースユニットが、その最小インデックス番号が（ｆ０＋２６）と等しく、偶数である２６副搬送波を有するときに、第７のパイロットトーン位置は、リソースユニットの最小のインデックスを有する副搬送波から６副搬送波離れて間隔を置かれ、第８のパイロットトーン位置は、第７のパイロットトーン位置から１３副搬送波によって分離され、リソースユニットの最大のインデックスを有する副搬送波から５副搬送波離れて間隔を置く。
【０６９２】
一実施形態では、リソースユニットが、その最小インデックス番号が（ｆ０＋２６）と等しく、奇数である２６副搬送波を有するときに、第７のパイロットトーン位置は、リソースユニットの最小のインデックスを有する副搬送波から５副搬送波離れて間隔を置かれ、第８のパイロットトーン位置は、第７のパイロットトーン位置から１３副搬送波によって分離され、リソースユニットの最大のインデックスを有する副搬送波から６副搬送波離れて間隔を置く。
【０６９３】
一実施形態では、フレームを受信するための無線デバイスの方法は、パイロットを含むリソースユニットを含むフレームを受信することと、リソースユニット内のパイロットを処理することとを含む。リソースユニットが、その最小インデックスがｆ０である５２副搬送波を有するときに、パイロットは、それぞれ第１のパイロットトーン位置、第２のパイロットトーン位置、第３のパイロットトーン位置、及び第４のパイロットトーン位置に含まれる。リソースユニットが、その最小インデックスがｆ０である２６副搬送波を有するときに、パイロットは、それぞれ第５のパイロットトーン位置及び第６のパイロットトーン位置に含まれる。第５のパイロットトーン位置は、第１のパイロットトーン位置と同一である。第６のパイロットトーン位置は、第２のパイロットトーン位置と同一である。
【０６９４】
一実施形態では、リソースユニットが、その最小インデックス番号が（ｆ０＋２６）と等しい２６副搬送波を有するときに、パイロットは、それぞれ第７のパイロットトーン位置及び第８のパイロットトーン位置に含まれる。第７のパイロットトーン位置は、第３のパイロットトーン位置と同一である。第８のパイロットトーン位置は、第４のパイロットトーン位置と同一である。
【０６９５】
一実施形態では、リソースユニットが、その最小インデックス番号がｆ０と等しく、偶数である５２副搬送波を有するときに、第１のパイロットトーン位置は、リソースユニットの最小のインデックスを有する副搬送波から６副搬送波離れて間隔を置かれ、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、リソースユニットの最大のインデックスを有する副搬送波から５副搬送波離れて間隔を置く。
【０６９６】
一実施形態では、リソースユニットが、その最小インデックス番号がｆ０と等しく、奇数である５２副搬送波を有するときに、第１のパイロットトーン位置は、リソースユニットの最小のインデックスを有する副搬送波から５副搬送波離れて間隔を置かれ、第２のパイロットトーン位置は、第１のパイロットトーン位置から１３副搬送波によって分離され、第３のパイロットトーン位置は、第２のパイロットトーン位置から１１副搬送波によって分離され、第４のパイロットトーン位置は、第３のパイロットトーン位置から１３副搬送波によって分離され、リソースユニットの最大のインデックスを有する副搬送波から６副搬送波離れて間隔を置く。
【０６９７】
一実施形態では、リソースユニットが、その最小インデックス番号がｆ０と等しく、偶数である２６副搬送波を有するときに、第５のパイロットトーン位置は、リソースユニットの最小のインデックスを有する副搬送波から６副搬送波離れて間隔を置かれ、第６のパイロットトーン位置は、第５のパイロットトーン位置から１３副搬送波によって分離され、リソースユニットの最大のインデックスを有する副搬送波から５副搬送波離れて間隔を置く。
【０６９８】
一実施形態では、リソースユニットが、その最小インデックス番号がｆ０と等しく、奇数である２６副搬送波を有するときに、第５のパイロットトーン位置は、リソースユニットの最小のインデックスを有する副搬送波から５副搬送波離れて間隔を置かれ、第６のパイロットトーン位置は、第５のパイロットトーン位置から１３副搬送波によって分離され、リソースユニットの最大のインデックスを有する副搬送波から６副搬送波離れて間隔を置く。
【０６９９】
一実施形態では、リソースユニットが、その最小インデックス番号が（ｆ０＋２６）と等しく、偶数である２６副搬送波を有するときに、第７のパイロットトーン位置は、リソースユニットの最小のインデックスを有する副搬送波から６副搬送波離れて間隔を置かれ、第８のパイロットトーン位置は、第７のパイロットトーン位置から１３副搬送波によって分離され、リソースユニットの最大のインデックスを有する副搬送波から５副搬送波離れて間隔を置く。
【０７００】
一実施形態では、リソースユニットが、その最小インデックス番号が（ｆ０＋２６）と等しく、奇数である２６副搬送波を有するときに、第７のパイロットトーン位置は、リソースユニットの最小のインデックスを有する副搬送波から５副搬送波離れて間隔を置かれ、第８のパイロットトーン位置は、第７のパイロットトーン位置から１３副搬送波によって分離され、リソースユニットの最大のインデックスを有する副搬送波から６副搬送波離れて間隔を置く。
【０７０１】
本開示の実施形態は、本明細書で説明される動作のうちの１つ又は複数を実行するように構成された電子デバイスを含む。しかし、諸実施形態はこれに限定されない。
【０７０２】
本開示の実施形態は、本明細書で説明されるプロセスを使用して動作するように構成されたシステムを更に含むことができる。このシステムは、図１のベーシックサービスセット（ＢＳＳ）１００などのＢＳＳを含むことができるが、諸実施形態はこれに限定されない。
【０７０３】
本開示の実施形態は、プロセッサ又はマイクロコントローラなどの様々なコンピュータ手段を介して実行可能であり、非一時的コンピュータ読み取り可能な媒体内に記録されるプログラム命令の形で実装され得る。非一時的コンピュータ読み取り可能な媒体は、プログラム命令、データファイル、データ構造等のうちの１つ又は複数を含むことができる。プログラム命令は、図１に示された無線デバイスなどのデバイス上で実行されるときに、本明細書で説明するプロセスを実行し、フレームを生成し、復号するように適合され得る。
【０７０４】
一実施形態では、非一時的コンピュータ読取り可能な媒体は、読み取り専用メモリ（ＲＯＭ）、ランダムアクセスメモリ（ＲＡＭ）、又はフラッシュメモリを含むことができる。一実施形態では、非一時的コンピュータ読み取り可能な媒体は、ハードディスクドライブ、フロッピディスク、ＣＤ−ＲＯＭ等の磁気ディスク、光ディスク、又は光磁気ディスクを含むことができる。
【０７０５】
本発明を、実用的な実施形態と現在考えられるものに関連して説明したが、実施形態は、開示された実施形態に限定されず、逆に、添付の特許請求の範囲の趣旨及び範囲に含まれる様々な変更及び等価なアレンジを含むことができる。プロセス内で説明された動作の順序は、例示的であり、いくつかの動作は、並べ変えられ得る。更に、２つ以上の実施形態が、組み合わされ得る。
【図１】
0006791879.tif 000002
【図２】
0006791879.tif 000003
【図３Ａ】
0006791879.tif 000004
【図３Ｂ】
0006791879.tif 000005
【図４Ａ】
0006791879.tif 000006
【図４Ｂ】
0006791879.tif 000007
【図４Ｃ】
0006791879.tif 000008
【図４Ｄ】
0006791879.tif 000009
【図５Ａ】
0006791879.tif 000010
【図５Ｂ】
0006791879.tif 000011
【図６】
0006791879.tif 000012
【図７】
0006791879.tif 000013
【図８Ａ】
0006791879.tif 000014
【図８Ｂ】
0006791879.tif 000015
【図９】
0006791879.tif 000016
【図１０】
0006791879.tif 000017
【図１１】
0006791879.tif 000018
【図１２】
0006791879.tif 000019
【図１３】
0006791879.tif 000020
【図１４】
0006791879.tif 000021
【図１５】
0006791879.tif 000022
【図１６】
0006791879.tif 000023
【図１７】
0006791879.tif 000024
【図１８】
0006791879.tif 000025
【図１９】
0006791879.tif 000026
【図２０】
0006791879.tif 000027
【図２１】
0006791879.tif 000028
【図２２】
0006791879.tif 000029
【図２３】
0006791879.tif 000030
【図２４】
0006791879.tif 000031
【図２５】
0006791879.tif 000032
【図２６】
0006791879.tif 000033
【図２７】
0006791879.tif 000034
【図２８】
0006791879.tif 000035
【図２９】
0006791879.tif 000036
【図３０】
0006791879.tif 000037
【図３１】
0006791879.tif 000038
【図３２】
0006791879.tif 000039
【図３３Ａ】
0006791879.tif 000040
【図３３Ｂ】
0006791879.tif 000041
【図３４】
0006791879.tif 000042
【図３５】
0006791879.tif 000043
【図３６】
0006791879.tif 000044
【図３７】
0006791879.tif 000045
【図３８】
0006791879.tif 000046
【図３９】
0006791879.tif 000047
【図４０】
0006791879.tif 000048
【図４１】
0006791879.tif 000049
【図４２】
0006791879.tif 000050
【図４３】
0006791879.tif 000051
【図４４】
0006791879.tif 000052
【図４５】
0006791879.tif 000053
【図４６Ａ】
0006791879.tif 000054
【図４６Ｂ】
0006791879.tif 000055
【図４７】
0006791879.tif 000056
【図４８】
0006791879.tif 000057
【図４９】
0006791879.tif 000058
【図５０】
0006791879.tif 000059
【図５１】
0006791879.tif 000060
【図５２】
0006791879.tif 000061
【図５３】
0006791879.tif 000062
【図５４Ａ】
0006791879.tif 000063
【図５４Ｂ】
0006791879.tif 000064
【図５５】
0006791879.tif 000065
【図５６】
0006791879.tif 000066
【図５７】
0006791879.tif 000067
【図５８】
0006791879.tif 000068
【図５９Ａ】
0006791879.tif 000069
【図５９Ｂ】
0006791879.tif 000070
【図６０】
0006791879.tif 000071
【図６１】
0006791879.tif 000072
【図６２】
0006791879.tif 000073
【図６３】
0006791879.tif 000074
【図６４】
0006791879.tif 000075
【図６５】
0006791879.tif 000076
【図６６】
0006791879.tif 000077
【図６７】
0006791879.tif 000078
【図６８】
0006791879.tif 000079
【図６９】
0006791879.tif 000080
【図７０】
0006791879.tif 000081
【図７１】
0006791879.tif 000082
【図７２】
0006791879.tif 000083
【図７３】
0006791879.tif 000084
【図７４】
0006791879.tif 000085
【図７５】
0006791879.tif 000086
【図７６】
0006791879.tif 000087
【図７７】
0006791879.tif 000088
【図７８】
0006791879.tif 000089
【図７９】
0006791879.tif 000090
【図８０】
0006791879.tif 000091
【図８１】
0006791879.tif 000092
【図８２】
0006791879.tif 000093
【図８３】
0006791879.tif 000094
【図８４】
0006791879.tif 000095